(57)【要約】  本出願は、通信方法および通信装置を提供する。通信方法は、アクセスおよびモビリティ管理機能ＡＭＦエンティティによって、アクセスネットワークデバイスから第１のメッセージを受信することであって、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することと、ＡＭＦエンティティによって、ターゲットデバイスが位置するネットワークのキー情報を導出することと、を含む。本出願の実施形態における技術的解決策は、音声サービスの連続性を保証し、ユーザ体験を向上させることができる。
2021517786.tif 000002
【特許請求の範囲】
【請求項１】
通信方法であって、
アクセスおよびモビリティ管理機能ＡＭＦエンティティによって、アクセスネットワークデバイスから第１のメッセージを受信することであって、前記第１のメッセージは、パケット交換ＰＳドメインから回線交換ＣＳドメインに端末の音声サービスをハンドオーバするように指示するための情報を含み、前記第１のメッセージは、さらに、ターゲットデバイスの識別情報を含み、前記ターゲットデバイスは、３Ｇネットワークおよび／または４Ｇネットワーク内のアクセスネットワークデバイスである、受信することと、
前記ＡＭＦエンティティによって、前記ターゲットデバイスが位置するネットワークのキー情報を導出することと、を含む通信方法。
【請求項２】
前記ターゲットデバイスは、前記３Ｇネットワーク内のアクセスネットワークデバイスであり、前記ＡＭＦエンティティによって、前記ターゲットデバイスが位置するネットワークのキー情報を導出することは、
前記ＡＭＦエンティティによって、前記３Ｇネットワークのキー導出パラメータを決定することと、
前記ＡＭＦエンティティによって、前記３Ｇネットワークの前記キー導出パラメータおよび前記ＡＭＦエンティティが位置するネットワークのルートキーに基づいて、前記３Ｇネットワークの前記キー情報を導出することと、を含む、請求項１に記載の通信方法。
【請求項３】
前記ＡＭＦエンティティによって、前記３Ｇネットワークの前記キー導出パラメータおよび前記ＡＭＦエンティティが位置するネットワークのルートキーに基づいて、前記３Ｇネットワークの前記キー情報を導出することは、
前記ＡＭＦエンティティによって、第１のＦＣ、第１の下りリンク非アクセス層カウント、および前記ＡＭＦエンティティが位置する前記ネットワークの前記ルートキーに基づいて、前記３Ｇネットワークの前記キー情報を導出することか、
前記ＡＭＦエンティティによって、第１のＦＣ、プリセット値、および前記ＡＭＦエンティティが位置する前記ネットワークの前記ルートキーに基づいて、前記３Ｇネットワークの前記キー情報を導出することか、または
前記ＡＭＦエンティティによって、第１のＦＣ、乱数、および前記ＡＭＦエンティティが位置する前記ネットワークの前記ルートキーに基づいて、前記３Ｇネットワークの前記キー情報を導出すること、を含む、請求項２に記載の通信方法。
【請求項４】
前記ターゲットデバイスは、前記３Ｇネットワーク内のアクセスネットワークデバイスであり、前記ＡＭＦエンティティによって、前記ターゲットデバイスが位置するネットワークのキー情報を導出することは、
前記ＡＭＦエンティティによって、前記４Ｇネットワークのキー導出パラメータを決定することと、
前記ＡＭＦエンティティによって、前記４Ｇネットワークの前記キー導出パラメータおよび前記ＡＭＦエンティティが位置するネットワークのルートキーに基づいて、前記４Ｇネットワークのキー情報を導出することと、
前記ＡＭＦエンティティによって、前記４Ｇネットワークの前記キー情報に基づいて、前記３Ｇネットワークの前記キー情報を導出することと、含む、請求項１に記載の通信方法。
【請求項５】
前記ターゲットデバイスは、４Ｇネットワーク内のアクセスネットワークデバイスであり、前記ＡＭＦエンティティによって、前記ターゲットデバイスが位置するネットワークのキー情報を導出することは、
前記ＡＭＦエンティティによって、前記４Ｇネットワークのキー導出パラメータを決定することと、
前記ＡＭＦエンティティによって、前記４Ｇネットワークの前記キー導出パラメータおよび前記ＡＭＦエンティティが位置するネットワークのルートキーに基づいて、前記４Ｇネットワークの前記キー情報を導出することと、を含む、請求項１に記載の通信方法。
【請求項６】
前記ＡＭＦエンティティによって、前記４Ｇネットワークの前記キー導出パラメータおよび前記ＡＭＦエンティティが位置するネットワークのルートキーに基づいて、前記４Ｇネットワークの前記キー情報を導出することは、
前記ＡＭＦエンティティによって、第１のＦＣ、第２の下りリンク非アクセス層カウント、および前記ＡＭＦエンティティが位置する前記ネットワークの前記ルートキーに基づいて、前記４Ｇネットワークの前記キー情報を導出することか、
前記ＡＭＦエンティティによって、第２のＦＣ、第２の下りリンク非アクセス層カウント、および前記ＡＭＦエンティティが配置する前記ネットワークの前記ルートキーに基づいて、前記４Ｇネットワークの前記キー情報を導出することか、
前記ＡＭＦエンティティによって、第２のＦＣ、プリセット値、および前記ＡＭＦエンティティが位置する前記ネットワークの前記ルートキーに基づいて、前記４Ｇネットワークの前記キー情報を導出することか、または
前記ＡＭＦエンティティによって、第２のＦＣ、乱数、および前記ＡＭＦエンティティが位置する前記ネットワークの前記ルートキーに基づいて、前記４Ｇネットワークの前記キー情報を導出すること、を含む、請求項４または５に記載の通信方法。
【請求項７】
前記ＡＭＦエンティティによって、前記４Ｇネットワークの前記キー情報に基づいて、前記３Ｇネットワークの前記キー情報を導出することは、
前記ＡＭＦエンティティによって、前記４Ｇネットワークの前記キー情報、第１のＦＣ、および第２の下りリンク非アクセス層カウントに基づいて、前記３Ｇネットワークの前記キー情報を導出することか、
前記ＡＭＦエンティティによって、前記４Ｇネットワークの前記キー情報、第２のＦＣ、第２の下りリンク非アクセス層カウントに基づいて、前記３Ｇネットワークの前記キー情報を導出することか、
前記ＡＭＦエンティティによって、前記４Ｇネットワークの前記キー情報、第２のＦＣ、およびプリセット値に基づいて、前記３Ｇネットワークの前記キー情報を導出することか、または
前記ＡＭＦエンティティによって、前記４Ｇネットワークの前記キー情報、第２のＦＣ、および乱数に基づいて、前記３Ｇネットワークの前記キー情報を導出すること、を含む、請求項４に記載の通信方法。
【請求項８】
前記ＡＭＦエンティティが位置する前記ネットワークの前記ルートキーは、ＫＡＭＦ、ＫＳＥＡＦ、ＫＡＵＳＦ、および暗号キーＣＫ＋完全性キーＩＫのうちのいずれかである、請求項２〜６のいずれか一項に記載の通信方法。
【請求項９】
当該通信方法は、さらに、
前記ＡＭＦエンティティによって、前記３Ｇネットワークの前記キー情報をモビリティ管理エンティティＭＭＥに送信することか、
前記ＡＭＦエンティティによって、前記３Ｇネットワークの前記キー情報および前記４Ｇネットワークの前記キー情報をモビリティ管理エンティティＭＭＥに送信することか、または
前記ＡＭＦエンティティによって、前記４Ｇネットワークの前記キー情報をモビリティ管理エンティティＭＭＥに送信すること、を含む、請求項１に記載の通信方法。
【請求項１０】
当該通信方法は、さらに、
前記ＡＭＦエンティティによって、移動交換センタＭＳＣエンティティから第２のメッセージを受信することであって、前記第２のメッセージは、前記ＰＳドメインから前記ＣＳドメインへの前記音声サービスのハンドオーバの完了を指示する情報を含む、受信することと、
前記ＡＭＦエンティティによって、前記第２のメッセージに基づいて、非音声サービスのＰＤＮセッションを一時停止または解放することを決定することと、を含む、請求項１〜９のいずれか一項に記載の通信方法。
【請求項１１】
当該通信方法は、さらに、
前記ＡＭＦエンティティによって、設定情報を前記端末に送信することであって、前記設定情報は、前記ＣＳドメインにおいて前記音声サービスの呼が終了したときに、前記端末が優先的にフォールバックするネットワークを指示する情報を含む、送信することを含む、請求項１〜１０のいずれか一項に通信方法。
【請求項１２】
当該通信方法は、さらに、
前記ＡＭＦエンティティによって、前記移動交換センタＭＳＣエンティティに、前記第１のメッセージがニューレディオＮＲまたは前記モビリティ管理エンティティＭＭＥからのものであることを指示する情報を送信することを含む、請求項１〜１０のいずれか一項に通信方法。
【請求項１３】
通信方法であって、
第３のメッセージの受信することと、
前記第３のメッセージが、パケット交換ＰＳドメインから回線交換ＣＳドメインへ音声サービスをハンドオーバするように指示するための情報を含むときに、前記第３のメッセージに基づいて、非音声サービスのＰＤＮセッションを一時停止または解放することを決定することか、または前記第３のメッセージが、非音声サービスを４Ｇネットワークにハンドオーバするように指示するための情報を含むときに、前記第３のメッセージに基づいて、音声サービスのベアラを一時停止するか、もしくはＱＣＩ＝１を有するベアラを一時停止することと、
ターゲットデバイスが位置するネットワークのキー情報を導出することを決定することであって、前記ターゲットデバイスは、３Ｇネットワークおよび／または４Ｇネットワーク内のアクセスネットワークデバイスである、決定することと、を含む通信方法。
【請求項１４】
前記第３のメッセージは、さらに、キー導出パラメータを含み、前記キー導出パラメータは、アクセス及びモビリティ管理機能ＡＭＦエンティティによって決定される、請求項１３に記載の通信方法。
【請求項１５】
当該通信方法は、さらに、
前記３Ｇネットワークの前記キー導出パラメータおよびルートキーに基づいて、前記３Ｇネットワークの前記キー情報を導出することか、または
前記４Ｇネットワークの前記キー導出パラメータおよびルートキーに基づいて、前記４Ｇネットワークの前記キー情報を導出することを含む、請求項１４に記載の通信方法。
【請求項１６】
前記３Ｇネットワークの前記キー導出パラメータおよびルートキーに基づいて、前記３Ｇネットワークの前記キー情報を導出することは、
第１のＦＣ、第１の下りリンク非アクセス層カウント、および前記ルートキーに基づいて、前記３Ｇネットワークの前記キー情報を導出することか、
第１のＦＣ、プリセット値、前記ルートキーに基づいて、前記３Ｇネットワークの前記キー情報を導出することか、または
第１のＦＣ、乱数、前記ルートキーに基づいて、前記３Ｇネットワークの前記キー情報を導出することを含む、請求項１５に記載の通信方法。
【請求項１７】
前記４Ｇネットワークの前記キー導出パラメータおよびルートキーに基づいて、前記４Ｇネットワークの前記キー情報を導出することは、
第１のＦＣ、第２の下りリンク非アクセス層カウント、および前記ルートキーに基づいて、前記４Ｇネットワークの前記キー情報を導出することか、
第２のＦＣ、第２の下りリンク非アクセス層カウント、および前記ルートキーに基づいて、前記４Ｇネットワークの前記キー情報を導出することか、
第２のＦＣ、プリセット値、および前記ルートキーに基づいて、前記４Ｇネットワークの前記キー情報を導出することか、または
第２のＦＣ、乱数、および前記ルートキーに基づいて前記４Ｇネットワークの前記キー情報を導出することを含む、請求項１５に記載の通信方法。
【請求項１８】
前記ルートキーは、ＫＡＭＦ、ＫＳＥＡＦ、ＫＡＵＳＦ、および暗号キーＣＫ＋完全性キーＩＫのうちのいずれかである、請求項１５〜１７のいずれか一項に記載の通信方法。
【請求項１９】
当該通信方法は、さらに、
前記４Ｇネットワークの前記キー情報に基づいて、前記３Ｇネットワークの前記キー情報を導出することを含む、請求項１５に記載の通信方法。
【請求項２０】
前記４Ｇネットワークの前記キー情報に基づいて、前記３Ｇネットワークの前記キー情報を導出することは、
前記４Ｇネットワークの前記キー情報、第１のＦＣ、および第２の下りリンク非アクセス層カウントに基づいて、前記３Ｇネットワークの前記キー情報を導出することか、
前記４Ｇネットワークの前記キー情報、第２のＦＣ、および第２の下りリンク非アクセス層カウントに基づいて、前記３Ｇネットワークの前記キー情報を導出することか、
前記４Ｇネットワークの前記キー情報、第２のＦＣ、およびプリセット値に基づいて、前記３Ｇネットワークの前記キー情報を導出することか、または
前記４Ｇネットワークの前記キー情報、第２のＦＣ、乱数に基づいて、前記３Ｇネットワークの前記キー情報を導出すること、を含む、請求項１９に記載の通信方法。
【請求項２１】
当該通信方法は、さらに、
前記ＡＭＦエンティティから設定情報を受信することであって、前記設定情報は、前記ＣＳドメインにおいて前記音声サービスの呼が終了したときに、前記端末が優先的にフォールバックするネットワークを指示する情報を含む、受信することを含む、請求項１３〜２０のいずれか一項に記載の通信方法。
【請求項２２】
通信方法であって、
第３のメッセージを生成することであって、前記第３のメッセージが、前記ＰＳドメインからＣＳドメインに前記音声サービスをハンドオーバするように指示するための情報を含むときに、前記第３のメッセージが、非音声サービスのＰＤＮセッションを一時停止または解放するように端末に指示するか、または、前記第３のメッセージが、前記ＰＳドメインから４Ｇネットワークにハンドオーバするように指示するための情報を含むときに、前記第３のメッセージが、音声サービスのベアラを一時停止するか、もしくはＱＣＩ＝１を有するベアラを一時停止する、生成することと、
前記第３のメッセージを前記端末に送信することと、を含む通信方法。
【請求項２３】
前記第３のメッセージは、前記ターゲットデバイスが位置するネットワークのキー導出パラメータを含み、前記キー導出パラメータは、前記ＡＭＦエンティティによって決定される、請求項２２に記載の通信方法。
【請求項２４】
請求項１〜１２のいずれか一項に記載の方法を実装するように構成されている、通信装置。
【請求項２５】
請求項１３〜２１のいずれか一項に記載の方法を実装するように構成されている、通信装置。
【請求項２６】
請求項２２または２３に記載の方法を実装するように構成されている、通信装置。
【請求項２７】
請求項２４に記載の通信装置と、請求項２６に記載の通信装置とを含む、通信システム。
【請求項２８】
命令を含むコンピュータ可読記憶媒体であって、前記命令が動作するときに、通信装置が、請求項１〜１２、請求項１３〜２１、または請求項２２および２３のいずれか一項に記載の方法を実装することを可能とする、コンピュータ可読記憶媒体。
【発明の詳細な説明】
【技術分野】
【０００１】
本出願は、２０１８年４月４日に国家知識産権局に出願され、「ＣＯＭＭＵＮＩＣＡＴＩＯＮ  ＭＥＴＨＯＤ  ＡＮＤ  ＣＯＭＭＵＮＡＴＩＯＮＳ  ＡＰＰＡＲＡＴＵＳ」と題する中国特許出願第２０１８１０３０１４１１．２号に対する優先権を主張し、その全体が参照により本明細書に組み込まれる。
【０００２】
本出願は、通信分野に関し、特に、通信方法および通信装置に関する。
【背景技術】
【０００３】
異なる通信ネットワークでは、音声サービスは異なるベアリングメカニズムを有する。具体的には、第２世代（２ｎｄ  ｇｅｎｅｒａｔｉｏｎ、２Ｇ）移動通信技術、第３世代（３ｒｄ  ｇｅｎｅｒａｔｉｏｎ、３Ｇ）移動通信技術を使用したネットワークでは、音声サービスは回線交換（ｃｉｒｃｕｉｔ  ｓｅｒｖｉｃｅ、ＣＳ）ドメインで搬送されるセッションサービスである。ネットワーク技術の開発に伴い、パケット交換（ｐａｃｋｅｔ  ｓｗｉｔｃｈ、ＰＳ）ドメインを提供するいくつかのネットワーク、例えばロング・ターム・エボリューション（ｌｏｎｇ  ｔｅｒｍ  ｅｖｏｌｖｅ、ＬＴＥ）ネットワークも音声サービスをサポートする。
【０００４】
単一無線音声通話連続性（ｓｉｎｇｌｅ  ｒａｄｉｏ  ｖｏｉｃｅ  ｃａｌｌ  ｃｏｎｔｉｎｕｉｔｙ、ＳＲＶＣＣ）は、ロング・ターム・エボリューション（ｌｏｎｇ  ｔｅｒｍ  ｅｖｏｌｕｔｉｏｎ、ＬＴＥ）ネットワークにおける音声サービス連続性を実現するための解決策である。音声サービスを行っている端末がＬＴＥネットワークのカバレッジ外に移動した後に音声サービスが中断されるという問題を回避するために、ＳＲＶＣＣ解決策が使用されて、パケット交換（ｐａｃｋｅｔ  ｓｗｉｔｃｈ、ＰＳ）ドメインから回線交換（ｃｉｒｃｕｉｔ  ｓｗｉｔｃｈ、ＣＳ）ドメインへ音声サービスをハンドオーバすることができ、音声サービスが中断されないことを確保する。
【０００５】
次世代通信ネットワークでは、例えば、第５世代（５ｔｈ  Ｇｅｎｅｒａｔｉｏｎ、５Ｇ）移動通信技術では、音声オーバＩＰマルチメディアサブシステム（ｖｏｉｃｅ  ｏｖｅｒ  ＩＰ  ｍｕｌｔｉｍｅｄｉａ  ｓｕｂｓｙｓｔｅｍ、ＶｏＩＭＳ）技術がサポートされる。音声サービスを行う端末が５Ｇネットワークのカバレッジの外に移動した後の音声サービスの中断を回避するために、言い換えると、音声サービスの連続性をサポートするために、音声サービスが５Ｇネットワークから２Ｇ／３ＧネットワークのＣＳドメインにハンドオーバされる必要がある。
【０００６】
５Ｇネットワークにおける音声サービスの連続性を確保するために、どのように５Ｇネットワークから２Ｇ／３ＧネットワークのＣＳドメインへの音声サービスをハンドオーバするかは、早急に解決される必要がある技術課題となっている。
【発明の概要】
【０００７】
本出願は、ＰＳドメインにおけるベアラからＣＳドメインにおけるベアラに端末の音声サービスがハンドオーバされ、５Ｇネットワークにおける音声サービスの連続性を確保し、ユーザ体験を向上させるための通信方法と通信装置を提供する。
【０００８】
第１の態様によれば、通信方法が提供される。方法は、アクセスおよびモビリティ管理機能ＡＭＦエンティティによって、アクセスネットワークデバイスから第１のメッセージを受信することであって、第１のメッセージは、パケット交換ＰＳドメインから回線交換ＣＳドメインに端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することと、ＡＭＦエンティティによって、ターゲットデバイスが位置するネットワークのキー情報を導出することと、を含む。
【０００９】
本出願の本実施形態の技術的解決策では、ＡＭＦエンティティは、第１メッセージ内のターゲットデバイスの識別子に基づいて、音声サービスがハンドオーバされるネットワークを決定して、ターゲットデバイスが位置するネットワークのキー情報を導出し、音声サービスがＰＳドメインにおけるベアラからターゲットデバイスが位置するネットワークにハンドオーバされることを確実にし、音声サービスの連続性を確保し、ユーザ体験を向上させる。
【００１０】
第１の態様を参照すると、第１の態様のいくつかの実装では、ターゲットデバイスは、３Ｇネットワーク内のアクセスネットワークデバイスであり、ＡＭＦエンティティによって、ターゲットデバイスが位置するネットワークのキー情報を導出することは、ＡＭＦエンティティによって、３Ｇネットワークのキー導出パラメータを決定することと、ＡＭＦエンティティによって、３Ｇネットワークのキー導出パラメータおよびＡＭＦエンティティが位置するネットワークのルートキーに基づいて、３Ｇネットワークのキー情報を導出することと、を含む。
【００１１】
第１の態様を参照すると、第１の態様のいくつかの実装では、ＡＭＦエンティティによって、３Ｇネットワークのキー導出パラメータおよびＡＭＦエンティティが位置するネットワークのルートキーに基づいて、３Ｇネットワークのキー情報を導出することは、
ＡＭＦエンティティによって、第１のＦＣ、第１の下りリンク非アクセス層カウント、およびＡＭＦエンティティが位置するネットワークのルートキーに基づいて、３Ｇネットワークのキー情報を導出することか、
ＡＭＦエンティティによって、第１のＦＣ、プリセット値、およびＡＭＦエンティティが位置するネットワークのルートキーに基づいて、３Ｇネットワークのキー情報を導出することか、または
ＡＭＦエンティティによって、第１のＦＣ、乱数、およびＡＭＦエンティティが位置するネットワークのルートキーに基づいて、３Ｇネットワークのキー情報を導出すること、を含む。
【００１２】
本出願の本実施形態の技術的解決策では、キー導出方式が提供される。具体的には、ＡＭＦエンティティは、３Ｇネットワーク内のアクセスネットワークデバイスの識別子に基づいて、３Ｇネットワークのキー情報を導出するためのキー導出パラメータを決定し、５Ｇネットワークのルートキーおよび３Ｇネットワークのキー導出パラメータに基づいて、３Ｇネットワークのキー情報を導出する。
【００１３】
第１の態様を参照すると、第１の態様のいくつかの実装では、ターゲットデバイスは、３Ｇネットワーク内のアクセスネットワークデバイスであり、ＡＭＦエンティティによって、ターゲットデバイスが位置するネットワークのキー情報を導出することは、
ＡＭＦエンティティによって、４Ｇネットワークのキー導出パラメータを決定することと、
ＡＭＦエンティティによって、４Ｇネットワークのキー導出パラメータおよびＡＭＦエンティティが位置するネットワークのルートキーに基づいて、４Ｇネットワークのキー情報を導出することと、
ＡＭＦエンティティによって、４Ｇネットワークのキー情報に基づいて、３Ｇネットワークの前記キー情報を導出することと、含む。
【００１４】
第１の態様を参照すると、第１の態様のいくつかの実装では、ターゲットデバイスは、４Ｇネットワーク内のアクセスネットワークデバイスであり、ＡＭＦエンティティによって、ターゲットデバイスが位置するネットワークのキー情報を導出することは、
ＡＭＦエンティティによって、４Ｇネットワークのキー導出パラメータを決定することと、
ＡＭＦエンティティによって、４Ｇネットワークのキー導出パラメータおよびＡＭＦエンティティが位置するネットワークのルートキーに基づいて、４Ｇネットワークのキー情報を導出することと、を含む。
【００１５】
第１の態様を参照すると、第１の態様のいくつかの実装では、ＡＭＦエンティティによって、４Ｇネットワークのキー導出パラメータおよびＡＭＦエンティティが位置するネットワークのルートキーに基づいて、４Ｇネットワークのキー情報を導出することは、
ＡＭＦエンティティによって、第１のＦＣ、第２の下りリンク非アクセス層カウント、およびＡＭＦエンティティが位置するネットワークのルートキーに基づいて、４Ｇネットワークのキー情報を導出することか、
ＡＭＦエンティティによって、第２のＦＣ、第２の下りリンク非アクセス層カウント、およびＡＭＦエンティティが配置するネットワークのルートキーに基づいて、４Ｇネットワークのキー情報を導出することか、
ＡＭＦエンティティによって、第２のＦＣ、プリセット値、およびＡＭＦエンティティが位置するネットワークのルートキーに基づいて、４Ｇネットワークのキー情報を導出することか、または
ＡＭＦエンティティによって、第２のＦＣ、乱数、およびＡＭＦエンティティが位置するネットワークのルートキーに基づいて、４Ｇネットワークの前記キー情報を導出すること、を含む。
【００１６】
本出願の本実施形態の技術的解決策では、キー導出方式が提供される。具体的には、ＡＭＦエンティティは、４Ｇネットワーク内のアクセスネットワークデバイスの識別子に基づいて、４Ｇネットワークのキー情報を導出するためのキー導出パラメータを決定し、５Ｇネットワークのルートキーおよび４Ｇネットワークのキー導出パラメータに基づいて、４Ｇネットワークのキー情報を導出する。
【００１７】
第１の態様を参照すると、第１の態様のいくつかの実装では、ＡＭＦエンティティによって、４Ｇネットワークのキー情報に基づいて、３Ｇネットワークのキー情報を導出することは、
ＡＭＦエンティティによって、４Ｇネットワークのキー情報、第１のＦＣ、および第２の下りリンク非アクセス層カウントに基づいて、３Ｇネットワークのキー情報を導出することか、
ＡＭＦエンティティによって、４Ｇネットワークのキー情報、第２のＦＣ、第２の下りリンク非アクセス層カウントに基づいて、３Ｇネットワークのキー情報を導出することか、
ＡＭＦエンティティによって、４Ｇネットワークのキー情報、第２のＦＣ、およびプリセット値に基づいて、３Ｇネットワークのキー情報を導出することか、または
ＡＭＦエンティティによって、４Ｇネットワークのキー情報、第２のＦＣ、および乱数に基づいて、３Ｇネットワークのキー情報を導出すること、を含む。
【００１８】
本出願の本実施形態の技術的解決策では、キー導出方式が提供される。具体的には、ＡＭＦエンティティは、３Ｇネットワーク内のアクセスネットワークデバイスの識別子、４Ｇネットワークの導出されたキー情報、および３Ｇネットワークのキー導出パラメータに基づいて、３Ｇネットワークのキー情報を導出する。第１の態様を参照すると、第１の態様のいくつかの実装では、ＡＭＦエンティティによって、４Ｇネットワークのキー情報に基づいて、３Ｇネットワークのキー情報を導出することは、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、およびプリセット値に基づいて、３Ｇネットワークのキー情報を導出することか、または
ＡＭＦエンティティによって、４Ｇネットワークのキー情報、第３のＦＣ、および乱数に基づいて、３Ｇネットワークのキー情報を導出すること、を含む。
【００１９】
４Ｇネットワークのキー情報に基づいて、３Ｇネットワークのキー情報を導出するために使用されるキー導出パラメータは、５Ｇネットワークのキーに基づいて、４Ｇネットワークまたは３Ｇネットワークのキー情報を導出するために使用されるキー導出パラメータと同じであってもよく、５Ｇネットワークのキーに基づいて、４Ｇネットワークまたは３Ｇネットワークのキー情報を導出するために使用されるキー導出パラメータとは異なってもよいと留意されたい。キー導出パラメータは、第１のＦＣ、第２のＦＣ、第３のＦＣ、第１の下りリンク非アクセス層の値、第２の下りリンク非アクセス層の値、プリセット値、および乱数などのパラメータを含む。
【００２０】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願のキー導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【００２１】
第１の態様を参照すると、第１の態様のいくつかの実施態様では、通信方法は、さらに、
ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかである。
【００２２】
第１の態様を参照すると、第１の態様のいくつかの実施態様では、通信方法は、さらに、
ＡＭＦエンティティによって、３Ｇネットワークのキー情報をモビリティ管理エンティティＭＭＥに送信することか、
ＡＭＦエンティティによって、３Ｇネットワークのキー情報および４Ｇネットワークのキー情報をモビリティ管理エンティティＭＭＥに送信することか、または
ＡＭＦエンティティによって、４Ｇネットワークのキー情報をモビリティ管理エンティティＭＭＥに送信すること、を含む。
【００２３】
本出願の実施形態において、ＭＭＥエンティティは、ＡＭＦエンティティとＭＳＣエンティティとの間でメッセージを転送するためのネットワークデバイスとして機能し得ることに留意されたい。例えば、ＡＭＦエンティティは、ＭＭＥエンティティを介してＭＳＣエンティティにキー情報を送信するか、またはＡＭＦエンティティは、ＭＭＥエンティティを介してハンドオーバ要求メッセージを送信する。
【００２４】
いくつかの可能な実装では、ＡＭＦエンティティが、ターゲットデバイスが位置するネットワークのキー情報を導出し、３Ｇネットワーク内のＭＳＣエンティティにキー情報を送信する方式は、以下の方式のいずれかを含むが、これらに限定されない。
【００２５】
方式１：
【００２６】
端末が５Ｇネットワークから３Ｇネットワークへの音声サービスのハンドオーバをサポートし、ＡＭＦエンティティと移動交換センタＭＳＣエンティティとの間にインターフェースがあるときに、ＡＭＦエンティティは、３Ｇネットワークのキー情報を取得するか、または３Ｇネットワークのキー情報として５Ｇネットワークにおける端末のＣＫおよびＩＫを使用し、３Ｇネットワークのキー情報をＭＳＣエンティティに直接送信する。
【００２７】
方式２：
【００２８】
端末が５Ｇネットワークから３Ｇネットワークへの音声サービスのハンドオーバをサポートし、ＡＭＦエンティティとＭＳＣエンティティとの間にインターフェースがないときに、ＡＭＦエンティティは、３Ｇネットワークのキー情報を取得し、３Ｇネットワークの導出されたキー情報をＭＭＥエンティティを介してＭＳＣエンティティに転送する。
【００２９】
方式３：
【００３０】
端末が５Ｇネットワークから３Ｇネットワークへの音声サービスのハンドオーバをサポートしないときに、ＡＭＦエンティティは、４Ｇネットワークのキー情報を導出し、４Ｇネットワークのキー情報をＭＭＥエンティティに送信し、ＭＭＥエンティティは、４Ｇネットワークのキー情報に基づいて、３Ｇネットワークのキー情報を取得するか、または４Ｇネットワークのキー情報から３Ｇネットワークのキー情報を抽出し、３Ｇネットワークの導出されたキー情報をＭＳＣエンティティに送信する。
【００３１】
方式４：
【００３２】
端末が５Ｇネットワークから３Ｇネットワークへの音声サービスのハンドオーバをサポートしないときに、ＡＭＦエンティティは、３Ｇネットワークのキー情報および４Ｇネットワークのキー情報を導出し、３Ｇネットワークのキー情報および４Ｇネットワークのキー情報をＭＭＥエンティティに送信し、５Ｇネットワークから４Ｇネットワークへの非音声サービスまたは非ＧＢＲ  （Ｇｕａｒａｎｔｅｅｄ  Ｂｉｔ  Ｒａｔｅ、ｇｕａｒａｎｔｅｅｄ  ｂｉｔ  ｒａｔｅ）ベアラの一部または全てのハンドオーバを完了した後、ＭＭＥエンティティは、ＡＭＦエンティティによって導出された３Ｇネットワークのキー情報をＭＳＣエンティティに送信する。
【００３３】
第１の態様を参照すると、第１の態様のいくつかの実装では、通信方法は、さらに、
ＡＭＦエンティティによって、移動交換センタＭＳＣエンティティから第２のメッセージを受信することであって、第２のメッセージは、ＰＳドメインからＣＳドメインへの音声サービスのハンドオーバが完了したことを指示する情報を含む、受信することと、
ＡＭＦエンティティによって、第２のメッセージに基づいて、非音声サービスまたは非ＧＢＲベアラのＰＤＮセッションを一時停止または解放することを決定することと、を含む。
【００３４】
第１の態様を参照すると、第１の態様のいくつかの実施態様では、通信方法は、さらに、
ＡＭＦエンティティにより、設定情報を端末に送信することであって、設定情報は、ＣＳドメインにおいて音声サービスの呼が終了したときに、端末が優先的にフォールバックするネットワークを指示する情報を含む。
【００３５】
任意で、本出願は、キー導出の実装を提供し、本実装は、本出願のすべてのシナリオに適用可能である。
【００３６】
ＡＭＦエンティティは、最初に４Ｇネットワークのキー情報を取得し、次いで、４Ｇネットワークのキー情報に基づいて３Ｇネットワークのキー情報を導出し、３Ｇネットワークの導出されたキー情報をＭＭＥエンティティまたはＭＳＣエンティティに送信する。
【００３７】
５Ｇネットワークのルートキー情報に基づいて、４Ｇキーを導出するための入力パラメータは、以下のパラメータのうちの少なくとも１つを含む。つまり、第１のＦＣ、第２のＦＣ、第１の下りリンク非アクセス層カウント、第２の下りリンク非アクセス層カウント、第２のプリセット値、第１のプリセット値、第１の乱数、または第２の乱数である。４ＧキーはＫＡＳＭＥであってもよい。
【００３８】
４Ｇネットワークの導出されたキー情報に基づいて、３Ｇキーを導出するための入力パラメータは、以下のパラメータのうちの少なくとも１つを含む。つまり、第１のＦＣ、第２のＦＣ、第３のＦＣ、第１の下りリンク非アクセス層カウント、第２の下りリンク非アクセス層カウント、第３の下りリンク非アクセス層カウント、第３のプリセット値、第２のプリセット値、第１のプリセット値、第１の乱数、第２の乱数、または第３の乱数である。
【００３９】
例えば、第１のＦＣ、第１の下りリンク非アクセス層カウント、第１の乱数、または第１のプリセット値は、ＡＭＦエンティティが、５Ｇネットワークのルートキーに基づいて、３Ｇネットワークのキー情報を導出するために使用されてもよい。
【００４０】
例えば、第２のＦＣ、第２の下りリンク非アクセス層カウント、第２の乱数、または第２のプリセット値は、ＡＭＦエンティティが、５Ｇネットワークのルートキーに基づいて、４Ｇネットワークのキー情報を導出するために使用されてもよい。
【００４１】
例えば、第３のＦＣ、第３の下りリンク非アクセス層カウント、第３の乱数、または第３のプリセット値は、ＡＭＦエンティティが、４Ｇネットワークのルートキーに基づいて、３Ｇネットワークのキー情報を導出するために使用されてもよい。
【００４２】
任意で、４Ｇネットワークは、ＡＭＦエンティティによって生成されたハンドオーバ要求メッセージを転送するために使用される。
【００４３】
任意の実装では、メッセージは、パケット交換ＰＳドメインから回線交換ＣＳドメインに端末の音声サービスをハンドオーバするように指示するための情報フィールドを含み、情報ファイルドは、ＭＭＥエンティティのための透明コンテナである。３Ｇネットワークのキー情報は、このフィールドで搬送される。この場合、メッセージは、ＡＭＦエンティティを再利用することによって、かつ音声サービスを４Ｇシステムにハンドオーバするために送信される要求メッセージであり、情報を搬送するためにメッセージに送信元が追加される。この実装では、ＭＭＥエンティティはわずかに影響を受け、識別と転送のみを必要とする。
【００４４】
任意の実装では、ＡＭＦエンティティおよびＭＭＥエンティティは、ＡＭＦエンティティによって生成されたメッセージを送信するために使用されるメッセージを定義する。メッセージは、パケット交換ＰＳドメインから回線交換ＣＳドメインへの端末の音声サービスのハンドオーバを要求するために使用される。この実装では、新しいメッセージが定義される必要があり、４ＧネットワークへのハンドオーバのためにＡＭＦエンティティによって送信される要求メッセージは影響されない。
【００４５】
ＭＭＥエンティティは、メッセージまたは情報を受信した後、メッセージまたは情報をデフォルトまたは事前設定されたアンカーＭＳＣデバイス、またはメッセージに示されたアンカーＭＳＣデバイスに転送する。
【００４６】
第２の態様によれば、通信方法が提供される。通信方法は、第３のメッセージを受信することと、第３のメッセージが、パケット交換ＰＳドメインから回線交換ＣＳドメインへ音声サービスをハンドオーバするように指示するための情報を含む場合、第３のメッセージに基づいて、非音声サービスのＰＤＮセッションを一時停止または解放することを決定することか、または第３のメッセージが、非音声サービスまたはいくつかの非ＧＢＲベアラを４Ｇネットワークにハンドオーバするように指示するための情報を含む場合、第３のメッセージに基づいて、音声サービスのベアラを一時停止するか、もしくはＱＣＩ＝１を有するベアラもしくはＧＢＲベアラを一時停止することを決定することと、
ターゲットデバイスが位置するネットワークのキー情報を導出することを決定することであって、ターゲットデバイスが３Ｇネットワークおよび／または４Ｇネットワーク内のアクセスネットワークデバイスである、決定することと、を含む。
【００４７】
本出願の本実施形態の技術的解決策では、端末は、受信された第３のメッセージに基づいて、端末の音声サービスまたは非音声サービスを処理し、ＰＳドメインにおけるベアラからＣＳドメインにおけるベアラへ音声サービスをハンドオーバして、音声サービスの連続性を確保し、ユーザ体験を向上させる。
【００４８】
第２の態様を参照すると、第２の態様のいくつかの実装では、第３のメッセージは、さらに、キー導出パラメータを含み、キー導出パラメータは、アクセスおよびモビリティ管理機能ＡＭＦエンティティによって決定される。
【００４９】
第２の態様を参照すると、第２の態様のいくつかの実装では、通信方法は、さらに、
３Ｇネットワークのキー導出パラメータおよびルートキーに基づいて、３Ｇネットワークのキー情報を導出することか、または
４Ｇネットワークのキー導出パラメータおよびルートキーに基づいて、４Ｇネットワークのキー情報を導出すること、を含む。
【００５０】
第２の態様を参照すると、第２の態様のいくつかの実装では、３Ｇネットワークのキー導出パラメータおよびルートキーに基づいて、３Ｇネットワークのキー情報を導出することは、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出すること、を含む。
【００５１】
本出願の本実施形態の技術的解決策では、キー導出方式が提供される。具体的には、ＡＭＦエンティティは、３Ｇネットワーク内のアクセスネットワークデバイスの識別子に基づいて、３Ｇネットワークのキー情報を導出するためのキー導出パラメータを決定し、５Ｇネットワークのルートキーおよび３Ｇネットワークのキー導出パラメータに基づいて、３Ｇネットワークのキー情報を導出する。
【００５２】
第２の態様を参照すると、第２の態様のいくつかの実装では、４Ｇネットワークのキー導出パラメータおよびルートキーに基づいて、４Ｇネットワークのキー情報を導出することは、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出すること、を含む。
【００５３】
本出願の本実施形態の技術的解決策では、キー導出方式が提供される。具体的には、ＡＭＦエンティティは、４Ｇネットワーク内のアクセスネットワークデバイスの識別子に基づいて、４Ｇネットワークのキー情報を導出するためのキー導出パラメータを決定し、５Ｇネットワークのルートキーおよび４Ｇネットワークのキー導出パラメータに基づいて、４Ｇネットワークのキー情報を導出する。
【００５４】
３Ｇネットワークのキーを導出するためのプリセット値は、４Ｇのキーを導出するためのプリセット値と同じか、または異なると留意されたい。３Ｇネットワークのキーを導出するための乱数は、４Ｇのキーを導出するための乱数と同じか、または異なる。
【００５５】
第２の態様を参照すると、第２の態様のいくつかの実装では、ルートキーは、ＫＡＭＦ、ＫＳＥＡＦ、uＫＡＵＳＦ、および暗号キーＣＫ＋完全性キーＩＫうちのいずれかである。
【００５６】
第２の態様を参照すると、第２の態様のいくつかの実装では、通信方法は、さらに、
４Ｇネットワークのキー情報に基づいて、３Ｇネットワークのキー情報を導出することを含む。
【００５７】
第２の態様を参照すると、第２の態様のいくつかの実装では、４Ｇネットワークのキー情報に基づいて、３Ｇネットワークのキー情報を導出することは、
４Ｇネットワークのキー情報、第１のＦＣ、および第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出すること、を含む。
【００５８】
第１の態様を参照すると、第１の態様のいくつかの実装では、ＡＭＦエンティティによって、４Ｇネットワークのキー情報に基づいて、３Ｇネットワークのキー情報を導出することは、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、およびプリセット値に基づいて、３Ｇネットワークのキー情報を導出することか、または
ＡＭＦエンティティによって、４Ｇネットワークのキー情報、第３のＦＣ、および乱数に基づいて、３Ｇネットワークのキー情報を導出すること、を含む。
【００５９】
本出願の本実施形態の技術的解決策では、キー導出方式が提供される。具体的には、ＡＭＦエンティティは、３Ｇネットワーク内のアクセスネットワークデバイスの識別子、４Ｇネットワークの導出されたキー情報、および３Ｇネットワークのキー導出パラメータに基づいて、３Ｇネットワークのキー情報を導出する。
【００６０】
４Ｇネットワークのキー情報に基づいて、３Ｇネットワークのキー情報を導出するために使用されるキー導出パラメータは、３Ｇネットワークのキー情報を導出するために使用されるキー導出パラメータと同じであってもよく、３Ｇネットワークのキー情報を導出するために使用されるキー導出パラメータとは異なってもよいと留意されたい。キー導出パラメータは、第１のＦＣ、第２のＦＣ、第３のＦＣ、第１の下りリンク非アクセス層カウント、第２の下りリンク非アクセス層カウント、プリセット値、および乱数などのパラメータを含む。
【００６１】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【００６２】
第２の態様を参照すると、第２の態様のいくつかの実装では、通信方法は、さらに、
ＡＭＦエンティティから設定情報を受信し、設定情報は、ＣＳドメインにおいて音声サービスの呼が終了したときに、端末が優先的にフォールバックするネットワークを指示する情報を含む。
【００６３】
第３の態様によれば、通信方法が提供される。通信方法は、アクセスネットワークデバイスによって、第３のメッセージを生成することと、第３のメッセージが、ＰＳドメインからＣＳドメインへ音声サービスをハンドオーバするように指示するための情報を含む場合、非音声サービスのＰＤＮセッションを一時停止または解放するように端末を指示することか、または第３のメッセージが、ＰＳドメインから４Ｇネットワークへハンドオーバするように指示するための情報を含む場合、音声サービスのべアラを一時停止するように、もしくはＱＣＩ＝１を有するベアラを一時停止するように端末に指示することと、
アクセスネットワークデバイスによって、第３のメッセージを端末に送信することと、を含む。
【００６４】
本出願の本実施形態の技術的解決策では、アクセスネットワークデバイスは、第３のメッセージを生成し、第３のメッセージを端末に送信する。端末は、第３のメッセージに含まれる指示情報に従って、音声サービスまたは非音声サービスを一時停止して、ＰＳドメインにおけるベアラからＣＳドメインにおけるベアラに音声サービスがハンドオーバされることを確実し、音声サービスの連続性を確保し、ユーザ体験を向上させる。
【００６５】
第３の態様を参照すると、第３の態様のいくつかの実装では、第３のメッセージは、ターゲットデバイスが位置するネットワークのキー導出パラメータを含み、キー導出パラメータはＡＭＦエンティティによって決定される。
【００６６】
第４の態様によれば、通信方法が提供される。通信方法は、アクセスおよびモビリティ管理機能ＡＭＦエンティティによって、移動交換センタＭＳＣエンティティによって送信された第２のメッセージを受信することであって、第２のメッセージは、パケット交換ＰＳドメインから回線交換ＣＳドメインへの端末の音声サービスのハンドオーバが完了したことを指示するために使用される、受信することと、
ＡＭＦエンティティによって、第２のメッセージに基づいて、非音声サービスまたは非ＧＢＲベアラのＰＤＮセッションを一時停止または解放することを決定することと、を含む。
【００６７】
第４の態様を参照すると、第４の態様のいくつかの実装において、通信方法は、さらに、ＡＭＦエンティティによって、ＣＳドメインネットワークのキー情報を導出することであって、キー情報は、暗号キー、完全性保護キー、または暗号キーと完全性保護キーを含む、導出することを含む。
【００６８】
第４の態様を参照すると、第４の態様のいくつかの実装において、ＡＭＦエンティティによって、ＣＳドメインネットワークのキー情報を導出することは、ＡＭＦエンティティによって、キー導出パラメータを決定することと、ＡＭＦエンティティによって、キー導出パラメータおよびルートキーに基づいて、ＣＳドメインネットワークのキー情報を導出することであって、ルートキーは、ＫＡＭＦ、ＫＳＥＡＦ、ＫＡＵＳＦ、および暗号キーＣＫ＋完全性キーＩＫのうちのいずれかを含む、導出することと、を含む。
【００６９】
第４の態様を参照すると、第４の態様のいくつかの実装において、通信方法は、さらに、ＡＭＦエンティティによって、設定情報を端末に送信することであって、設定情報は、ＣＳドメインにおいて音声サービスの呼が終了したときに、端末が優先的にフォールバックするネットワークを指示する情報を含む、送信することを含む。
【００７０】
第５の態様によれば、通信装置が提供される。装置は、第１の態様または第１の態様の可能な実装のうちのいずれかに従って、通信方法を実装するように構成されているモジュール、コンポーネント、または回路を含む。
【００７１】
第６の態様によれば、通信装置が提供される。装置は、第２の態様または第２の態様の可能な実装のうちのいずれかに従って、通信方法を実装するように構成されているモジュール、コンポーネント、または回路を含む。
【００７２】
第７の態様によれば、通信装置が提供される。装置は、第３の態様または第３の態様の可能な実装のうちのいずれかに従って、通信方法を実装するように構成されているモジュール、コンポーネント、または回路を含む。
【００７３】
第８の態様によれば、通信装置が提供される。装置は、第１の態様〜第４の態様まで、または第１の態様〜第４の態様の可能な実装のうちのいずれかに従って、通信方法を行うように構成されているプロセッサおよびトランシーバを含む。
【００７４】
第９の態様によれば、チップが提供される。チップは、第１の態様〜第４の態様、または第１の態様〜第４の態様の可能な実装のうちのいずれかに従って、通信方法を行うように構成されているプロセッサおよびトランシーバを含む。
【００７５】
第１０の態様によれば、コンピュータ可読記憶媒体が提供される。コンピュータ可読記憶媒体は、命令を含む。命令が通信装置上で動作するときに、通信装置は、第１の態様〜第４の態様、または第１の態様〜第４の態様の可能な実装のうちのいずれかに従って、通信方法を実装することが可能となる。
【００７６】
第１１の態様によれば、コンピュータプログラムが提供される。コンピュータプログラムが通信装置上で動作するときに、通信装置は、第１の態様〜第４の態様、または第１の態様〜第４の態様の可能な実装のうちのいずれかに従って、通信方法を実装することが可能となる。
【図面の簡単な説明】
【００７７】
【図１】本出願の実施形態において適用され得る通信システムの概略図である。
【図２】本出願の実施形態による通信方法のアプリケーションシナリオの概略図である。
【図３】本出願の別の実施形態による通信方法のアプリケーションシナリオの概略図である。
【図４】本出願の実施形態による通信方法の概略相互作用図である。
【図５Ａ】本出願の別の実施形態による通信方法の概略相互作用図である。
【図５Ｂ】本出願の別の実施形態による通信方法の概略相互作用図である。
【図６Ａ】本出願のさらに別の実施形態による通信方法の概略相互作用図である。
【図６Ｂ】本出願のさらに別の実施形態による通信方法の概略相互作用図である。
【図７】本出願の実施形態による通信装置の概略ブロック図である。
【図８】本出願の別の実施形態による通信装置の概略ブロック図である。
【図９】本出願のさらに別の実施形態による通信装置の概略ブロック図である。
【図１０】本出願のさらに別の実施形態による通信装置の概略構造図である。
【発明を実施するための形態】
【００７８】
以下、添付の図面を参照して、本出願の技術的解決策を説明する。
【００７９】
本出願で使用される「コンポーネント」、「モジュール」、「システム」などの用語は、コンピュータ関連エンティティ、ハードウェア、ファームウェア、ハードウェアとソフトウェアの組み合わせ、ソフトウェア、または実行中のソフトウェアを指示するために使用される。例えば、コンポーネントは、プロセッサ上で動作するプロセス、プロセッサ、オブジェクト、実行可能ファイル、実行スレッド、プログラム、および／またはコンピュータであってもよいが、これらに限定されない。図に示されているように、コンピューティングデバイスおよびコンピューティングデバイス上で動作するアプリケーションの両方が、コンポーネントであってもよい。１つ以上のコンポーネントは、プロセスおよび／または実行スレッド内に存在してもよく、コンポーネントは、１つのコンピュータ上に位置してもよく、および／または、２つ以上のコンピュータ間で分散されていてもよい。追加的に、これらのコンポーネントは、種々のデータ構造を記憶する様々なコンピュータ可読媒体から実行されてもよい。例えば、コンポーネントは、ローカルおよび／またはリモートプロセスを行うことによって通信し、例えば、１つ以上のデータパケット（例えば、ローカルシステム、分散システム内の別のコンポーネントと相互作用する２つのコンポーネントからのデータ、および／または、信号を使用することによって別のシステムと相互作用するインターネットなどのネットワークを介したデータ）を有する信号に基づいて通信してもよい。
【００８０】
本出願の実施形態における方式、事例、タイプ、および実施形態の分割は、単に説明を容易にするためであるが、いかなる特別な限定を構成すべきではなく、矛盾がないときには、様々な方式、事例、および実施形態における特徴が組み合わせられてもよいと理解されたい。
【００８１】
さらに、本出願の実施態様において、「第１」、「第２」、および「第３」などは、単に異なるオブジェクトを指示することを意図されており、示されたオブジェクトに対する他の限定を示さないと理解されたい。
【００８２】
本出願の実施形態の技術的解決策は、移動通信のためのグローバルシステム（ｇｌｏｂａｌ  ｓｙｓｔｅｍ  ｏｆ  ｍｏｂｉｌｅ  ｃｏｍｍｕｎｉｃａｔｉｏｎ、ＧＳＭ）システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システム、一般パケット無線サービス（ｇｅｎｅｒａｌ  ｐａｃｋｅｔ  ｒａｄｉｏ  ｓｅｒｖｉｃｅ、ＧＰＲＳ）、ロング・ターム・エボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、マイクロ波アクセスのための世界的相互運用性（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）システム、発展型パケットシステム（ｅｖｏｌｖｅｄ  ｐａｃｋｅｔ  ｓｙｓｔｅｍ、ＥＰＳ）、将来の第５世代（５ｔｈ  ｇｅｎｅｒａｔｉｏｎ、５Ｇ）システム、またはニュー・ラジオ（ｎｅｗ  ｒａｄｉｏ、ＮＲ）システムなどの様々な通信システムに適用されてもよい。
【００８３】
本出願の実施形態における端末装置は、ユーザ機器、アクセス端末、加入者ユニット、加入者局、移動局、遠隔局、遠隔端末、移動デバイス、ユーザ端末、端末、無線通信デバイス、ユーザエージェント、またはユーザ装置であってもよい。代替的に、端末装置は、携帯電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、コンピューティングデバイス、無線モデムに接続された別の処理デバイス、車載型デバイス、ウェアラブルデバイス、５Ｇネットワーク内の端末装置、または将来発展した公衆陸上移動ネットワーク（ｐｕｂｌｉｃ  ｌａｎｄ  ｍｏｂｉｌｅ  ｎｅｔｗｏｒｋ、ＰＬＭＮ）内の端末装置であってもよい。これは、本出願の実施態様において限定されない。
【００８４】
本出願の実施形態における基地局は、端末装置と通信するように構成されているデバイスであってもよい。基地局は、例えば、移動通信のためのグローバルシステム（ｇｌｏｂａｌ  ｓｙｓｔｅｍ  ｏｆ  ｍｏｂｉｌｅ  ｃｏｍｍｕｎｉｃａｔｉｏｎ、ＧＳＭ）または符号分割多元接続（ｃｏｄｅ  ｄｉｖｉｓｉｏｎ  ｍｕｌｔｉｐｌｅ  ａｃｃｅｓｓ、ＣＤＭＡ）システムにおけるベーストランシーバ局（ｂａｓｅ  ｔｒａｎｓｃｅｉｖｅｒ  ｓｔａｔｉｏｎ、ＢＴＳ）であってもよく、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システムにおけるＮｏｄｅＢ  （ＮｏｄｅＢ、ＮＢ）であってもよく、ＬＴＥシステムにおける発展型ＮｏｄｅＢ  （ｅｖｏｌｕｔｉｏｎａｌ  ｎｏｄｅＢ、ｅＮＢまたはｅＮｏｄｅＢ）であってもよく、クラウド無線アクセスネットワーク（ｃｌｏｕｄ  ｒａｄｉｏ  ａｃｃｅｓｓ  ｎｅｔｗｏｒｋ、ＣＲＡＮ）シナリオにおける無線コントローラであってもよい。これは、本出願の実施態様において限定されない。
【００８５】
本出願の実施形態におけるネットワーク要素は、５Ｇシステムアーキテクチャおよび／または４Ｇシステムアーキテクチャにおけるネットワークデバイスを含んでもよい。例えば、ネットワーク要素は、アクセスおよび移動管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）エンティティ、モビリティ管理エンティティ（ｍｏｂｉｌｉｔｙ  ｍａｎａｇｅｍｅｎｔ  ｅｎｔｉｔｙ、ＭＭＥ）、移動交換センタ（ｍｏｂｉｌｅ  ｓｗｉｔｃｈｉｎｇ  ｃｅｎｔｅｒ、ＭＳＣ）エンティティ、セッション管理機能（ｓｅｓｓｉｏｎ  ｍａｎａｇｅｍｅｎｔ  ｆｕｎｃｔｉｏｎ、ＳＭＦ）エンティティ、統一データ管理（ｕｎｉｆｉｅｄ  ｄａｔａ  ｍａｎａｇｅｍｅｎｔ、ＵＤＭ）エンティティ、ポリシー制御機能（ｐｏｌｉｃｙ  ｃｏｎｔｒｏｌ  ｆｕｎｃｔｉｏｎ、ＰＣＦ）エンティティ、ポリシーおよび課金規則機能（ｐｏｌｉｃｙ  ａｎｄ  ｃｈａｒｇｉｎｇ  ｒｕｌｅ  ｆｕｎｃｔｉｏｎ、ＰＣＲＦ）エンティティ、パケットデータネットワーク（ｐａｃｋｅｔ  ｄａｔａ  ｎｅｔｗｏｒｋ、ＰＤＮ）、パケットデータユニット（ｐａｃｋｅｔ  ｄａｔａ  ｕｎｉｔ、ＰＤＵ）、制御プレーンゲートウェイ（ＰＤＮ  ｇａｔｅｗａｙ−ｃｏｎｔｒｏｌ  ｐｌａｎｅ、ＰＧＷ−Ｃ）、ユーザプレーンゲートウェイ（ＰＤＮ  ｇａｔｅｗａｙ−ｕｓｅｒ  ｐｌａｎｅ、ＰＧＷ−Ｕ）、ホーム加入者サーバ（ｈｏｍｅ  Ｓｕｂｓｃｒｉｂｅｒ  Ｓｅｒｖｅｒ、ＨＳＳ）、アプリケーション機能（ａｐｐｌｉｃａｔｉｏｎ  ｆｕｎｃｔｉｏｎ、ＡＦ）エンティティ等を含んでもよい。
【００８６】
以下、図１〜図３を参照して、本出願の実施形態のアプリケーション環境を説明する。図１〜図３は、それぞれ本出願の実施形態における可能なシステムアーキテクチャ１００〜３００の概略図である。図１は、本出願の実施形態において適用される通信システム１００を示す。図２は、ＡＭＦエンティティと３Ｇネットワーク内の移動交換センタ（ｍｏｂｉｌｅ  ｓｗｉｔｃｈｉｎｇ  ｃｅｎｔｅｒ、ＭＳＣ）エンティティとの間に直接インターフェースがあるときに、５Ｇシステムにおける音声サービスのハンドオーバの通信アーキテクチャ図である。図３は、ＡＭＦエンティティとＭＳＣエンティティとの間に直接インターフェースがないときに、５Ｇシステムにおける音声サービスのハンドオーバの通信アーキテクチャ図である。
【００８７】
図１は、本出願の実施形態において適用される通信システム１００を示す。通信システム１００は、少なくとも１つの端末１１０、アクセスネットワークデバイス１２０、およびコアネットワークデバイス１３０を含んでもよい。いくつかの可能な設計において、複数の端末１１０は、サービス特徴に基づいてグループ化されてもよい。アクセスネットワークデバイス１２０は、端末１１０と通信するデバイス、例えば、基地局または基地局コントローラであってもよい。コアネットワークデバイス１３０は、端末のための接続を提供し、端末を管理し、サービスを担う機能を有し、外部ネットワークに対するインターフェースを提供するベアラネットワークとして機能する。
【００８８】
図２は、ＡＭＦエンティティとＭＳＣエンティティとの間に直接インターフェースがあるときに、５Ｇシステムにおける音声サービスのハンドオーバの通信アーキテクチャ図である。ＡＭＦエンティティは、ユーザの登録管理、到達可能性管理、モビリティ管理、ページング管理、アクセス認証および認可、非アクセス層シグナリングについての暗号化および完全性保護などを主に含む、ユーザのアクセスおよびモビリティ管理を提供するように構成されている。
【００８９】
図２に示すように、ＡＭＦエンティティとＭＳＣエンティティとの間には、直接インターフェースがある。端末がＳＲＶＣＣをサポートする場合、端末が、第５世代通信システムにおいて音声サービスを行うときに、端末が５Ｇネットワークのカバレッジの外に移動した後、音声サービスが５Ｇネットワークから３Ｇネットワークに直接ハンドオーバされて、音声サービスの連続性を確保することができる。
【００９０】
図３は、ＡＭＦエンティティとＭＳＣエンティティとの間に直接インターフェースがないときに、５Ｇシステムにおける音声サービスのハンドオーバの通信アーキテクチャ図である。
【００９１】
図３に示すように、ＡＭＦエンティティとＭＳＣエンティティとの間には直接的なインターフェースはない。端末がＳＲＶＣＣをサポートする場合、端末が、第５世代通信システムにおいて音声サービスを行うときに、端末が５Ｇネットワークの外に移動した後、音声サービスが３Ｇネットワークにハンドオーバされるように、音声サービスがＭＭＥエンティティを介して音声サービスを転送される必要がある。
【００９２】
ＭＭＥエンティティは、ユーザのモビリティ管理に使用される。例えば、ユーザのモビリティ管理は、ユーザのアタッチ管理、到達可能性管理、モビリティ管理、ページング管理、アクセス認証および認可、非アクセス層シグナリングについての暗号化および完全性保護などを主に含む。
【００９３】
代替的には、５Ｇ  ＮＲネットワーク内の端末が３ＧネットワークのＣＳドメインへのＳＲＶＣＣをサポートしない場合、端末が第５世代通信システムにおいて音声サービスを行うときに、端末が５Ｇネットワークのカバレッジの外に移動した後、５Ｇネットワークの音声サービスは、最初にＬＴＥネットワークにハンドオーバされ、次いで、音声サービスは、ＬＴＥネットワークから３Ｇネットワークにハンドオーバされる。言い換えると、ＭＭＥが音声サービスハンドオーバ中に音声サービスを転送し、音声サービスが５Ｇネットワークから３Ｇネットワークにハンドオーバされるようにして、音声サービスの連続性を確保する。
【００９４】
本出願の実施形態では、５Ｇシステム内のＡＭＦエンティティと３Ｇシステム内のＭＳＣエンティティとの間の異なるアーキテクチャに基づいて、通信方法が提案される。通信方法に従って、音声サービスは、ネットワーク要件に基づいて、５Ｇシステムと３Ｇシステムとの間でハンドオーバされて、音声サービスの連続性を確保し、ユーザ体験を向上させることができる。
【００９５】
前述のシナリオ説明に基づいて、本出願は、本出願の前述のシナリオすべてに適用可能な、キー情報を導出する実装を提供する。キー情報は、３ＧネットワークのＣＳドメインの暗号化、完全性保護、または暗号化および完全性保護を行うために使用される。
【００９６】
本出願の実施形態では、ＡＭＦエンティティは、最初に４Ｇネットワークのキー情報を取得し、次いで、４Ｇネットワークのキー情報に基づいて、３Ｇネットワークのキー情報を取得し、３Ｇネットワークの導出されたキー情報をＭＭＥエンティティまたはＭＳＣエンティティに送信することができる。
【００９７】
本出願の実施態様では、キーまたはキー導出を導出することは、入力パラメータに基づいて、キーを取得することを意味すると理解されよう。
【００９８】
５Ｇネットワークのルートキー情報に基づいて４Ｇネットワークのキー情報を導出するための入力パラメータは、第１のＦＣ、第２のＦＣ、第１の下りリンク非アクセス層カウント、第２の下りリンク非アクセス層カウント、第２のプリセット値、第１のプリセット値、第１の乱数、または第２の乱数のうちの少なくとも１つを含む。４Ｇネットワークのキー情報は、ＫＡＳＭＥであってもよいし、ＣＫ｜｜ＩＫに基づいて導出されたキー情報であってもよい。
【００９９】
本出願の実施形態では、機能コード（ｆｕｎｃｔｉｏｎ  ｃｏｄｅ、ＦＣ）は、キー情報が導出されるときに、異なる機能に基づいて使用される入力パラメータとして理解され得ると留意されたい。
【０１００】
第１のＦＣは、３Ｇネットワークのキー情報が５Ｇネットワークのルートキーに基づいて導出されるときの機能コードであってもよく、第２のＦＣは、４Ｇネットワークのキー情報が５Ｇネットワークのルートキーに基づいて導出されるときの機能コードであってもよく、第３のＦＣは、３Ｇネットワークのキー情報が４Ｇネットワークのルートキーに基づいて導出されるときの機能コードであってもよい。非アクセス層カウントは、シーケンス番号およびオーバーフローカウンタを含み、非アクセス層カウントは、上りリンク非アクセス層カウントまたは下りリンク非アクセス層カウントであってもよい。本出願の実施形態では、導出パラメータは、下りリンク非アクセス層カウントであってもよく、または上りリンク非アクセス層カウントであってもよい。第１の下りリンク非アクセス層のカウントは、３Ｇネットワークのキー情報が５Ｇネットワークのルートキーに基づいて導出されるときに使用される下りリンク非アクセス層のカウントであってもよく、第２の下りリンク非アクセス層のカウントは、４Ｇネットワークのキー情報が５Ｇネットワークのルートキーに基づいて導出されるときに使用される下りリンク非アクセス層のカウントであってもよい。ＫＡＳＭＥは、端末およびネットワークの認証完了後に生成されるキー情報である。
【０１０１】
４Ｇネットワークの導出されたキー情報に基づいて、３Ｇネットワークのキーを導出するための入力パラメータは、以下のパラメータのうちの少なくとも１つを含む。つまり、第１のＦＣ、第２のＦＣ、第３のＦＣ、第１の下りリンク非アクセス層カウント、第２の下りリンク非アクセス層カウント、第３の下りリンク非アクセス層カウント、第３のプリセット値、第２のプリセット値、第１のプリセット値、第１の乱数、第２の乱数、または第３の乱数である。
【０１０２】
例えば、第１のＦＣ、第１の下りリンク非アクセス層カウント、第１の乱数、または第１のプリセット値は、ＡＭＦエンティティが、５Ｇネットワークのルートキーに基づいて、３Ｇネットワークのキー情報を導出するために使用されてもよい。
【０１０３】
例えば、第２のＦＣ、第２の下りリンク非アクセス層カウント、第２の乱数、または第２のプリセット値は、ＡＭＦエンティティが、５Ｇネットワークのルートキーに基づいて、４Ｇネットワークのキー情報を導出するために使用されてもよい。
【０１０４】
例えば、第３のＦＣ、第３の下りリンク非アクセス層カウント、第３の乱数、または第３のプリセット値は、ＡＭＦエンティティが、４Ｇネットワークのルートキーに基づいて、３Ｇネットワークのキー情報を導出するために使用されてもよい。
【０１０５】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【０１０６】
任意で、４Ｇネットワークは、ＡＭＦエンティティによって生成されたハンドオーバ要求メッセージを転送するために使用される。
【０１０７】
任意の実装では、メッセージは、パケット交換ＰＳドメインから回線交換ＣＳドメインに端末の音声サービスをハンドオーバするように指示するための情報フィールドを含み、情報ファイルドは、ＭＭＥエンティティのための透明コンテナである。３Ｇネットワークのキー情報は、このフィールドで搬送される。この場合、メッセージは、ＡＭＦエンティティを再利用することによって、かつ音声サービスを４Ｇシステムにハンドオーバするために送信される要求メッセージであり、情報を搬送するためにメッセージに送信元が追加される。この実装では、ＭＭＥエンティティはわずかに影響を受け、識別と転送のみを必要とする。
【０１０８】
任意の実装では、ＡＭＦエンティティおよびＭＭＥエンティティは、ＡＭＦエンティティによって生成されたメッセージを送信するために使用されるメッセージを定義する。メッセージは、パケット交換ＰＳドメインから回線交換ＣＳドメインへの端末の音声サービスのハンドオーバを要求するために使用される。この実装では、新しいメッセージが定義される必要があり、４ＧネットワークへのハンドオーバのためにＡＭＦエンティティによって送信される要求メッセージは影響されない。
【０１０９】
ＭＭＥエンティティは、メッセージまたは情報を受信した後、メッセージまたは情報をデフォルトまたは事前設定されたアンカーＭＳＣデバイス、またはメッセージに示されたアンカーＭＳＣデバイスに転送する。
【０１１０】
本出願の実施形態における通信方法は、図４を参照して以下に説明される。図４における方法４００は、図１〜図３の任意のアーキテクチャに適用され得る。代替的には、図４における方法はまた、別の類似アーキテクチャにも適用されてもよい。アクセスおよびモビリティ管理機能ＡＭＦエンティティは、５Ｇネットワーク内のコアネットワークデバイスまたは別のネットワーク内のコアネットワークデバイスであってもよい。アクセスネットワークデバイスは、５Ｇネットワーク内の基地局、例えば、ｇＮＢであってもよい。これは、本出願の実施態様において限定されない。方法４００は、以下のステップを含む。
【０１１１】
ステップ４０１：アクセスおよびモビリティ管理機能ＡＭＦエンティティは、アクセスネットワークデバイスから第１のメッセージを受信し、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである。
【０１１２】
いくつかの例では、第１のメッセージは、３Ｇネットワークの識別情報を含んでもよい。代替的には、第１のメッセージは、４Ｇネットワークの識別情報を含んでもよい。代替的には、第１のメッセージは、３Ｇネットワークの識別情報および第４世代ネットワークの識別情報を含む。
【０１１３】
ステップ４０１の前に、アクセスネットワークデバイスは、端末によって報告された測定レポートやアクセスネットワークデバイスの負荷などの要因に基づいて、ＡＭＦエンティティに第１のメッセージを送信する。第１のメッセージは、アクセスネットワークデバイスに対して、ＰＳドメインから３Ｇ／２ＧシステムのＣＳドメインに５Ｇシステムの音声サービスをハンドオーバするように要求するために使用される。
【０１１４】
ステップ４０２：ＡＭＦエンティティは、ターゲットデバイスが位置するネットワークのキー情報を導出する。
【０１１５】
本出願の本実施形態では、キー情報は、３Ｇネットワークのキー情報および４Ｇネットワークのキー情報を含む。ＡＭＦエンティティが、ターゲットデバイスが位置するネットワークのキー情報を導出し、３Ｇネットワーク内のＭＳＣエンティティにキー情報を送信する方式は、以下の方式のいずれかを含むが、これらに限定されない。
【０１１６】
方式１：
【０１１７】
端末が５Ｇネットワークから３Ｇネットワークへの音声サービスのハンドオーバをサポートし、ＡＭＦエンティティと移動交換センタＭＳＣエンティティとの間にインターフェースがあるときに、ＡＭＦエンティティは、３Ｇネットワークのキー情報を取得するか、または３Ｇネットワークのキー情報として５Ｇネットワークにおける端末のＣＫおよびＩＫを使用し、３Ｇネットワークのキー情報をＭＳＣエンティティに直接送信する。
【０１１８】
方式２：
【０１１９】
端末が５Ｇネットワークから３Ｇネットワークへの音声サービスのハンドオーバをサポートし、ＡＭＦエンティティとＭＳＣエンティティとの間にインターフェースがないときに、ＡＭＦエンティティは、３Ｇネットワークのキー情報を取得し、３Ｇネットワークの導出されたキー情報をＭＭＥエンティティを介してＭＳＣエンティティに転送する。
【０１２０】
方式３：
【０１２１】
端末が５Ｇネットワークから３Ｇネットワークへの音声サービスのハンドオーバをサポートしないときに、ＡＭＦエンティティは、４Ｇネットワークのキー情報を導出し、４Ｇネットワークのキー情報をＭＭＥエンティティに送信し、ＭＭＥエンティティは、４Ｇネットワークのキー情報に基づいて、３Ｇネットワークのキー情報を取得するか、または４Ｇネットワークのキー情報から３Ｇネットワークのキー情報を抽出し、３Ｇネットワークの導出されたキー情報をＭＳＣエンティティに送信する。
【０１２２】
方式４：
【０１２３】
端末が５Ｇネットワークから３Ｇネットワークへの音声サービスのハンドオーバをサポートしないときに、ＡＭＦエンティティは、３Ｇネットワークのキー情報および４Ｇネットワークのキー情報を導出し、３Ｇネットワークのキー情報および４Ｇネットワークのキー情報をＭＭＥエンティティに送信し、５Ｇネットワークから４Ｇネットワークへの非音声サービスまたは非ＧＢＲ  （Ｇｕａｒａｎｔｅｅｄ  Ｂｉｔ  Ｒａｔｅ、ｇｕａｒａｎｔｅｅｄ  ｂｉｔ  ｒａｔｅ）ベアラの一部または全てのハンドオーバを完了した後、ＭＭＥエンティティは、ＡＭＦエンティティによって導出された３Ｇネットワークのキー情報をＭＳＣエンティティに送信する。
【０１２４】
本出願の本実施形態では、ＡＭＦエンティティが３Ｇネットワークのキー導出パラメータを決定し、３Ｇネットワークのキー導出パラメータおよびＡＭＦエンティティが位置するネットワークのルートキーに基づいて、３Ｇネットワークのキー情報を導出する方式は、以下の導出方式を含むが、これらに限定されない。
【０１２５】
例えば、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０１２６】
例えば、ＡＭＦエンティティは、第１のＦＣ、プリセット値、およびＡＭＦエンティティが位置するネットワークのルートキーに基づいて、３Ｇネットワークのキー情報を導出する。
【０１２７】
プリセット値は、事前に設定され、端末とＡＭＦエンティティとの両方によって維持されるプリセット値であってもよいと理解されたい。
【０１２８】
例えば、ＡＭＦエンティティは、第１のＦＣ、乱数、およびＡＭＦエンティティが位置するネットワークのルートキーに基づいて、３Ｇネットワークのキー情報を導出する。
【０１２９】
乱数は、ＡＭＦエンティティに既知のパラメータであってもよく、ＡＭＦエンティティはそのパラメータを端末に送信すると理解されたい。
【０１３０】
本出願の本実施形態では、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０１３１】
本出願の本実施形態では、ＡＭＦエンティティが４Ｇネットワークのキー導出パラメータを決定し、４Ｇネットワークのキー導出パラメータおよびＡＭＦエンティティが位置するネットワークのルートキーに基づいて、４Ｇネットワークのキー情報を導出する方式は、以下の導出方式を含むが、これらに限定されない。
【０１３２】
例えば、ＡＭＦエンティティは、第１のＦＣ、第２の下りリンク非アクセス層カウント、およびＡＭＦエンティティが位置するネットワークのルートキーに基づいて、４Ｇネットワークのキー情報を導出する。
【０１３３】
例えば、ＡＭＦエンティティは、第２のＦＣ、第２の下りリンク非アクセス層カウント、およびＡＭＦエンティティが位置するネットワークのルートキーに基づいて、４Ｇネットワークのキー情報を導出する。
【０１３４】
例えば、ＡＭＦエンティティは、第２のＦＣ、プリセット値、およびＡＭＦエンティティが位置するネットワークのルートキーに基づいて、４Ｇネットワークのキー情報を導出する。
【０１３５】
例えば、ＡＭＦエンティティは、第２のＦＣ、乱数、およびＡＭＦエンティティが配置されているネットワークのルートキーに基づいて、４Ｇネットワークのキー情報を導出する。
【０１３６】
本出願の本実施形態では、３Ｇネットワークのキーを導出するためのプリセット値は、４Ｇのキーを導出するためのプリセット値と同じか、または異なると留意されたい。３Ｇネットワークのキーを導出するための乱数は、４Ｇパラメータを導出するための乱数と同じか、または異なる。これは、本出願において限定されない。
【０１３７】
本出願の本実施形態では、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０１３８】
本出願のこの実施形態において、ＡＭＦエンティティが４Ｇネットワークのキー情報に基づいて、３Ｇネットワークのキー情報を導出する方式は、以下の導出方法を含むが、これらに限定されない。
【０１３９】
例えば、ＡＭＦエンティティは、４Ｇネットワークのキー情報、第１のＦＣ、および第２の下りリンク非アクセス層カウントに基づいて、３Ｇネットワークのキー情報を導出する。
【０１４０】
例えば、ＡＭＦエンティティは、４Ｇネットワークのキー情報、第２のＦＣ、および第２の下りリンク非アクセス層カウントに基づいて、３Ｇネットワークのキー情報を導出する。
【０１４１】
例えば、ＡＭＦエンティティは、４Ｇネットワークのキー情報、第２のＦＣ、およびプリセット値に基づいて、３Ｇネットワークのキー情報を導出する。
【０１４２】
例えば、ＡＭＦエンティティは、４Ｇネットワークのキー情報、第２のＦＣ、および乱数に基づいて、３Ｇネットワークのキー情報を導出する。
【０１４３】
本出願の本実施形態では、ＡＭＦエンティティが４Ｇネットワークのキー情報に基づいて、３Ｇネットワークのキー情報を導出することは、
ＡＭＦエンティティが、４Ｇネットワークのキー情報、第３のＦＣ、および第２の下りリンク非アクセス層カウントに基づいて、３Ｇネットワークのキー情報を導出することか、
ＡＭＦエンティティが、４Ｇネットワークのキー情報、第３のＦＣ、および第２の下りリンク非アクセス層カウントに基づいて、３Ｇネットワークのキー情報を導出することか、
ＡＭＦエンティティが、４Ｇネットワークのキー情報、第３のＦＣ、およびプリセット値に基づいて、３Ｇネットワークのキー情報を導出することか、または
ＡＭＦエンティティが、４Ｇネットワークのキー情報、第３のＦＣ、および乱数に基づいて、３Ｇネットワークのキー情報を導出すること、を含む。
【０１４４】
４Ｇネットワークのキー情報に基づいて、３Ｇネットワークのキー情報を導出するために使用されるキー導出パラメータは、３Ｇネットワークのキー情報を導出するために使用されるキー導出パラメータと同じであってもよく、３Ｇネットワークのキー情報を導出するために使用されるキー導出パラメータとは異なってもよいと留意されたい。キー導出パラメータは、第１のＦＣ、第２のＦＣ、第３のＦＣ、第１の下りリンク非アクセス層の値、第２の下りリンク非アクセス層の値、プリセット値、および乱数などのパラメータを含む。
【０１４５】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用されるキー導出パラメータの一部に基づいて行われてもよい。
【０１４６】
任意で、ステップ４０２の後、方法４００は、さらに、以下のステップを含む。
【０１４７】
ＡＭＦエンティティが、移動交換センタＭＳＣエンティティから第２のメッセージを受信し、第２のメッセージは、ＰＳドメインからＣＳドメインへの音声サービスのハンドオーバが完了したことを指示する情報を含む。
【０１４８】
ＡＭＦエンティティが、第２のメッセージに基づいて、非音声サービスのＰＤＮセッションを一時停止または解放することを決定する。
【０１４９】
任意で、第２のメッセージが送信された後、方法４００は、さらに、以下のステップを含む。
【０１５０】
ＡＭＦエンティティは、設定情報を端末に送信し、設定情報は、ＣＳドメインにおいて音声サービスの呼が終了したときに、端末が優先的にフォールバックするネットワークを指示する情報を含む。
【０１５１】
例えば、端末がＰＳドメインからＣＳドメインへの音声サービスのハンドオーバを完了した後、ＣＳドメインにおける音声サービスの呼が終了したときに、端末は、非音声サービスを行うために、設定情報に基づいて、４Ｇネットワークにフォールバックしたり、５Ｇネットワークにフォールバックしたりしてもよい。
【０１５２】
本出願の本実施形態では、端末は、アクセスネットワークデバイスによって送信された受信ハンドオーバ命令に従って、端末の音声サービスまたは非音声サービスを処理し、ＰＳドメイン内のベアラからＣＳドメイン内のベアラへ音声サービスをハンドオーバして、音声サービスの連続性を確保し、ユーザ体験を向上させる。
【０１５３】
本出願の本実施形態における通信方法の特定の例が、図５Ａ〜図６Ｂを参照して以下に説明される。例は、以下のシナリオにおける、５ＧネットワークのＰＳドメインにおけるベアラから３ＧネットワークのＣＳドメインにおけるベアラへ端末の音声サービスをハンドオーバをするための通信方法を含む。すなわち、端末が、５Ｇネットワークから３Ｇネットワークへの音声サービスのハンドオーバをサポートし、ＡＭＦエンティティとＭＳＣエンティティとの間にインターフェースがあるか、端末が、５Ｇネットワークから３Ｇネットワークへの音声サービスのハンドオーバをサポートし、ＡＭＦエンティティとＭＳＣエンティティとの間にインターフェースがないか、端末が、５Ｇネットワークから３Ｇネットワークへの音声サービスのハンドオーバをサポートしないかである。なお、本出願は、説明のために前述の３つのシナリオを例として説明されており、本出願は、これらに限定されるものではない。
【０１５４】
図５Ａおよび図５Ｂを参照すると、図５Ａおよび図５Ｂにおける方法が、アーキテクチャ２００に適用されてもよい。図５Ａおよび図５Ｂにおける方法は、以下のステップを含む。
【０１５５】
Ｓ５０１：端末は、ＡＭＦエンティティに、５Ｇネットワークから３Ｇネットワークへの音声サービスのハンドオーバについてのサポートを報告する。言い換えると、５Ｇネットワークでは、端末は、３ＧネットワークのＣＳドメインにおけるベアラに対してＳＲＶＣＣをサポートする。
【０１５６】
Ｓ５０２：ＡＭＦエンティティは、端末が、３ＧネットワークのＣＳドメインにおけるャリアに対してＳＲＶＣＣをサポートしていることをｇＮＢに通知する。
【０１５７】
Ｓ５０３：端末は測定レポートをｇＮＢに送信する。
【０１５８】
Ｓ５０４：ｇＮＢは、測定報告または現在の負荷などの要因に基づいて、ＡＭＦエンティティに対して、３ＧネットワークのＣＳドメインに音声サービスをハンドオーバするためのハンドオーバ要求を開始することを決定し、ハンドオーバ要求メッセージは、音声サービスがハンドオーバされるターゲットデバイスの識別子、例えば、無線ネットワークコントローラ（ｒａｄｉｏ  ｎｅｔｗｏｒｋ  ｃｏｎｔｒｏｌｌｅｒ、ＲＮＣ）エンティティの識別子を含む。
【０１５９】
本出願の本実施形態では、ｇＮＢによってＡＭＦエンティティに送信されるハンドオーバ要求メッセージは、方法４００における第１のメッセージであってもよいと理解されたい。
【０１６０】
Ｓ５０５：ＡＭＦエンティティは、３ＧネットワークのＣＳドメインにおけるベアラに音声サービスをハンドオーバすることを決定し、ＡＭＦエンティティは、３Ｇネットワークのキー情報を導出し、キー情報は、３ＧネットワークのＣＳドメインでの暗号化、完全性保護、または暗号化および完全性保護に使用される。
【０１６１】
任意で、例において、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０１６２】
任意で、例において、ＡＭＦエンティティは、第１のＦＣ、プリセット値、およびＡＭＦエンティティが位置するネットワークのルートキーに基づいて、３Ｇネットワークのキー情報を導出する。
【０１６３】
プリセット値は、事前に設定され、端末とＡＭＦエンティティとの両方によって維持されるプリセット値であってもよいことに留意されたい。
【０１６４】
任意で、例において、ＡＭＦエンティティは、第１のＦＣ、乱数、およびＡＭＦエンティティが位置するネットワークのルートキーに基づいて、３Ｇネットワークのキー情報を導出する。
【０１６５】
乱数は、ＡＭＦエンティティに既知のパラメータであってもよく、ＡＭＦエンティティはそのパラメータを端末に送信することに留意されたい。
【０１６６】
前述の例において、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０１６７】
例えば、任意の導出方法において、ＡＭＦエンティティは、ルートキーおよび導出パラメータに基づいて、３Ｇネットワークのキー情報を導出する。３Ｇネットワークのキー情報は、暗号キーＣＫおよび完全性キーＩＫを含む。導出パラメータは、第１の下りリンク非アクセス層カウント、乱数、またはプリセット値、すなわちＫＡＭＦ−＞＞ＫＡＳＭＥ−＞＞ＣＳドメインＣＫ  ＩＫのうちの１つであってもよい。
【０１６８】
例えば、任意の導出方式において、ＡＭＦエンティティは、ルートキーＣＫ＋ＩＫを直接使用する。
【０１６９】
前述の例は説明のために提供され、本出願の本実施形態を限定しないと理解されたい。
【０１７０】
Ｓ５０６：ＡＭＦエンティティは、３Ｇネットワーク内のＭＳＣエンティティにＰＳドメインからＣＳドメインに音声サービスをハンドオーバするためのハンドオーバ要求メッセージを送信する。ハンドオーバ要求メッセージは、ＡＭＦエンティティによって導出された３Ｇネットワークのキー情報を含む。
【０１７１】
Ｓ５０７：３Ｇネットワーク内のＭＳＣエンティティは、音声サービスのマイグレーション要求メッセージを３Ｇネットワークの無線ネットワークコントローラ（Ｒａｄｉｏ  Ｎｅｔｗｏｒｋ  Ｃｏｎｔｒｏｌｌｅｒ、ＲＮＣ）に送信し、マイグレーション要求メッセージは、ＡＭＦエンティティによって導出された３Ｇネットワークのキー情報を含む。
【０１７２】
Ｓ５０８：ＲＮＣは、マイグレーション要求確認メッセージをＭＳＣエンティティに送信し、マイグレーション要求確認メッセージは、ＲＮＣによって端末に割り当てられた無線リソース設定パラメータを含む。
【０１７３】
Ｓ５０９：ＭＳＣエンティティは、ＩＰマルチメディアサブシステム（ＩＰ  ｍｕｌｔｉｍｅｄｉａ  ｓｕｂｓｙｓｔｅｍ、ＩＭＳ）エンティティに対して音声セッション転送情報を開始し、ＩＭＳエンティティは、メッセージに基づいて、音声セッションおよびユーザプレーンベアラを更新する。
【０１７４】
Ｓ５１０：ＭＳＣエンティティは、ＰＳドメインからＣＳドメインに音声サービスをハンドオーバするためのハンドオーバ要求応答をＡＭＦエンティティに送信し、ハンドオーバ要求応答は、ＲＮＣによって端末に割り当てられ、ＭＳＣエンティティによって受信される無線リソース設定パラメータを含む。
【０１７５】
Ｓ５１１：ＡＭＦエンティティは、ハンドオーバ要求確認メッセージをｇＮＢに送信し、ハンドオーバ要求確認メッセージは、ＲＮＣによって端末に割り当てられた無線リソース設定パラメータと、３Ｇネットワークのキー情報を導出するために使用され、ＡＭＦエンティティによって決定されたキー導出パラメータを含む。
【０１７６】
Ｓ５１２：ｇＮＢは、５ＧネットワークのＰＳドメインから３ＧネットワークのＣＳドメインのベアラに音声サービスをハンドオーバするためのハンドオーバ命令を端末に送信し、ハンドオーバ命令は、３Ｇネットワークのキー情報を導出するために使用されるキー導出パラメータを含み、キー導出パラメータは、ＡＭＦエンティティによって決定される。
【０１７７】
Ｓ５１３：端末は、キー導出パラメータを含むハンドオーバ命令を受信し、キー導出パラメータおよび５Ｇネットワークのルートキーに基づいて、３Ｇネットワークのキー情報を導出し、受信したハンドオーバ命令に従って、非音声サービスのＰＤＮセッションを一時停止または解放するように上位層が指示する。
【０１７８】
本出願の本実施形態では、端末は、５Ｇネットワークの基地局ｇＮＢによって送信された第３のメッセージを受信すると留意されたい。例えば、端末は、５Ｇネットワークの基地局ｇＮＢから送信されたハンドオーバ命令を受信する。第３のメッセージが、パケット交換ＰＳドメインから回線交換ＣＳドメインに音声サービスをハンドオーバするように端末に指示するための情報であるときに、端末は、第３のメッセージに従って、非音声サービスのＰＤＮセッションを一時停止または解放することを決定する。
【０１７９】
本出願の本実施形態では、第３のメッセージは、第５Ｇネットワークにおいて、ｇＮＢのような基地局によって送信されるハンドオーバ命令であってもよいと理解されたい。代替的には、第３のメッセージは、４Ｇネットワーク内のｅＮＢのような基地局によって送信されるハンドオーバ命令であってもよい。これは、本出願の本実施態様において限定されない。
【０１８０】
Ｓ５１４：端末は３Ｇネットワークにアクセスし、ハンドオーバ完了メッセージをＲＮＣに送信する。このメッセージは、端末がＰＳドメインにおけるベアラからＣＳドメインにおけるベアラへの音声サービスのハンドオーバを完了したことを指示する。
【０１８１】
Ｓ５１５：ＲＮＣは、ハンドオーバ完了メッセージをＭＳＣエンティティに送信して、端末がＰＳドメインにおけるベアラからＣＳドメインにおけるベアラへの音声サービスのハンドオーバを完了したことをＭＳＣエンティティに通知する。
【０１８２】
Ｓ５１６：ＭＳＣエンティティは、ハンドオーバ完了メッセージをＡＭＦエンティティに送信する。
【０１８３】
ｇＮＢによって端末に送信されるハンドオーバ完了メッセージは、方法４００における第２のメッセージであってもよいと理解されたい。
【０１８４】
Ｓ５１７：ＡＭＦエンティティは、ＭＳＣエンティティによって送信されたハンドオーバ完了メッセージを受信した後、非音声サービスのＰＤＮセッションを一時停止または解放するようにＳＭＦエンティティに指示する。
【０１８５】
具体的には、ＡＭＦエンティティは、非音声サービスのＰＤＮセッションを一時停止または解放するようにＳＭＦエンティティに指示し、ＳＭＦエンティティは、ユーザポート機能（ｕｓｅｒ  ｐｏｒｔ  ｆｕｎｃｔｉｏｎ、ＵＰＦ）エンティティを介して、非音声サービスまたは非ＧＢＲベアラのＰＤＮセッションを一時停止または解放する。ＳＭＦエンティティは、端末の全てのＰＤＮセッションを一時停止または解放するようにＵＰＦエンティティに指示する。
【０１８６】
任意で、ＡＭＦエンティティは、端末のすべてのＰＤＮセッションを一時停止または解放するようにＳＭＦエンティティに指示する。
【０１８７】
Ｓ５１８：ＡＭＦエンティティは、リソースを解放するための指示情報を、５Ｇネットワークの基地局ｇＮＢに送信する。
【０１８８】
方法５００は、端末が５Ｇネットワークから３Ｇネットワークへの音声サービスのハンドオーバをサポートし、ＡＭＦエンティティとＭＳＣエンティティとの間にインターフェースがあるときに、５ＧネットワークのＰＳドメインにおけるベアラから３ＧネットワークのＣＳドメインにおけるベアラに音声サービスをハンドオーバするための通信方法である。
【０１８９】
端末が５Ｇネットワークから３Ｇネットワークへの音声サービスのハンドオーバをサポートし、ＡＭＦエンティティとＭＳＣエンティティとの間にインターフェースがないときに、ＡＭＦエンティティとＭＳＣエンティティとの間に直接のインターフェースがないため、ＡＭＦエンティティは、５ＧネットワークのＰＳドメインにおけるベアラから３ＧネットワークのＣＳドメインにおけるベアラに端末の音声サービスをハンドオーバするために、アンカーＭＭＥエンティティを介して転送動作を行う必要がある。
【０１９０】
例えば、ステップＳ５０６では、ＡＭＦエンティティとＭＳＣエンティティとの間にインターフェースがないときに、ＡＭＦエンティティは、ＰＳドメインからＣＳドメインに音声サービスをハンドオーバするためのハンドオーバ要求メッセージをＭＭＥエンティティに送信する。ハンドオーバ要求メッセージは、ＡＭＦエンティティによって導出された３Ｇネットワークのキー情報と、音声サービスのターゲット基地局の識別情報、例えば、ＲＮＣ  ＩＤを含む。ＭＭＥエンティティは、ハンドオーバ要求メッセージをＭＳＣエンティティに送信する。
【０１９１】
本出願の本実施形態では、ＡＭＦエンティティは、３Ｇネットワークのキー情報を直接導出し、３Ｇネットワークの導出されたキー情報をＭＭＥエンティティまたはＭＳＣエンティティに送信してもよい。
【０１９２】
例えば、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０１９３】
任意で、例において、ＡＭＦエンティティは、第１のＦＣ、プリセット値、およびＡＭＦエンティティが位置するネットワークのルートキーに基づいて、３Ｇネットワークのキー情報を導出する。
【０１９４】
プリセット値は、事前に設定され、端末とＡＭＦエンティティとの両方によって維持されるプリセット値であってもよいことに留意されたい。
【０１９５】
任意で、例において、ＡＭＦエンティティは、第１のＦＣ、乱数、およびＡＭＦエンティティが位置するネットワークのルートキーに基づいて、３Ｇネットワークのキー情報を導出する。
【０１９６】
乱数は、ＡＭＦエンティティに既知のパラメータであってもよく、ＡＭＦエンティティはそのパラメータを端末に送信することに留意されたい。
【０１９７】
本出願の本実施形態では、ＡＭＦエンティティは、最初に４Ｇネットワークのキー情報を取得し、次いで、４Ｇネットワークのキー情報に基づいて、３Ｇネットワークのキー情報を取得し、３Ｇネットワークの導出されたキー情報をＭＭＥエンティティまたはＭＳＣエンティティに送信することができる。
【０１９８】
５Ｇネットワークのルートキー情報に基づいて４Ｇネットワークのキー情報を導出するための入力パラメータは、第１のＦＣ、第２のＦＣ、第１の下りリンク非アクセス層カウント、第２の下りリンク非アクセス層カウント、第２のプリセット値、第１のプリセット値、第１の乱数、または第２の乱数のうちの少なくとも１つを含む。４Ｇネットワークのキー情報は、ＫＡＳＭＥであってもよいし、ＣＫ｜｜ＩＫに基づいて導出されたキー情報であってもよい。
【０１９９】
４Ｇネットワークの導出されたキー情報に基づいて、３Ｇキーを導出するための入力パラメータは、以下のパラメータのうちの少なくとも１つを含む。つまり、第１のＦＣ、第２のＦＣ、第３のＦＣ、第１の下りリンク非アクセス層カウント、第２の下りリンク非アクセス層カウント、第３の下りリンク非アクセス層カウント、第３のプリセット値、第２のプリセット値、第１のプリセット値、第１の乱数、第２の乱数、または第３の乱数である。
【０２００】
例えば、第１のＦＣ、第１の下りリンク非アクセス層カウント、第１の乱数、または第１のプリセット値は、ＡＭＦエンティティが、５Ｇネットワークのルートキーに基づいて、３Ｇネットワークのキー情報を導出するために使用されてもよい。
【０２０１】
例えば、第２のＦＣ、第２の下りリンク非アクセス層カウント、第２の乱数、または第２のプリセット値は、ＡＭＦエンティティが、５Ｇネットワークのルートキーに基づいて、４Ｇネットワークのキー情報を導出するために使用されてもよい。
【０２０２】
例えば、第３のＦＣ、第３の下りリンク非アクセス層カウント、第３の乱数、または第３のプリセット値は、ＡＭＦエンティティが、４Ｇネットワークのルートキーに基づいて、３Ｇネットワークのキー情報を導出するために使用されてもよい。
【０２０３】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【０２０４】
図６Ａおよび図６Ｂを参照すると、図６Ａおよび図６Ｂにおける方法が、アーキテクチャ３００に適用されてもよい。図６Ａおよび図６Ｂにおける方法は、端末が５Ｇネットワークから３Ｇネットワークへの音声サービスのハンドオーバをサポートしないときに、ネットワークのＰＳドメインにおけるベアラから３ＧネットワークのＣＳドメインにおけるベアラへの音声サービスをハンドオーバするための通信方法である。図６Ａおよび図６Ｂにおける方法は、以下のステップを含む。
【０２０５】
Ｓ６０１：端末は測定レポートをｇＮＢに送信する。
【０２０６】
Ｓ６０２：ｇＮＢは、測定レポートや現在の負荷などの要因に基づいて、３Ｇ  ＣＳドメインに音声サービスをハンドオーバするためのハンドオーバ要求メッセージをＡＭＦエンティティに開始することを決定する。
【０２０７】
本出願の本実施形態では、ｇＮＢによってＡＭＦエンティティに送信されるハンドオーバ要求メッセージは、方法４００における第１のメッセージであってもよいと理解されたい。
【０２０８】
Ｓ６０３：端末は５Ｇネットワークから３Ｇネットワークへの音声サービスのハンドオーバをサポートしないため、ＡＭＦエンティティは、非音声サービスまたは非ＧＢＲベアラを４Ｇネットワークにハンドオーバすることを決定し、ＡＭＦエンティティは、キー情報を導出する。
【０２０９】
本出願の本実施形態では、ＡＭＦエンティティは、３Ｇネットワークのキー情報を直接導出し得ると留意されたい。代替的には、ＡＭＦエンティティは、最初に４Ｇネットワークのキー情報を引き出し、次いで、４Ｇネットワークのキー情報に基づいて３Ｇネットワークのキー情報を導出してもよい。。
【０２１０】
任意で、例では、ＡＭＦエンティティは、３Ｇネットワークのキー情報を導出する。
【０２１１】
ＡＭＦエンティティが３Ｇネットワークのキー導出パラメータを決定し、３Ｇネットワークのキー導出パラメータおよびＡＭＦエンティティが位置するネットワークのルートキーに基づいて３Ｇネットワークのキー情報を導出する方式は、以下の方式を含むが、これらに限定されない。
【０２１２】
任意で、例において、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０２１３】
任意で、例において、ＡＭＦエンティティは、第１のＦＣ、プリセット値、およびＡＭＦエンティティが位置するネットワークのルートキーに基づいて、３Ｇネットワークのキー情報を導出する。
【０２１４】
プリセット値は、事前に設定され、端末とＡＭＦエンティティとの両方によって維持されるプリセット値であってもよいことに留意されたい。
【０２１５】
任意で、例において、ＡＭＦエンティティは、第１のＦＣ、乱数、およびＡＭＦエンティティが位置するネットワークのルートキーに基づいて、３Ｇネットワークのキー情報を導出する。
【０２１６】
乱数は、ＡＭＦエンティティに既知のパラメータであってもよく、ＡＭＦエンティティはそのパラメータを端末に送信することに留意されたい。
【０２１７】
前述の例において、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０２１８】
例えば、任意の導出方法において、ＡＭＦエンティティは、ルートキーおよび導出パラメータに基づいて、３Ｇネットワークのキー情報を導出する。３Ｇネットワークのキー情報は、暗号キーＣＫおよび完全性キーＩＫを含む。導出パラメータは、第１の下りリンク非アクセス層カウント、乱数、またはプリセット値、すなわちＫＡＭＦ−＞＞ＫＡＳＭＥ−＞＞ＣＳドメインＣＫ＋ＩＫのうちの１つであってもよい。
【０２１９】
例えば、任意の導出方式で、ＡＭＦエンティティはルートキーＣＫ＋ＩＫを直接使用する。
【０２２０】
任意で、例では、ＡＭＦエンティティは、４Ｇネットワークのキー情報および３Ｇネットワークのキー情報を導出する。
【０２２１】
ＡＭＦエンティティが４Ｇネットワークのキー導出パラメータを決定し、４Ｇネットワークのキー導出パラメータおよびＡＭＦエンティティが位置するネットワークのルートキーに基づいて４Ｇネットワークのキー情報を導出する方式は、以下の方式を含むが、これらに限定されない。
【０２２２】
例えば、ＡＭＦエンティティは、第１のＦＣ、第２の下りリンク非アクセス層カウント、およびＡＭＦエンティティが位置するネットワークのルートキーに基づいて、４Ｇネットワークのキー情報を導出する。
【０２２３】
例えば、ＡＭＦエンティティは、第２のＦＣ、第２の下りリンク非アクセス層カウント、およびＡＭＦエンティティが位置するネットワークのルートキーに基づいて、４Ｇネットワークのキー情報を導出する。
【０２２４】
例えば、ＡＭＦエンティティは、第２のＦＣ、プリセット値、およびＡＭＦエンティティが位置するネットワークのルートキーに基づいて、４Ｇネットワークのキー情報を導出する。
【０２２５】
例えば、ＡＭＦエンティティは、第２のＦＣ、乱数、およびＡＭＦエンティティが配置されているネットワークのルートキーに基づいて、４Ｇネットワークのキー情報を導出する。
【０２２６】
ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかである。任意で、例では、ＡＭＦエンティティは、４Ｇネットワークの導出されたキー情報に基づいて、３Ｇネットワークのキー情報を導出する。
【０２２７】
例えば、ＡＭＦエンティティは、４Ｇネットワークのキー情報、第１のＦＣ、および第２の下りリンク非アクセス層カウントに基づいて、３Ｇネットワークのキー情報を導出する。
【０２２８】
例えば、ＡＭＦエンティティは、４Ｇネットワークのキー情報、第２のＦＣ、および第２の下りリンク非アクセス層カウントに基づいて、３Ｇネットワークのキー情報を導出する。
【０２２９】
例えば、ＡＭＦエンティティは、４Ｇネットワークのキー情報、第２のＦＣ、およびプリセット値に基づいて、３Ｇネットワークのキー情報を導出する。
【０２３０】
プリセット値は、事前に設定され、端末とＡＭＦエンティティとの両方によって維持されるプリセット値であってもよいと理解されたい。
【０２３１】
例えば、ＡＭＦエンティティは、４Ｇネットワークのキー情報、第２のＦＣ、および乱数に基づいて、３Ｇネットワークのキー情報を導出する。
【０２３２】
任意で、例では、ＡＭＦエンティティは、４Ｇネットワークの導出されたキー情報に基づいて、３Ｇネットワークのキー情報を導出する。
【０２３３】
例えば、ＡＭＦエンティティは、４Ｇネットワークのキー情報、第３のＦＣ、および第２の下りリンク非アクセス層カウントに基づいて、３Ｇネットワークのキー情報を導出する。
【０２３４】
例えば、ＡＭＦエンティティは、４Ｇネットワークのキー情報、第３のＦＣ、および第２の下りリンク非アクセス層カウントに基づいて、３Ｇネットワークのキー情報を導出する。
【０２３５】
例えば、ＡＭＦエンティティは、４Ｇネットワークのキー情報、第３のＦＣ、およびプリセット値に基づいて、３Ｇネットワークのキー情報を導出する。
【０２３６】
例えば、ＡＭＦエンティティは、４Ｇネットワークのキー情報、第３のＦＣ、および乱数に基づいて、３Ｇネットワークのキー情報を導出する。
【０２３７】
４Ｇネットワークのキー情報に基づいて、３Ｇネットワークのキー情報を導出するために使用されるキー導出パラメータは、３Ｇネットワークのキー情報を導出するために使用されるキー導出パラメータと同じであってもよく、３Ｇネットワークのキー情報を導出するために使用されるキー導出パラメータとは異なってもよいと留意されたい。キー導出パラメータは、第１のＦＣ、第２のＦＣ、第１の下りリンク非アクセス層の値、第２の下りリンク非アクセス層の値、プリセット値、および乱数などのパラメータを含む。本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【０２３８】
乱数は、ＡＭＦエンティティに既知のパラメータであってもよく、ＡＭＦエンティティはそのパラメータを端末に送信すると理解されたい。
【０２３９】
任意で、例えば、ＡＭＦエンティティは、４Ｇネットワークのキー情報、例えば、ＫＡＳＭＥを導出する。
【０２４０】
前述の例は説明のために提供され、本出願の本実施形態を限定しないと理解されたい。
【０２４１】
Ｓ６０４：端末が、５Ｇネットワークから３Ｇネットワークへの音声サービスのハンドオーバをサポートしないため、ＡＭＦエンティティは、ハンドオーバ命令をＭＭＥエンティティに送信し、ハンドオーバ命令は、ＰＳドメインにおけるベアラから４Ｇネットワークへの端末の非音声サービスのハンドオーバを命令する。
【０２４２】
Ｓ６０５：ＭＭＥエンティティは、ハンドオーバ命令を４Ｇネットワークの基地局ｅＮＢに送信し、命令は、デフォルトＲＢまたはＱＣＩ＝９を有するベアラを確立するようにｅＮＢに指示するために使用される。
【０２４３】
Ｓ６０６：４Ｇネットワークの基地局ｅＮＢは、ＭＭＥエンティティにハンドオーバ命令応答を送信し、ハンドオーバ命令応答は、ｅＮＢが送信元ｅＮＢコンテナに対してターゲットｅＮＢを準備することを指示する。
【０２４４】
Ｓ６０７：ＭＭＥエンティティは、ハンドオーバ命令応答をＡＭＦエンティティに送信する。
【０２４５】
Ｓ６０８：ＡＭＦエンティティは、ハンドオーバ要求確認メッセージを５ＧネットワークのｇＮＢに送信し、ハンドオーバ要求確認メッセージは、ＰＳドメインから４Ｇネットワークへ非音声サービスまたは非ＧＢＲベアラをハンドオーバするように指示するための情報を含む。
【０２４６】
Ｓ６０９：５ＧネットワークのｇＮＢは端末にハンドオーバ命令を送信し、ハンドオーバ命令は、ＰＳドメインから４Ｇネットワークへの音声サービスのハンドオーバを命令する。
【０２４７】
Ｓ６１０：端末は、ＰＳドメインから４Ｇネットワークに非音声サービスをハンドオーバするための指示を受信した後、音声サービスのベアラを一時停止するか、ＧＢＲのベアラを一時停止するか、またはＱＣＩ＝１を有するベアラを一時停止するかを決定する。
【０２４８】
本出願の本実施形態では、端末は、５Ｇネットワークの基地局ｇＮＢによって送信された第３のメッセージを受信すると留意されたい。例えば、端末は、５Ｇネットワークの基地局ｇＮＢから送信されたハンドオーバ命令を受信する。第３のメッセージが非音声サービスを４Ｇネットワークにハンドオーバするように端末に指示するための情報であるときに、端末は、第３のメッセージに基づいて、音声サービスのベアラを一時停止するか、またはＱＣＩ＝１を有するベアラを一時停止するかを決定する。
【０２４９】
Ｓ６１１：端末は、非音声サービスのハンドオーバ完了メッセージを４Ｇネットワークの基地局ｅＮＢに送信する。
【０２５０】
Ｓ６１２：ＭＭＥエンティティは、ＰＳドメインから４Ｇネットワークに非音声サービスをハンドオーバするためのハンドオーバ完了メッセージをＭＳＣエンティティに送信する。
【０２５１】
任意で、ＭＭＥは、ＰＳドメインから３ＧネットワークのＣＳドメインに音声サービスをハンドオーバするためにｅＮＢによって送信された要求を受信した後、Ｓ６１２を開始する。
【０２５２】
任意で、ＭＭＥは、ｅＮＢによって送信されたハンドオーバ完了メッセージを受信した後、Ｓ６１２を開始する。
【０２５３】
Ｓ６１３：ＭＭＥエンティティは、ＰＳドメインにおけるベアラからＣＳドメインにおけるベアラに音声サービスをハンドオーバするためのハンドオーバ要求メッセージをＭＳＣエンティティに送信し、ハンドオーバ要求メッセージは、ＡＭＦエンティティによって導出された３Ｇネットワークのキー情報を含んでもよい。
【０２５４】
任意で、ハンドオーバ要求メッセージは、ＡＭＦエンティティによって生成されてもよい。
【０２５５】
任意で、ＭＭＥは、ＡＭＦエンティティによって送信されたキー情報から、３Ｇネットワークの暗号キーおよび完全性保護キーを抽出する。
【０２５６】
Ｓ６１４：ＭＳＣエンティティは、音声サービスのマイグレーション要求メッセージをＲＮＣに送信し、マイグレーション要求メッセージは、ＡＭＦエンティティによって導出された３Ｇネットワークのキー情報を含む。
【０２５７】
Ｓ６１５：ＲＮＣは、マイグレーション要求確認メッセージをＭＳＣエンティティに送信し、マイグレーション要求確認メッセージは、ＲＮＣによって端末に割り当てられた無線リソース設定パラメータを含む。
【０２５８】
Ｓ６１６：ＭＳＣエンティティは、ＩＭＳエンティティに対して音声セッション転送情報を開始し、ＩＭＳエンティティは、メッセージに基づいて、音声セッションおよびユーザプレーンベアラを更新する。
【０２５９】
Ｓ６１７：ＭＳＣエンティティは、ＰＳドメインからＣＳドメインに音声サービスをハンドオーバするためのハンドオーバ要求応答をＭＭＥエンティティに送信する。
【０２６０】
Ｓ６１８：ＭＭＥエンティティは、ハンドオーバ命令をｇＮＢに送信し、ハンドオーバ命令は、ＡＭＦエンティティによって決定されたキー導出パラメータを含む。
【０２６１】
Ｓ６１９：ｇＮＢは、５ＧネットワークのＰＳドメインから３ＧネットワークのＣＳドメインのベアラに音声サービスをハンドオーバするためのハンドオーバ命令を端末に送信し、ハンドオーバ命令は、３Ｇネットワークのキー情報を導出するために使用されるキー導出パラメータを含み、キー導出パラメータは、ＡＭＦエンティティによって決定される。
【０２６２】
Ｓ６２０：端末は、キー導出パラメータを含むハンドオーバ命令を受信し、キー導出パラメータおよび５Ｇネットワークのルートキーに基づいて、３Ｇネットワークのキー情報を導出する。
【０２６３】
Ｓ６２１：端末は、３Ｇネットワークにアクセスし、ハンドオーバ完了メッセージをＲＮＣに送信する。このメッセージは、端末がＰＳドメインにおけるベアラからＣＳドメインにおけるベアラへの音声サービスのハンドオーバを完了したことを示す。
【０２６４】
Ｓ６２２：ＲＮＣは、マイグレーション完了メッセージをＭＳＣエンティティに送信して、端末がＰＳドメインにおけるベアラからＣＳドメインにおけるベアラへの音声サービスのハンドオーバを完了したことをＭＳＣエンティティに通知する。
【０２６５】
Ｓ６２３：ＭＳＣエンティティは、ＰＳドメインにおけるベアラからＣＳドメインにおけるベアラにハンドオーバするためのハンドオーバ完了メッセージをＭＭＥエンティティに送信する。
【０２６６】
Ｓ６２４：ＭＭＥエンティティは、ハンドオーバ完了メッセージをＡＭＦエンティティに送信する。
【０２６７】
Ｓ６２５：ＡＭＦエンティティは、ＭＭＥエンティティによって送信されたハンドオーバ完了メッセージを受信する。
【０２６８】
Ｓ６２６：ＡＭＦエンティティは、リソースを解放するための指示情報を、５Ｇネットワークの基地局ｇＮＢに送信する。
【０２６９】
任意で、ＡＭＦエンティティは、非音声ベアラまたは非ＧＢＲのＰＤＮセッションを解放または一時停止するようにＳＭＦに指示する。
【０２７０】
任意で、ＡＭＦエンティティは、すべてのベアラのＰＤＮセッションを解放または一時停止するようにＳＭＦに指示する。
【０２７１】
本方法６００は、端末が５Ｇネットワークから３Ｇネットワークへの音声サービスのハンドオーバをサポートしていないときに、５ＧネットワークのＰＳドメインにおけるベアラから３ＧネットワークのＣＳドメインにおけるベアラへの端末の音声サービスをハンドオーバするための通信方法であってもよいと留意されたい。
【０２７２】
図４〜図６Ｂは、第５Ｇ通信システムにおいて使用される通信方法であって、第５ＧネットワークのＰＳドメインにおけるベアラから３ＧネットワークのＣＳドメインにおけるベアラに音声サービスをハンドオーバして、音声サービスを行う端末が５Ｇネットワークのカバレッジの外に移動した後の音声サービスの連続性を維持する通信方法を説明する。
【０２７３】
本出願の実施形態は、さらに、高速フォールバックのための通信方法を提供する。通信方法では、ＰＳドメインにおけるベアラからＣＳドメインにおけるベアラに音声サービスがハンドオーバされた後に、３Ｇネットワークにおいて音声サービスの呼が終了したときに、端末は、適切なネットワークに急速にフォールバックし、ＰＳドメインにおけるベアラであって、音声ハンドオーバ中に一時停止されたベアラのサービスを復元する。
【０２７４】
任意で、例では、３Ｇネットワークにおいて端末の音声サービスの呼が終了した後に、コアネットワークデバイスは、ＲＮＣに通知し、ＲＮＣはＵＥに指示する。
【０２７５】
ステップ１：ＡＭＦエンティティまたはＭＭＥエンティティは、ハンドオーバ要求メッセージをＭＳＣエンティティに送信する。ハンドオーバ要求メッセージは、ハンドオーバがＮＲノードまたはＭＭＥエンティティからであることを指示するハンドオーバ情報を含む。本出願の本実施態様において、このステップは任意であると理解されたい。
【０２７６】
ステップ２：ＭＳＣエンティティは、ハンドオーバ情報をＲＮＣに送信する。情報は、ＮＲノードまたはＭＭＥエンティティからＲＮＣへのハンドオーバを指示するために使用される。ＭＳＣエンティティは、ハンドオーバ要求メッセージ内のソースノードのタイプに基づいて、ソースノードがＭＭＥエンティティであるかＮＲノードであるかを決定することができる。
【０２７７】
ステップ３：Ｉｕが解放されるときに、ＭＳＣエンティティは、端末がＮＲノードまたはＭＭＥエンティティからハンドオーバされることをＲＮＣに指示する。ＲＮＣは、ＲＮＣ上の端末の接続を解放することを決定する。
【０２７８】
例えば、ＬＴＥまたはＮＲの周波数情報を指示するために、端末にコネクション解放情報が送信される。端末は、情報を受信した後に、最初に、無線アクセスシステムの示されたＡＲＦＣＮを測定し、セル再選択処理を行う。端末は、最初に、示されたＡＲＦＣＮを測定し、次いで、Ｒ基準を満たすＡＲＦＣＮを有するセルに再選択する。
【０２７９】
Ｒ基準は、サービングセルのＲｓおよびターゲットセルのＲｔが、それぞれ、Ｒｓ＝Ｑｍｅａｓ，ｓ＋ＱＨｙｓｔと、Ｒｔ＝Ｑｍｅａｓ，ｔ−Ｑｏｆｆｓｅｔを満たすことを意味する。Ｑｍｅａｓは測定セルのＲＳＲＰ値であり、Ｑｏｆｆｓｅｔはターゲットセルのオフセット値を定義する。同じプライオリティを有する異周波数セルについては、２つの部分が含まれる。すなわち、セルベースのオフセット値と周波数ベースのオフセット値である。時間Ｔｒｅｓｅｌｅｃｔｉｏｎ（同一周波数セルのＴｒｅｓｅｌｅｃｔｉｏｎが異周波数セルのものとは異なることがある）内で常にＲｔがＲｓより大きい場合、端末は、ターゲットセルに再選択する。
【０２８０】
任意で、例では、ＡＭＦエンティティまたはＭＭＥエンティティは、設定情報を端末に送信する。設定情報は、ＣＳドメインにおいて音声サービスの呼が終了したときに、端末が優先的にフォールバックするネットワークを指示する情報が含む。
【０２８１】
設定情報は、音声サービスがハンドオーバされる前に設定された情報であっても良く、端末がＮＲまたはＬＴＥから３Ｇネットワークにハンドオーバされて、エアインターフェース接続が解除された後に、ＮＲまたはＬＴＥに優先的にフォールバックするように端末に指示するために使用される。
【０２８２】
例えば、ＮＲに優先的にフォールバックするときに、端末は、最初に、ＮＲ−ＡＲＦＣＮを測定し、Ｒ基準を満たすＮＲセルに再選択する。適切なＮＲセルが利用できない場合、端末は、適切なＬＴＥセルに再選択する。
【０２８３】
例えば、ＬＴＥに優先的にフォールバックするときに、端末は、最初に、ＬＴＥ−ＡＲＦＣＮを測定し、Ｒ基準を満たすＬＴＥセルに再選択する。適切なＬＴＥセルが利用できない場合、端末は、適切なＮＲセルに再選択する。
【０２８４】
なお、高速フォールバックの場合の通信方法は、５ＧネットワークのＰＳドメインにおけるベアラから３ＧネットワークのＣＳドメインにおけるベアラに音声サービスをハンドオーバするために使用される通信方法であって、図４〜図６Ｂで説明した通信方法と組み合わせられてもよい。これは、本出願の実施態様において限定されない。
【０２８５】
前述のプロセスのシーケンス番号は、本出願の様々な実施態様における実行シーケンスを意味しないことを理解されたい。プロセスの実行シーケンスは、プロセスの機能および内部論理に基づいて決定されるべきであり、本出願の実施態様の実施プロセスに対するいかなる限定も構成すべきではない。
【０２８６】
前述の実施形態では、端末によって実装されるステップまたは動作は、端末において使用され得るコンポーネント（例えば、チップまたは回路）によって代替的に実装されてもよく、アクセスネットワークデバイスによって実装されるステップまたは動作は、アクセスネットワークデバイスにおいて使用され得るコンポーネント（例えば、チップまたは回路）によって代替的に実装され得ると理解されよう。
【０２８７】
以上、本出願の実施形態による異なるシナリオにおいて、５ＧネットワークのＰＳドメインにおけるベアラから３ＧネットワークのＣＳドメインにおけるベアラに音声サービスをハンドオーバするための通信方法を詳細に説明した。以下は、本出願の実施形態による通信装置を説明する。本出願の実施形態における通信装置は、本出願の前述の実施形態における様々な通信方法を行ってもよいと理解されたい。言い換えると、以下の製品の特定の作業プロセスについては、前述の方法の実施形態における対応する処理を参照のこと。
【０２８８】
図７は、本出願の実施形態による通信装置の概略構造図である。図７における通信装置７００は、前述の説明においてＡＭＦエンティティによって行われるステップまたは動作を対応して実装することができ、
第１メッセージを受信することであって、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することを行うように構成されている通信モジュール７１０と、
ターゲットデバイスが位置するネットワークのキー情報を導出するように構成されている処理モジュール７２０と、を含んでもよい。
【０２８９】
本出願の本実施形態では、通信装置は、音声サービスのハンドオーバ要求メッセージにおけるターゲットデバイスの識別子に基づいて、音声サービスがハンドオーバされるネットワークを決定して、ターゲットデバイスが位置するネットワークのキー情報を導出し、音声サービスがＰＳドメインにおけるベアラからターゲットデバイスが位置するネットワークにハンドオーバされることを確実にし、音声サービスの連続性を確保し、ユーザ体験を向上させる。
【０２９０】
このようにして、音声サービスの連続性が維持され、ユーザ体験が向上する。
【０２９１】
任意で、処理モジュール７２０は、具体的には、
３Ｇネットワークのキー導出パラメータを決定することと、
３Ｇネットワークのキー導出パラメータとルートキーに基づいて、３Ｇネットワークのキー情報を導出することと、を行うように構成されている。
【０２９２】
任意で、処理モジュール７２０は、具体的には、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０２９３】
任意で、処理モジュール７２０は、具体的には、
４Ｇネットワークのキー導出パラメータを決定することと、
４Ｇネットワークのキー導出パラメータおよびルートキーに基づいて、４Ｇネットワークのキー情報を導出することと、
４Ｇネットワークのキー情報に基づいて、３Ｇネットワークのキー情報を導出することと、を行うように構成されている。
【０２９４】
任意で、処理モジュール７２０は、具体的には、
４Ｇネットワークのキー導出パラメータを決定することと、
４Ｇネットワークのキー導出パラメータとルートキーに基づいて、４Ｇネットワークのキー情報を導出することと、を行うように構成されている。
【０２９５】
任意で、処理モジュール７２０は、具体的には、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、
第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０２９６】
任意で、処理モジュール７２０は、具体的には、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０２９７】
任意で、ルートキーは、ＫＡＭＦ、ＫＳＥＡＦ、ＫＡＵＳＦ、および暗号キーＣＫ＋完全性キーＩＫのうちのいずれかである。
【０２９８】
任意で、通信モジュール７２０は、さらに、
３Ｇネットワークのキー情報をモビリティ管理エンティティＭＭＥに送信することか、
３Ｇネットワークのキー情報と４Ｇネットワークのキー情報をモビリティ管理エンティティＭＭＥに送信することか、または
４Ｇネットワークのキー情報をモビリティ管理エンティティＭＭＥに送信することを行うように構成されている。
【０２９９】
任意で、通信モジュール７１０は、さらに、第２のメッセージを受信するように構成されており、第２のメッセージは、ＰＳドメインからＣＳドメインへの音声サービスのハンドオーバが完了したことを指示する情報を含む。
【０３００】
通信モジュール７１０が第２のメッセージを受信するときに、処理モジュール７２０は、さらに、第２のメッセージに基づいて、非音声サービスのＰＤＮセッションを一時停止または解放することを決定するように構成されている。
【０３０１】
任意で、通信モジュール７１０は、さらに、設定情報を送信するように構成されており、設定情報は、ＣＳドメインにおいて音声サービスの呼が終了したときに、端末が優先的にフォールバックするネットワークを指示する情報を含む。
【０３０２】
任意で、通信装置７００は、５Ｇ通信システム内のコアネットワークデバイスであってもよく、通信装置は、ＰＳドメインにおけるベアラからＣＳドメインにおけるベアラに端末の音声サービスをハンドオーバするように構成されてもよい。
【０３０３】
本出願の本実施形態における通信装置７００内のモジュールの実装、相互作用等については、方法の実施形態における関連する説明を参照することが理解されよう。
【０３０４】
図８は、本出願の実施形態による通信装置の概略構造図である。図８における通信装置８００は、前述の実施形態の端末に対応することができ、
第３のメッセージを受信することと、第３のメッセージが、パケット交換ＰＳドメインから回線交換ＣＳドメインへ音声サービスをハンドオーバするように指示するための情報を含む場合、第３のメッセージに基づいて、非音声サービスのＰＤＮセッションを一時停止または解放することを決定することか、または第３のメッセージが、非音声サービスを４Ｇネットワークにハンドオーバするように指示するための情報を含む場合、第３のメッセージに基づいて、音声サービスのベアラを一時停止するか、もしくはＱＣＩ＝１を有するベアラを一時停止することを決定することと、を行うように構成されている通信モジュール８１０と、
ターゲットデバイスが位置するネットワークのキー情報を導出することを決定することであって、ターゲットデバイスが３Ｇネットワークおよび／または４Ｇネットワーク内のアクセスネットワークデバイスである、決定することを行うように構成されている処理モジュール８２０と、を含んでもよい。
【０３０５】
本出願の本実施形態では、通信装置は、受信されたハンドオーバ要求メッセージに基づいて、音声サービスまたは非音声サービスを処理して、ＰＳドメイン内のベアラからＣＳドメイン内のベアラにハンドオーバし、音声サービスの連続性を確保し、ユーザ体験を向上させる。
【０３０６】
任意で、第３のメッセージは、さらに、キー導出パラメータを含み、キー導出パラメータは、アクセスおよびモビリティ管理機能ＡＭＦエンティティによって決定される。
【０３０７】
任意で、処理モジュール８２０は、さらに、
３Ｇネットワークのキー導出パラメータとルートキーに基づいて、３Ｇネットワークのキー情報を導出することか、または
４Ｇネットワークのキー導出パラメータとルートキーに基づいて、４Ｇネットワークのキー情報を導出することを行うように構成されている。
【０３０８】
任意で、処理モジュール８２０は、具体的には、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０３０９】
任意で、処理モジュール８２０は、具体的には、
第１のＦＣ、第２の下りリンク非アクセス層カウント、およびルートキーに基づいて、４Ｇネットワークのキー情報を導出することか、第２のＦＣ、第２の下りリンク非アクセス層カウント、およびルートキーに基づいて、４Ｇネットワークのキー情報を導出することか、
第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０３１０】
任意で、ルートキーは、ＫＡＭＦ、ＫＳＥＡＦ、ＫＡＵＳＦ、および暗号キーＣＫ＋完全性キーＩＫのうちのいずれかである。
【０３１１】
任意で、処理モジュール８２０は、さらに、
４Ｇネットワークのキー情報に基づいて、３Ｇネットワークのキー情報を導出することを行うように構成されている。
【０３１２】
任意で、処理モジュール８２０は、具体的には、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０３１３】
任意に、通信モジュール８１０は、さらに、設定情報を受信するように構成されており、設定情報は、ＣＳドメインにおいて音声サービスの呼が終了したときに、端末が優先的にフォールバックするネットワークを指示する情報を含む。
【０３１４】
本出願の本実施形態における通信装置８００内のモジュールの実装、相互作用等については、方法の実施形態における関連する説明を参照することが理解されよう。
【０３１５】
図９は、本出願の実施形態による通信装置の概略構造図である。図９における通信装置９００は、前述の５Ｇ通信システムの基地局、例えばｇＮＢに対応することができ、
第３のメッセージを生成することと、第３のメッセージが、ＰＳドメインからＣＳドメインへ音声サービスをハンドオーバするように指示するための情報を含む場合、非音声サービスのＰＤＮセッションを一時停止または解放するように端末を指示することか、または第３のメッセージが、ＰＳドメインから４Ｇネットワークへハンドオーバするように指示するための情報を含む場合、音声サービスのべアラを一時停止するように、もしくはＱＣＩ＝１を有するベアラを一時停止するように端末に指示することと、を行うように構成されている処理モジュールと、
第３のメッセージを端末に送信するように構成されている通信モジュールと、を含んでもよい。
【０３１６】
本出願の本実施形態の技術的解決策では、アクセスネットワークデバイスは、第３のメッセージを生成し、第３のメッセージを端末に送信する。端末は、第３のメッセージに含まれる指示情報に従って、音声サービスまたは非音声サービスを一時停止して、ＰＳドメインにおけるベアラからＣＳドメインにおけるベアラに音声サービスがハンドオーバされることを確実し、音声サービスの連続性を確保し、ユーザ体験を向上させる。
【０３１７】
任意で、第３のメッセージは、ターゲットデバイスが位置するネットワークのキー導出パラメータを含み、キー導出パラメータは、ＡＭＦエンティティによって決定される。
【０３１８】
本出願の本実施形態における通信装置９００内のモジュールの実装、相互作用等については、方法の実施形態における関連する説明を参照することが理解されよう。
【０３１９】
通信装置７００、通信装置８００、および通信装置９００内の全てのモジュールは、別々に配置されてもよく、または一緒に統合されてもよいことが理解されよう。前述のモジュールは、コンポーネントまたは回路とも呼ばれる。
【０３２０】
通信装置７００、通信装置８００、または通信装置９００は、少なくとも１つのプロセッサを使用することによって実装されてもよく、少なくとも１つのプロセッサおよび少なくとも１つのメモリを使用して実装されてもよく、少なくとも１つのプロセッサおよび少なくとも１つのトランシーバを使用して実装されてもよく、少なくとも１つのプロセッサ、少なくとも１つのトランシーバ、および少なくとも１つのメモリを使用して実装されてもよいと理解されよう。プロセッサ、トランシーバ、およびメモリは、別々に配置されてもよく、または一緒に統合されてもよい。
【０３２１】
図１０は、通信装置の概略構造図である。通信装置１０００は、ＡＭＦエンティティに対応し、前述の方法の実施形態で説明された方法を実装するように構成されてもよく、端末に対応し、前述の方法の実施形態で説明された方法を実装するように構成されてもよく、またはｇＮＢなどのアクセスネットワークデバイスに対応し、前述の実施形態で説明された方法を実装するように構成されてもよい。詳細については、前述の方法の実施形態の説明を参照のこと。
【０３２２】
通信装置１０００は、１つ以上のプロセッサ３１を含んでもよい。プロセッサ３１は、プロセッシングユニットとも呼ばれることがあり、特定の制御機能を実装することができる。プロセッサ３１は、汎用プロセッサ、専用プロセッサ等とすることができる。
【０３２３】
任意の設計では、メモリ３２は、命令３３を記憶することができる。命令３３は、プロセッサ３１によって動作してもよく、通信装置１０００が、ＡＭＦエンティティ、端末、またはアクセスネットワークデバイスに対応する方法であって、前述の方法の実施形態で説明された方法を行うようにする。
【０３２４】
別の可能な設計では、通信装置１０００は、回路を含んでもよい。回路は、前述の方法の実施形態において、送信、受信、または通信機能を実装してもよい。
【０３２５】
任意で、通信装置１０００は、１つ以上のメモリ３２を含んでもよい。メモリは、命令３３または中間データを記憶する。命令３３は、プロセッサ３１上で動作してもよく、通信装置１０００が、ＡＭＦエンティティ、端末、またはアクセスネットワークデバイスによって行われる方法であって、前述の実施形態で説明された方法を行うようにする。任意で、メモリは、他の関連するデータをさらに記憶してもよい。任意で、プロセッサはまた、命令および／またはデータを記憶してもよい。プロセッサおよびメモリは、別々に配置されてもよく、または一緒に統合されてもよい。
【０３２６】
任意で、通信装置１０００は、トランシーバ３５をさらに含んでもよい。プロセッサ３１は、プロセッシングユニットと呼ばれることがある。トランシーバ３５は、トランシーバユニット、トランシーバマシン、トランシーバ回路、トランシーバなどと呼ばれることがあり、通信装置のトランシーバ機能を実装するように構成されている。
【０３２７】
設計において、通信装置（例えば、集積回路、無線デバイス、回路モジュール、ネットワークデバイス、または端末デバイス）は、プロセッサおよびトランシーバを含んでもよい。図４〜図６Ｂに対応する実施形態において、通信装置が、ＡＭＦエンティティによって行われるステップまたは動作を実装するように構成されている場合、トランシーバ３５は、第１のメッセージを受信することであって、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することを行ってもよく、
プロセッサ３１は、ターゲットデバイスが位置するネットワークのキー情報を導出するように構成されている。
【０３２８】
任意で、プロセッサ３１は、具体的には、
３Ｇネットワークのキー導出パラメータを決定することと、
３Ｇネットワークのキー導出パラメータとルートキーに基づいて、３Ｇネットワークのキー情報を導出することと、を行うように構成されている。
【０３２９】
任意で、プロセッサ３１は、さらに、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０３３０】
任意で、プロセッサ３１は、さらに、
４Ｇネットワークのキー導出パラメータを決定することと、
４Ｇネットワークのキー導出パラメータおよびルートキーに基づいて、４Ｇネットワークのキー情報を導出することと、
４Ｇネットワークのキー情報に基づいて、３Ｇネットワークのキー情報を導出することと、を行うように構成されている。
【０３３１】
任意で、プロセッサ３１は、さらに、４Ｇネットワークのキー導出パラメータを決定することと、４Ｇネットワークのキー導出パラメータとルートキーに基づいて、４Ｇネットワークのキー情報を導出することと、を行うように構成されている。
【０３３２】
任意で、プロセッサ３１は、さらに、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０３３３】
任意で、プロセッサ３１は、さらに、
４Ｇネットワークのキー情報に基づいて、３Ｇネットワークのキー情報を導出することと、を行うように構成されている。
【０３３４】
例えば、プロセッサ３１は、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０３３５】
任意で、ルートキーは、ＫＡＭＦ、ＫＳＥＡＦ、ＫＡＵＳＦ、および暗号キーＣＫ＋完全性キーＩＫのうちのいずれかである。
【０３３６】
任意に、トランシーバ３５は、さらに、
３Ｇネットワークのキー情報をモビリティ管理エンティティＭＭＥに送信することか、
３Ｇネットワークのキー情報と４Ｇネットワークのキー情報をモビリティ管理エンティティＭＭＥに送信することか、または
４Ｇネットワークのキー情報をモビリティ管理エンティティＭＭＥに送信することを行うように構成されている。
【０３３７】
任意に、トランシーバ３５は、さらに、
第２のメッセージを受信することであって、第２のメッセージは、ＰＳドメインからＣＳドメインへの音声サービスのハンドオーバが完了したことを指示する情報を含む、受信することを行うように構成されている。
【０３３８】
トランシーバ３５が第２のメッセージを受信したときに、プロセッサ３１は、第２のメッセージに基づいて、非音声サービスのＰＤＮセッションを一時停止または解放することを決定するように構成されている。
【０３３９】
任意に、トランシーバ３５は、さらに、
設定情報を送信することであって、設定情報は、ＣＳドメインにおいて音声サービスの呼が終了したときに、端末が優先的にフォールバックするネットワークを指示する情報が含む、送信することを行うように構成されている。
【０３４０】
設計において、通信装置（例えば、集積回路、無線デバイス、回路モジュール、ネットワークデバイス、または端末デバイス）は、プロセッサおよびトランシーバを含んでもよい。図５Ａおよび図５Ｂ、または図６Ａおよび図６Ｂに対応する実施形態において、通信装置が、端末によって行われるステップまたは動作を実装するように構成されている場合、トランシーバ３５は、第３のメッセージを受信することと、第３のメッセージが、パケット交換ＰＳドメインから回線交換ＣＳドメインへ音声サービスをハンドオーバするように指示するための情報を含む場合、第３のメッセージに基づいて、非音声サービスのＰＤＮセッションを一時停止または解放することを決定することか、または第３のメッセージが、非音声サービスを４Ｇネットワークにハンドオーバするように指示するための情報を含む場合、第３のメッセージに基づいて、音声サービスのベアラを一時停止するか、もしくはＱＣＩ＝１を有するベアラを一時停止することを決定することと、行ってもよく、
プロセッサ３１は、ターゲットデバイスが位置するネットワークのキー情報を導出することであって、ターゲットデバイスは、３Ｇネットワークおよび／または４Ｇネットワーク内のアクセスネットワークデバイスである、導出することを行うように構成されている。
【０３４１】
任意で、プロセッサ３１は、さらに、
３Ｇネットワークのキー導出パラメータとルートキーに基づいて、３Ｇネットワークのキー情報を導出することか、または
４Ｇネットワークのキー導出パラメータとルートキーに基づいて、４Ｇネットワークのキー情報を導出することを行うように構成されている。
【０３４２】
任意で、プロセッサ３１は、具体的には、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０３４３】
任意で、プロセッサ３１は、具体的には、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、
第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０３４４】
任意で、ルートキーは、ＫＡＭＦ、ＫＳＥＡＦ、ＫＡＵＳＦ、および暗号キーＣＫ＋完全性キーＩＫのうちのいずれかである。
【０３４５】
任意で、プロセッサ３１は、さらに、
４Ｇネットワークのキー情報に基づいて、３Ｇネットワークのキー情報を導出することと、を行うように構成されている。
【０３４６】
任意で、プロセッサ３１は、具体的には、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０３４７】
任意に、トランシーバ３５は、さらに、
設定情報を受信することであって、設定情報は、ＣＳドメインにおいて音声サービスの呼が終了したときに、端末が優先的にフォールバックするネットワークを指示する情報が含む、受信することを行うように構成されている。
【０３４８】
設計において、通信装置（例えば、集積回路、無線デバイス、回路モジュール、ネットワークデバイス、または端末デバイス）は、プロセッサおよびトランシーバを含んでもよい。通信装置が、図４に対応する実施形態において、アクセスネットワークデバイスを実装するように構成されている場合、または、図５Ａおよび図５Ｂに対応する実施形態において、および図６Ａおよび図６Ｂに対応する実施形態において、ｇＮＢによって行われるステップまたは動作を実装するように構成されている場合、プロセッサ３１は、第３のメッセージを生成することと、第３のメッセージが、ＰＳドメインからＣＳドメインへ音声サービスをハンドオーバするように指示するための情報を含む場合、非音声サービスのＰＤＮセッションを一時停止または解放するように端末を指示することか、または第３のメッセージが、ＰＳドメインから４Ｇネットワークへハンドオーバするように指示するための情報を含む場合、音声サービスのべアラを一時停止するように、もしくはＱＣＩ＝１を有するベアラを一時停止するように端末に指示することと、を行ってもよく、トランシーバ３５は、第３のメッセージを端末に送信するように構成されている。
【０３４９】
任意で、第３のメッセージは、ターゲットデバイスが位置するネットワークのキー導出パラメータを含み、キー導出パラメータは、ＡＭＦエンティティによって決定される。
【０３５０】
本出願に記載のプロセッサおよびトランシーバは、集積回路（ｉｎｔｅｇｒａｔｅｄ  ｃｉｒｃｕｉｔ、ＩＣ）、アナログＩＣ、高周波集積回路ＲＦＩＣ、ハイブリッド信号ＩＣ、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、プリント回路基板（ｐｒｉｎｔｅｄ  ｃｉｒｃｕｉｔ  ｂｏａｒｄ、ＰＣＢ）、電子デバイスなどに実装されてもよい。プロセッサおよびトランシーバはまた、種々の１Ｃ技術、例えば、相補型金属酸化物半導体（ｃｏｍｐｌｅｍｅｎｔａｒｙ  ｍｅｔａｌ  ｏｘｉｄｅ  ｓｅｍｉｃｏｎｄｕｃｔｏｒ、ＣＭＯＳ）、Ｎチャネル金属酸化物半導体（ｎＭｅｔａｌ−ｏｘｉｄｅ−ｓｅｍｉｃｏｎｄｕｃｔｏｒ、ＮＭＯＳ）、Ｐチャネル金属酸化物半導体（ｐｏｓｉｔｉｖｅ  ｃｈａｎｎｅｌ  ｍｅｔａｌ  ｏｘｉｄｅ  ｓｅｍｉｃｏｎｄｕｃｔｏｒ、ＰＭＯＳ）、バイポーラ接合トランジスタ（ｂｉｐｏｌａｒ  ｊｕｎｃｔｉｏｎ  ｔｒａｎｓｉｓｔｏｒ、ＢＪＴ）、バイポーラＣＭＯＳ  （ＢＩＣＭＯＳ）、シリコンゲルマニウム（ＳｉＧｅ）、およびガリウムヒ素（ＧａＡｓ）を使用して、製造されてもよい。
【０３５１】
前述の実施形態の説明では、通信装置１０００は、例としてＡＭＦエンティティ、アクセスネットワークデバイス、または端末を使用して説明されているが、本願において説明される通信装置の範囲は、ＡＭＦエンティティ、アクセスネットワークデバイス、または端末に限定されるものではなく、通信装置の構造は図１０に限定されなくてもよい。通信装置は、独立したデバイスであってもよく、または比較的大きなデバイスの一部であってもよい。例えば、デバイスは、
（１）  独立した集積回路（ＩＣ）、チップ、もしくはチップシステムもしくはサブシステム、
（２）  １つ以上のＩＣを有するセットであって、任意で、ＩＣセットはまた、データおよび／または命令を記憶するように構成されている記憶コンポーネントを含んでもよい、１つ以上のＩＣを有するセット、
（３）  ＡＳＩＣ、例えばモデム（ＭＳＭ）、
（４）  別のデバイスに埋め込まれ得るモジュール、
（５）  受信機、端末、携帯電話、無線デバイス、ハンドヘルド電話、移動体ユニット、ネットワークデバイス等、または
（６）  別の装置等、であってもよい。
【０３５２】
当業者は、本明細書に開示された実施形態で説明された実施例のユニットおよびアルゴリズムステップと組み合わせて、本出願は、電子ハードウェアまたは電子ハードウェアとコンピュータソフトウェアとの組み合わせを使用して実施されてもよいと認識するであろう。機能がハードウェアまたはソフトウェアを使用して行われるかどうかは、特定のアプリケーションおよび技術的解決策の設計制約条件に依存する。当業者であれば、特定の用途に対して説明された機能を実装するために異なる方法を使用してもよいが、その実装が本出願の範囲を超えるものであると考えられるべきではない。
【０３５３】
便利で簡単な説明のために、前述のシステム、装置、およびユニットの詳細な作業プロセスについて、前述の方法の実施形態における対応するプロセスを参照することが当業者に明確に理解されてもよく、詳細はここでは再度説明されない。
【０３５４】
本出願に提供されるいくつかの実施形態では、開示されたシステム、装置、および方法は、他の方法で実装され得ると理解されたい。例えば、説明された装置の実施形態は単なる実施例にすぎない。例えば、モジュールまたはユニットへの分割は、単なる論理的な機能分割であり、実際の実装の間の他の分割であってもよい。例えば、複数のユニットまたはコンポーネントは、別のシステムに組み合わせられ、もしくは統合されてもよく、またはいくつかの特徴は、無視されてもよく、もしくは行われなくてもよい。追加的に、表示または議論された相互結合、直接結合、または通信接続は、いくつかのインターフェースを使用して実装されてもよい。装置またはユニット間の間接的な結合または通信接続は、電子的、機械的、または他の形態で実装されてもよい。
【０３５５】
別個の部品として説明されたユニットは、物理的に分離されていても、されていなくてもよく、ユニットとして表示される部品は、物理的ユニットであっても、なくてもよく、言い換えると、１つの場所に位置してもよく、または複数のネットワークユニット上に分散されてもよい。ユニットの一部または全ては、実施形態の解決策の目的を達成するために、実際の要件に基づいて選択されてもよい。
【０３５６】
追加的に、本出願の実施形態における機能ユニットは、１つの処理ユニットに統合されてもよく、または各ユニットは、物理的に単独で存在してもよく、もしくは２つ以上のユニットが１つのユニットに統合されてもよい。
【０３５７】
前述の実施形態の全てまたは一部は、ソフトウェア、ハードウェア、ファームウェア、またはそれらの任意の組み合わせを使用することによって実装されてもよい。実施形態を実装するためにソフトウェアが使用されるときに、実施形態の全てまたは一部は、コンピュータプログラム製品の形態で実装されてもよい。コンピュータプログラム製品は、１つ以上のコンピュータプログラム命令を含む。コンピュータプログラム命令がロードされ、コンピュータ上で実行されるときに、本出願の実施形態による手順または機能は、全部または部分的に生成される。コンピュータは、汎用コンピュータ、専用コンピュータ、コンピュータネットワーク、または別のプログラム可能な装置であってもよい。コンピュータ命令は、コンピュータ可読記憶媒体に記憶されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから、有線（例えば、同軸ケーブル、光ファイバ、またはデジタル加入者線（ＤＳＬ））または無線（例えば、赤外線、無線、またはマイクロ波）方式で、別のウェブサイト、コンピュータ、サーバ、またはデータセンタに送信されてもよい。コンピュータ可読記憶媒体は、コンピュータによってアクセス可能な任意の使用可能媒体、または１つ以上の使用可能媒体を統合するサーバもしくはデータセンタなどのデータ記憶デバイスであってもよい。使用可能媒体は、磁気媒体（例えば、フロッピーディスク、ハードディスク、または磁気テープ）、光媒体（例えば、ＤＶＤ）、半導体媒体（例えば、ソリッド・ステート・ドライブ・ソリッド・ステート・ディスク（ＳＳＤ））などである。
【０３５８】
前述の説明は、本出願の単なる具体的な実装であるが、本出願の保護範囲を制限することは意図されていない。本出願に開示された技術的範囲内で、当業者によって容易に理解される任意の変更または代替は、本出願の保護範囲に含まれるものとする。したがって、本出願の保護範囲は、特許請求の範囲の保護範囲に従うものとする。
【図１】
2021517786.tif 000003
【図２】
2021517786.tif 000004
【図３】
2021517786.tif 000005
【図４】
2021517786.tif 000006
【図５Ａ】
2021517786.tif 000007
【図５Ｂ】
2021517786.tif 000008
【図６Ａ】
2021517786.tif 000009
【図６Ｂ】
2021517786.tif 000010
【図７】
2021517786.tif 000011
【図８】
2021517786.tif 000012
【図９】
2021517786.tif 000013
【図１０】
2021517786.tif 000014
【手続補正書】
【提出日】令和2年11月11日(2020.11.11)
【手続補正１】
【補正対象書類名】明細書
【補正対象項目名】全文
【補正方法】変更
【補正の内容】
【発明の詳細な説明】
【技術分野】
【０００１】
本出願は、２０１８年４月４日に国家知識産権局に出願され、「ＣＯＭＭＵＮＩＣＡＴＩＯＮ  ＭＥＴＨＯＤ  ＡＮＤ  ＣＯＭＭＵＮＡＴＩＯＮＳ  ＡＰＰＡＲＡＴＵＳ」と題する中国特許出願第２０１８１０３０１４１１．２号に対する優先権を主張し、その全体が参照により本明細書に組み込まれる。
【０００２】
本出願は、通信分野に関し、特に、通信方法および通信装置に関する。
【背景技術】
【０００３】
異なる通信ネットワークでは、音声サービスは異なるベアリングメカニズムを有する。具体的には、第２世代（２ｎｄ  ｇｅｎｅｒａｔｉｏｎ、２Ｇ）移動通信技術、第３世代（３ｒｄ  ｇｅｎｅｒａｔｉｏｎ、３Ｇ）移動通信技術を使用したネットワークでは、音声サービスは回線交換（ＣＳ）ドメインで搬送されるセッションサービスである。ネットワーク技術の開発に伴い、パケット交換（ＰＳ）ドメインを提供するいくつかのネットワーク、例えばロング・ターム・エボリューション（ＬＴＥ）ネットワークも音声サービスをサポートする。
【０００４】
単一無線音声通話連続性（ｓｉｎｇｌｅ  ｒａｄｉｏ  ｖｏｉｃｅ  ｃａｌｌ  ｃｏｎｔｉｎｕｉｔｙ、ＳＲＶＣＣ）は、ロング・ターム・エボリューション（ｌｏｎｇ  ｔｅｒｍ  ｅｖｏｌｕｔｉｏｎ、ＬＴＥ）ネットワークにおける音声サービス連続性を実現するための解決策である。音声サービスを行っている端末がＬＴＥネットワークのカバレッジ外に移動した後に音声サービスが中断されるという問題を回避するために、ＳＲＶＣＣ解決策が使用されて、パケット交換（ｐａｃｋｅｔ  ｓｗｉｔｃｈ、ＰＳ）ドメインから回線交換（ｃｉｒｃｕｉｔ  ｓｗｉｔｃｈ、ＣＳ）ドメインへ音声サービスをハンドオーバすることができ、音声サービスが中断されないことを確保する。
【０００５】
次世代通信ネットワークでは、例えば、第５世代（５ｔｈ  Ｇｅｎｅｒａｔｉｏｎ、５Ｇ）移動通信技術では、音声オーバＩＰマルチメディアサブシステム（ｖｏｉｃｅ  ｏｖｅｒ  ＩＰ  ｍｕｌｔｉｍｅｄｉａ  ｓｕｂｓｙｓｔｅｍ、ＶｏＩＭＳ）技術がサポートされる。音声サービスを行う端末が５Ｇネットワークのカバレッジの外に移動した後の音声サービスの中断を回避するために、言い換えると、音声サービスの連続性をサポートするために、音声サービスが５Ｇネットワークから２Ｇ／３ＧネットワークのＣＳドメインにハンドオーバされる必要がある。
【０００６】
５Ｇネットワークにおける音声サービスの連続性を確保するために、どのように５Ｇネットワークから２Ｇ／３ＧネットワークのＣＳドメインへの音声サービスをハンドオーバするかは、早急に解決される必要がある技術課題となっている。
【発明の概要】
【０００７】
本出願は、ＰＳドメインにおけるベアラからＣＳドメインにおけるベアラに端末の音声サービスがハンドオーバされ、５Ｇネットワークにおける音声サービスの連続性を確保し、ユーザ体験を向上させるための通信方法と通信装置を提供する。
【０００８】
第１の態様によれば、通信方法が提供される。方法は、アクセスおよびモビリティ管理機能ＡＭＦエンティティによって、アクセスネットワークデバイスから第１のメッセージを受信することであって、第１のメッセージは、パケット交換ＰＳドメインから回線交換ＣＳドメインに端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することと、ＡＭＦエンティティによって、ターゲットデバイスが位置するネットワークのキー情報を導出することと、を含む。
【０００９】
本出願の本実施形態の技術的解決策では、ＡＭＦエンティティは、第１メッセージ内のターゲットデバイスの識別子に基づいて、音声サービスがハンドオーバされるネットワークを決定して、ターゲットデバイスが位置するネットワークのキー情報を導出し、音声サービスがＰＳドメインにおけるベアラからターゲットデバイスが位置するネットワークにハンドオーバされることを確実にし、音声サービスの連続性を確保し、ユーザ体験を向上させる。
【００１０】
第１の態様を参照すると、第１の態様のいくつかの実装では、ターゲットデバイスは、３Ｇネットワーク内のアクセスネットワークデバイスであり、ＡＭＦエンティティによって、ターゲットデバイスが位置するネットワークのキー情報を導出することは、ＡＭＦエンティティによって、３Ｇネットワークのキー導出パラメータを決定することと、ＡＭＦエンティティによって、３Ｇネットワークのキー導出パラメータおよびＡＭＦエンティティが位置するネットワークのルートキーに基づいて、３Ｇネットワークのキー情報を導出することと、を含む。
【００１１】
第１の態様を参照すると、第１の態様のいくつかの実装では、ＡＭＦエンティティによって、３Ｇネットワークのキー導出パラメータおよびＡＭＦエンティティが位置するネットワークのルートキーに基づいて、３Ｇネットワークのキー情報を導出することは、
ＡＭＦエンティティによって、第１のＦＣ、第１の下りリンク非アクセス層カウント、およびＡＭＦエンティティが位置するネットワークのルートキーに基づいて、３Ｇネットワークのキー情報を導出することか、
ＡＭＦエンティティによって、第１のＦＣ、プリセット値、およびＡＭＦエンティティが位置するネットワークのルートキーに基づいて、３Ｇネットワークのキー情報を導出することか、または
ＡＭＦエンティティによって、第１のＦＣ、乱数、およびＡＭＦエンティティが位置するネットワークのルートキーに基づいて、３Ｇネットワークのキー情報を導出すること、を含む。
【００１２】
本出願の本実施形態の技術的解決策では、キー導出方式が提供される。具体的には、ＡＭＦエンティティは、３Ｇネットワーク内のアクセスネットワークデバイスの識別子に基づいて、３Ｇネットワークのキー情報を導出するためのキー導出パラメータを決定し、５Ｇネットワークのルートキーおよび３Ｇネットワークのキー導出パラメータに基づいて、３Ｇネットワークのキー情報を導出する。
【００１３】
第１の態様を参照すると、第１の態様のいくつかの実装では、ターゲットデバイスは、３Ｇネットワーク内のアクセスネットワークデバイスであり、ＡＭＦエンティティによって、ターゲットデバイスが位置するネットワークのキー情報を導出することは、
ＡＭＦエンティティによって、４Ｇネットワークのキー導出パラメータを決定することと、
ＡＭＦエンティティによって、４Ｇネットワークのキー導出パラメータおよびＡＭＦエンティティが位置するネットワークのルートキーに基づいて、４Ｇネットワークのキー情報を導出することと、
ＡＭＦエンティティによって、４Ｇネットワークのキー情報に基づいて、３Ｇネットワークの前記キー情報を導出することと、含む。
【００１４】
第１の態様を参照すると、第１の態様のいくつかの実装では、ターゲットデバイスは、４Ｇネットワーク内のアクセスネットワークデバイスであり、ＡＭＦエンティティによって、ターゲットデバイスが位置するネットワークのキー情報を導出することは、
ＡＭＦエンティティによって、４Ｇネットワークのキー導出パラメータを決定することと、
ＡＭＦエンティティによって、４Ｇネットワークのキー導出パラメータおよびＡＭＦエンティティが位置するネットワークのルートキーに基づいて、４Ｇネットワークのキー情報を導出することと、を含む。
【００１５】
第１の態様を参照すると、第１の態様のいくつかの実装では、ＡＭＦエンティティによって、４Ｇネットワークのキー導出パラメータおよびＡＭＦエンティティが位置するネットワークのルートキーに基づいて、４Ｇネットワークのキー情報を導出することは、
ＡＭＦエンティティによって、第１のＦＣ、第２の下りリンク非アクセス層カウント、およびＡＭＦエンティティが位置するネットワークのルートキーに基づいて、４Ｇネットワークのキー情報を導出することか、
ＡＭＦエンティティによって、第２のＦＣ、第２の下りリンク非アクセス層カウント、およびＡＭＦエンティティが配置するネットワークのルートキーに基づいて、４Ｇネットワークのキー情報を導出することか、
ＡＭＦエンティティによって、第２のＦＣ、プリセット値、およびＡＭＦエンティティが位置するネットワークのルートキーに基づいて、４Ｇネットワークのキー情報を導出することか、または
ＡＭＦエンティティによって、第２のＦＣ、乱数、およびＡＭＦエンティティが位置するネットワークのルートキーに基づいて、４Ｇネットワークの前記キー情報を導出すること、を含む。
【００１６】
本出願の本実施形態の技術的解決策では、キー導出方式が提供される。具体的には、ＡＭＦエンティティは、４Ｇネットワーク内のアクセスネットワークデバイスの識別子に基づいて、４Ｇネットワークのキー情報を導出するためのキー導出パラメータを決定し、５Ｇネットワークのルートキーおよび４Ｇネットワークのキー導出パラメータに基づいて、４Ｇネットワークのキー情報を導出する。
【００１７】
第１の態様を参照すると、第１の態様のいくつかの実装では、ＡＭＦエンティティによって、４Ｇネットワークのキー情報に基づいて、３Ｇネットワークのキー情報を導出することは、
ＡＭＦエンティティによって、４Ｇネットワークのキー情報、第１のＦＣ、および第２の下りリンク非アクセス層カウントに基づいて、３Ｇネットワークのキー情報を導出することか、
ＡＭＦエンティティによって、４Ｇネットワークのキー情報、第２のＦＣ、第２の下りリンク非アクセス層カウントに基づいて、３Ｇネットワークのキー情報を導出することか、
ＡＭＦエンティティによって、４Ｇネットワークのキー情報、第２のＦＣ、およびプリセット値に基づいて、３Ｇネットワークのキー情報を導出することか、または
ＡＭＦエンティティによって、４Ｇネットワークのキー情報、第２のＦＣ、および乱数に基づいて、３Ｇネットワークのキー情報を導出すること、を含む。
【００１８】
本出願の本実施形態の技術的解決策では、キー導出方式が提供される。具体的には、ＡＭＦエンティティは、３Ｇネットワーク内のアクセスネットワークデバイスの識別子、４Ｇネットワークの導出されたキー情報、および３Ｇネットワークのキー導出パラメータに基づいて、３Ｇネットワークのキー情報を導出する。第１の態様を参照すると、第１の態様のいくつかの実装では、ＡＭＦエンティティによって、４Ｇネットワークのキー情報に基づいて、３Ｇネットワークのキー情報を導出することは、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、およびプリセット値に基づいて、３Ｇネットワークのキー情報を導出することか、または
ＡＭＦエンティティによって、４Ｇネットワークのキー情報、第３のＦＣ、および乱数に基づいて、３Ｇネットワークのキー情報を導出すること、を含む。
【００１９】
４Ｇネットワークのキー情報に基づいて、３Ｇネットワークのキー情報を導出するために使用されるキー導出パラメータは、５Ｇネットワークのキーに基づいて、４Ｇネットワークまたは３Ｇネットワークのキー情報を導出するために使用されるキー導出パラメータと同じであってもよく、５Ｇネットワークのキーに基づいて、４Ｇネットワークまたは３Ｇネットワークのキー情報を導出するために使用されるキー導出パラメータとは異なってもよいと留意されたい。キー導出パラメータは、第１のＦＣ、第２のＦＣ、第３のＦＣ、第１の下りリンク非アクセス層の値、第２の下りリンク非アクセス層の値、プリセット値、および乱数などのパラメータを含む。
【００２０】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願のキー導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【００２１】
第１の態様を参照すると、第１の態様のいくつかの実施態様では、
ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかである。
【００２２】
第１の態様を参照すると、第１の態様のいくつかの実施態様では、通信方法は、さらに、
ＡＭＦエンティティによって、３Ｇネットワークのキー情報をモビリティ管理エンティティＭＭＥに送信することか、
ＡＭＦエンティティによって、３Ｇネットワークのキー情報および４Ｇネットワークのキー情報をモビリティ管理エンティティＭＭＥに送信することか、または
ＡＭＦエンティティによって、４Ｇネットワークのキー情報をモビリティ管理エンティティＭＭＥに送信すること、を含む。
【００２３】
本出願の実施形態において、ＭＭＥエンティティは、ＡＭＦエンティティとＭＳＣエンティティとの間でメッセージを転送するためのネットワークデバイスとして機能し得ることに留意されたい。例えば、ＡＭＦエンティティは、ＭＭＥエンティティを介してＭＳＣエンティティにキー情報を送信するか、またはＡＭＦエンティティは、ＭＭＥエンティティを介してハンドオーバ要求メッセージを送信する。
【００２４】
いくつかの可能な実装では、ＡＭＦエンティティが、ターゲットデバイスが位置するネットワークのキー情報を導出し、３Ｇネットワーク内のＭＳＣエンティティにキー情報を送信する方式は、以下の方式のいずれかを含むが、これらに限定されない。
【００２５】
方式１：
【００２６】
端末が５Ｇネットワークから３Ｇネットワークへの音声サービスのハンドオーバをサポートし、ＡＭＦエンティティと移動交換センタＭＳＣエンティティとの間にインターフェースがあるときに、ＡＭＦエンティティは、３Ｇネットワークのキー情報を取得するか、または３Ｇネットワークのキー情報として５Ｇネットワークにおける端末のＣＫおよびＩＫを使用し、３Ｇネットワークのキー情報をＭＳＣエンティティに直接送信する。
【００２７】
方式２：
【００２８】
端末が５Ｇネットワークから３Ｇネットワークへの音声サービスのハンドオーバをサポートし、ＡＭＦエンティティとＭＳＣエンティティとの間にインターフェースがないときに、ＡＭＦエンティティは、３Ｇネットワークのキー情報を取得し、３Ｇネットワークの導出されたキー情報をＭＭＥエンティティを介してＭＳＣエンティティに転送する。
【００２９】
方式３：
【００３０】
端末が５Ｇネットワークから３Ｇネットワークへの音声サービスのハンドオーバをサポートしないときに、ＡＭＦエンティティは、４Ｇネットワークのキー情報を導出し、４Ｇネットワークのキー情報をＭＭＥエンティティに送信し、ＭＭＥエンティティは、４Ｇネットワークのキー情報に基づいて、３Ｇネットワークのキー情報を取得するか、または４Ｇネットワークのキー情報から３Ｇネットワークのキー情報を抽出し、３Ｇネットワークの導出されたキー情報をＭＳＣエンティティに送信する。
【００３１】
方式４：
【００３２】
端末が５Ｇネットワークから３Ｇネットワークへの音声サービスのハンドオーバをサポートしないときに、ＡＭＦエンティティは、３Ｇネットワークのキー情報および４Ｇネットワークのキー情報を導出し、３Ｇネットワークのキー情報および４Ｇネットワークのキー情報をＭＭＥエンティティに送信し、５Ｇネットワークから４Ｇネットワークへの非音声サービスまたは非ＧＢＲ  （Ｇｕａｒａｎｔｅｅｄ  Ｂｉｔ  Ｒａｔｅ、ｇｕａｒａｎｔｅｅｄ  ｂｉｔ  ｒａｔｅ）ベアラの一部または全てのハンドオーバを完了した後、ＭＭＥエンティティは、ＡＭＦエンティティによって導出された３Ｇネットワークのキー情報をＭＳＣエンティティに送信する。
【００３３】
第１の態様を参照すると、第１の態様のいくつかの実装では、通信方法は、さらに、
ＡＭＦエンティティによって、移動交換センタＭＳＣエンティティから第２のメッセージを受信することであって、第２のメッセージは、ＰＳドメインからＣＳドメインへの音声サービスのハンドオーバが完了したことを指示する情報を含む、受信することと、
ＡＭＦエンティティによって、第２のメッセージに基づいて、非音声サービスまたは非ＧＢＲベアラのＰＤＮセッションを一時停止または解放することを決定することと、を含む。
【００３４】
第１の態様を参照すると、第１の態様のいくつかの実施態様では、通信方法は、さらに、
ＡＭＦエンティティにより、設定情報を端末に送信することであって、設定情報は、ＣＳドメインにおいて音声サービスの呼が終了したときに、端末が優先的にフォールバックするネットワークを指示する情報を含む。
【００３５】
任意で、本出願は、キー導出の実装を提供し、本実装は、本出願のすべてのシナリオに適用可能である。
【００３６】
ＡＭＦエンティティは、最初に４Ｇネットワークのキー情報を取得し、次いで、４Ｇネットワークのキー情報に基づいて３Ｇネットワークのキー情報を導出し、３Ｇネットワークの導出されたキー情報をＭＭＥエンティティまたはＭＳＣエンティティに送信する。
【００３７】
５Ｇネットワークのルートキーに基づいて、４Ｇキーを導出するための入力パラメータは、以下のパラメータのうちの少なくとも１つを含む。つまり、第１のＦＣ、第２のＦＣ、第１の下りリンク非アクセス層カウント、第２の下りリンク非アクセス層カウント、第２のプリセット値、第１のプリセット値、第１の乱数、または第２の乱数である。４ＧキーはＫＡＳＭＥであってもよい。
【００３８】
４Ｇネットワークの導出されたキー情報に基づいて、３Ｇキーを導出するための入力パラメータは、以下のパラメータのうちの少なくとも１つを含む。つまり、第１のＦＣ、第２のＦＣ、第３のＦＣ、第１の下りリンク非アクセス層カウント、第２の下りリンク非アクセス層カウント、第３の下りリンク非アクセス層カウント、第３のプリセット値、第２のプリセット値、第１のプリセット値、第１の乱数、第２の乱数、または第３の乱数である。
【００３９】
例えば、第１のＦＣ、第１の下りリンク非アクセス層カウント、第１の乱数、または第１のプリセット値は、ＡＭＦエンティティが、５Ｇネットワークのルートキーに基づいて、３Ｇネットワークのキー情報を導出するために使用されてもよい。
【００４０】
例えば、第２のＦＣ、第２の下りリンク非アクセス層カウント、第２の乱数、または第２のプリセット値は、ＡＭＦエンティティが、５Ｇネットワークのルートキーに基づいて、４Ｇネットワークのキー情報を導出するために使用されてもよい。
【００４１】
例えば、第３のＦＣ、第３の下りリンク非アクセス層カウント、第３の乱数、または第３のプリセット値は、ＡＭＦエンティティが、４Ｇネットワークのルートキーに基づいて、３Ｇネットワークのキー情報を導出するために使用されてもよい。
【００４２】
任意で、４Ｇネットワークは、ＡＭＦエンティティによって生成されたハンドオーバ要求メッセージを転送するために使用される。
【００４３】
任意の実装では、メッセージは、パケット交換ＰＳドメインから回線交換ＣＳドメインに端末の音声サービスをハンドオーバするように指示するための情報フィールドを含み、情報ファイルドは、ＭＭＥエンティティのための透明コンテナである。３Ｇネットワークのキー情報は、このフィールドで搬送される。この場合、メッセージは、ＡＭＦエンティティを再利用することによって、かつ音声サービスを４Ｇシステムにハンドオーバするために送信される要求メッセージであり、情報を搬送するためにメッセージに送信元が追加される。この実装では、ＭＭＥエンティティはわずかに影響を受け、識別と転送のみを必要とする。
【００４４】
任意の実装では、ＡＭＦエンティティおよびＭＭＥエンティティは、ＡＭＦエンティティによって生成されたメッセージを送信するために使用されるメッセージを定義する。メッセージは、パケット交換ＰＳドメインから回線交換ＣＳドメインへの端末の音声サービスのハンドオーバを要求するために使用される。この実装では、新しいメッセージが定義される必要があり、４ＧネットワークへのハンドオーバのためにＡＭＦエンティティによって送信される要求メッセージは影響されない。
【００４５】
ＭＭＥエンティティは、メッセージまたは情報を受信した後、メッセージまたは情報をデフォルトまたは事前設定されたアンカーＭＳＣデバイス、またはメッセージに示されたアンカーＭＳＣデバイスに転送する。
【００４６】
第２の態様によれば、通信方法が提供される。通信方法は、第３のメッセージを受信することと、第３のメッセージが、パケット交換ＰＳドメインから回線交換ＣＳドメインへ音声サービスをハンドオーバするように指示するための情報を含む場合、第３のメッセージに基づいて、非音声サービスのＰＤＮセッションを一時停止または解放することを決定することか、または第３のメッセージが、非音声サービスまたはいくつかの非ＧＢＲベアラを４Ｇネットワークにハンドオーバするように指示するための情報を含む場合、第３のメッセージに基づいて、音声サービスのベアラを一時停止するか、もしくはＱＣＩ＝１を有するベアラもしくはＧＢＲベアラを一時停止することを決定することと、
ターゲットデバイスが位置するネットワークのキー情報を導出することを決定することであって、ターゲットデバイスが３Ｇネットワークおよび／または４Ｇネットワーク内のアクセスネットワークデバイスである、決定することと、を含む。
【００４７】
本出願の本実施形態の技術的解決策では、端末は、受信された第３のメッセージに基づいて、端末の音声サービスまたは非音声サービスを処理し、ＰＳドメインにおけるベアラからＣＳドメインにおけるベアラへ音声サービスをハンドオーバして、音声サービスの連続性を確保し、ユーザ体験を向上させる。
【００４８】
第２の態様を参照すると、第２の態様のいくつかの実装では、第３のメッセージは、さらに、キー導出パラメータを含み、キー導出パラメータは、アクセスおよびモビリティ管理機能ＡＭＦエンティティによって決定される。
【００４９】
第２の態様を参照すると、第２の態様のいくつかの実装では、通信方法は、さらに、
３Ｇネットワークのキー導出パラメータおよびルートキーに基づいて、３Ｇネットワークのキー情報を導出することか、または
４Ｇネットワークのキー導出パラメータおよびルートキーに基づいて、４Ｇネットワークのキー情報を導出すること、を含む。
【００５０】
第２の態様を参照すると、第２の態様のいくつかの実装では、３Ｇネットワークのキー導出パラメータおよびルートキーに基づいて、３Ｇネットワークのキー情報を導出することは、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出すること、を含む。
【００５１】
本出願の本実施形態の技術的解決策では、キー導出方式が提供される。具体的には、ＡＭＦエンティティは、３Ｇネットワーク内のアクセスネットワークデバイスの識別子に基づいて、３Ｇネットワークのキー情報を導出するためのキー導出パラメータを決定し、５Ｇネットワークのルートキーおよび３Ｇネットワークのキー導出パラメータに基づいて、３Ｇネットワークのキー情報を導出する。
【００５２】
第２の態様を参照すると、第２の態様のいくつかの実装では、４Ｇネットワークのキー導出パラメータおよびルートキーに基づいて、４Ｇネットワークのキー情報を導出することは、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出すること、を含む。
【００５３】
本出願の本実施形態の技術的解決策では、キー導出方式が提供される。具体的には、ＡＭＦエンティティは、４Ｇネットワーク内のアクセスネットワークデバイスの識別子に基づいて、４Ｇネットワークのキー情報を導出するためのキー導出パラメータを決定し、５Ｇネットワークのルートキーおよび４Ｇネットワークのキー導出パラメータに基づいて、４Ｇネットワークのキー情報を導出する。
【００５４】
３Ｇネットワークのキーを導出するためのプリセット値は、４Ｇのキーを導出するためのプリセット値と同じか、または異なると留意されたい。３Ｇネットワークのキーを導出するための乱数は、４Ｇのキーを導出するための乱数と同じか、または異なる。
【００５５】
第２の態様を参照すると、第２の態様のいくつかの実装では、ルートキーは、ＫＡＭＦ、ＫＳＥＡＦ、uＫＡＵＳＦ、および暗号キーＣＫ＋完全性キーＩＫうちのいずれかである。
【００５６】
第２の態様を参照すると、第２の態様のいくつかの実装では、通信方法は、さらに、
４Ｇネットワークのキー情報に基づいて、３Ｇネットワークのキー情報を導出することを含む。
【００５７】
第２の態様を参照すると、第２の態様のいくつかの実装では、４Ｇネットワークのキー情報に基づいて、３Ｇネットワークのキー情報を導出することは、
４Ｇネットワークのキー情報、第１のＦＣ、および第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出すること、を含む。
【００５８】
第２の態様を参照すると、第２の態様のいくつかの実装では、ＡＭＦエンティティによって、４Ｇネットワークのキー情報に基づいて、３Ｇネットワークのキー情報を導出することは、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、および第２の下りリンク非アクセス層カウントに基づいて、３Ｇネットワークのキー情報を導出することか、
ＡＭＦエンティティによって、４Ｇネットワークのキー情報、第３のＦＣ、およびプリセット値に基づいて、３Ｇネットワークのキー情報を導出することか、または
ＡＭＦエンティティによって、４Ｇネットワークのキー情報、第３のＦＣ、および乱数に基づいて、３Ｇネットワークのキー情報を導出すること、を含む。
【００５９】
本出願の本実施形態の技術的解決策では、キー導出方式が提供される。具体的には、ＡＭＦエンティティは、３Ｇネットワーク内のアクセスネットワークデバイスの識別子、４Ｇネットワークの導出されたキー情報、および３Ｇネットワークのキー導出パラメータに基づいて、３Ｇネットワークのキー情報を導出する。
【００６０】
４Ｇネットワークのキー情報に基づいて、３Ｇネットワークのキー情報を導出するために使用されるキー導出パラメータは、３Ｇネットワークのキー情報を導出するために使用されるキー導出パラメータと同じであってもよく、３Ｇネットワークのキー情報を導出するために使用されるキー導出パラメータとは異なってもよいと留意されたい。キー導出パラメータは、第１のＦＣ、第２のＦＣ、第３のＦＣ、第１の下りリンク非アクセス層カウント、第２の下りリンク非アクセス層カウント、プリセット値、および乱数などのパラメータを含む。
【００６１】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【００６２】
第２の態様を参照すると、第２の態様のいくつかの実装では、通信方法は、さらに、
ＡＭＦエンティティから設定情報を受信し、設定情報は、ＣＳドメインにおいて音声サービスの呼が終了したときに、端末が優先的にフォールバックするネットワークを指示する情報を含む。
【００６３】
第３の態様によれば、通信方法が提供される。通信方法は、アクセスネットワークデバイスによって、第３のメッセージを生成することと、第３のメッセージが、ＰＳドメインからＣＳドメインへ音声サービスをハンドオーバするように指示するための情報を含む場合、非音声サービスのＰＤＮセッションを一時停止または解放するように端末を指示することか、または第３のメッセージが、ＰＳドメインから４Ｇネットワークへハンドオーバするように指示するための情報を含む場合、音声サービスのべアラを一時停止するように、もしくはＱＣＩ＝１を有するベアラを一時停止するように端末に指示することと、
アクセスネットワークデバイスによって、第３のメッセージを端末に送信することと、を含む。
【００６４】
本出願の本実施形態の技術的解決策では、アクセスネットワークデバイスは、第３のメッセージを生成し、第３のメッセージを端末に送信する。端末は、第３のメッセージに含まれる指示情報に従って、音声サービスまたは非音声サービスを一時停止して、ＰＳドメインにおけるベアラからＣＳドメインにおけるベアラに音声サービスがハンドオーバされることを確実し、音声サービスの連続性を確保し、ユーザ体験を向上させる。
【００６５】
第３の態様を参照すると、第３の態様のいくつかの実装では、第３のメッセージは、ターゲットデバイスが位置するネットワークのキー導出パラメータを含み、キー導出パラメータはＡＭＦエンティティによって決定される。
【００６６】
第４の態様によれば、通信方法が提供される。通信方法は、アクセスおよびモビリティ管理機能ＡＭＦエンティティによって、移動交換センタＭＳＣエンティティによって送信された第２のメッセージを受信することであって、第２のメッセージは、パケット交換ＰＳドメインから回線交換ＣＳドメインへの端末の音声サービスのハンドオーバが完了したことを指示するために使用される、受信することと、
ＡＭＦエンティティによって、第２のメッセージに基づいて、非音声サービスまたは非ＧＢＲベアラのＰＤＮセッションを一時停止または解放することを決定することと、を含む。
【００６７】
第４の態様を参照すると、第４の態様のいくつかの実装において、通信方法は、さらに、ＡＭＦエンティティによって、ＣＳドメインネットワークのキー情報を導出することであって、キー情報は、暗号キー、完全性保護キー、または暗号キーと完全性保護キーを含む、導出することを含む。
【００６８】
第４の態様を参照すると、第４の態様のいくつかの実装において、ＡＭＦエンティティによって、ＣＳドメインネットワークのキー情報を導出することは、ＡＭＦエンティティによって、キー導出パラメータを決定することと、ＡＭＦエンティティによって、キー導出パラメータおよびルートキーに基づいて、ＣＳドメインネットワークのキー情報を導出することであって、ルートキーは、ＫＡＭＦ、ＫＳＥＡＦ、ＫＡＵＳＦ、および暗号キーＣＫ＋完全性キーＩＫのうちのいずれかを含む、導出することと、を含む。
【００６９】
第４の態様を参照すると、第４の態様のいくつかの実装において、通信方法は、さらに、ＡＭＦエンティティによって、設定情報を端末に送信することであって、設定情報は、ＣＳドメインにおいて音声サービスの呼が終了したときに、端末が優先的にフォールバックするネットワークを指示する情報を含む、送信することを含む。
【００７０】
第５の態様によれば、通信装置が提供される。装置は、第１の態様または第１の態様の可能な実装のうちのいずれかに従って、通信方法を実装するように構成されているモジュール、コンポーネント、または回路を含む。
【００７１】
第６の態様によれば、通信装置が提供される。装置は、第２の態様または第２の態様の可能な実装のうちのいずれかに従って、通信方法を実装するように構成されているモジュール、コンポーネント、または回路を含む。
【００７２】
第７の態様によれば、通信装置が提供される。装置は、第３の態様または第３の態様の可能な実装のうちのいずれかに従って、通信方法を実装するように構成されているモジュール、コンポーネント、または回路を含む。
【００７３】
第８の態様によれば、通信装置が提供される。装置は、第１の態様〜第４の態様まで、または第１の態様〜第４の態様の可能な実装のうちのいずれかに従って、通信方法を行うように構成されているプロセッサおよびトランシーバを含む。
【００７４】
第９の態様によれば、チップが提供される。チップは、第１の態様〜第４の態様、または第１の態様〜第４の態様の可能な実装のうちのいずれかに従って、通信方法を行うように構成されているプロセッサおよびトランシーバを含む。
【００７５】
第１０の態様によれば、コンピュータ可読記憶媒体が提供される。コンピュータ可読記憶媒体は、命令を含む。命令が通信装置上で動作するときに、通信装置は、第１の態様〜第４の態様、または第１の態様〜第４の態様の可能な実装のうちのいずれかに従って、通信方法を実装することが可能となる。
【００７６】
第１１の態様によれば、コンピュータプログラムが提供される。コンピュータプログラムが通信装置上で動作するときに、通信装置は、第１の態様〜第４の態様、または第１の態様〜第４の態様の可能な実装のうちのいずれかに従って、通信方法を実装することが可能となる。
【図面の簡単な説明】
【００７７】
【図１】本出願の実施形態において適用され得る通信システムの概略図である。
【図２】本出願の実施形態による通信方法のアプリケーションシナリオの概略図である。
【図３】本出願の別の実施形態による通信方法のアプリケーションシナリオの概略図である。
【図４】本出願の実施形態による通信方法の概略相互作用図である。
【図５Ａ】本出願の別の実施形態による通信方法の概略相互作用図である。
【図５Ｂ】本出願の別の実施形態による通信方法の概略相互作用図である。
【図６Ａ】本出願のさらに別の実施形態による通信方法の概略相互作用図である。
【図６Ｂ】本出願のさらに別の実施形態による通信方法の概略相互作用図である。
【図７】本出願の実施形態による通信装置の概略ブロック図である。
【図８】本出願の別の実施形態による通信装置の概略ブロック図である。
【図９】本出願のさらに別の実施形態による通信装置の概略ブロック図である。
【図１０】本出願のさらに別の実施形態による通信装置の概略構造図である。
【発明を実施するための形態】
【００７８】
以下、添付の図面を参照して、本出願の技術的解決策を説明する。
【００７９】
本出願で使用される「コンポーネント」、「モジュール」、「システム」などの用語は、コンピュータ関連エンティティ、ハードウェア、ファームウェア、ハードウェアとソフトウェアの組み合わせ、ソフトウェア、または実行中のソフトウェアを指示するために使用される。例えば、コンポーネントは、プロセッサ上で動作するプロセス、プロセッサ、オブジェクト、実行可能ファイル、実行スレッド、プログラム、および／またはコンピュータであってもよいが、これらに限定されない。図に示されているように、コンピューティングデバイスおよびコンピューティングデバイス上で動作するアプリケーションの両方が、コンポーネントであってもよい。１つ以上のコンポーネントは、プロセスおよび／または実行スレッド内に存在してもよく、コンポーネントは、１つのコンピュータ上に位置してもよく、および／または、２つ以上のコンピュータ間で分散されていてもよい。追加的に、これらのコンポーネントは、種々のデータ構造を記憶する様々なコンピュータ可読媒体から実行されてもよい。例えば、コンポーネントは、ローカルおよび／またはリモートプロセスを行うことによって通信し、例えば、１つ以上のデータパケット（例えば、ローカルシステム、分散システム内の別のコンポーネントと相互作用する２つのコンポーネントからのデータ、および／または、信号を使用することによって別のシステムと相互作用するインターネットなどのネットワークを介したデータ）を有する信号に基づいて通信してもよい。
【００８０】
本出願の実施形態における方式、事例、タイプ、および実施形態の分割は、単に説明を容易にするためであるが、いかなる特別な限定を構成すべきではなく、矛盾がないときには、様々な方式、事例、および実施形態における特徴が組み合わせられてもよいと理解されたい。
【００８１】
さらに、本出願の実施態様において、「第１」、「第２」、および「第３」などは、単に異なるオブジェクトを指示することを意図されており、示されたオブジェクトに対する他の限定を示さないと理解されたい。
【００８２】
本出願の実施形態の技術的解決策は、移動通信のためのグローバルシステム（ＧＳＭ）システム、符号分割多元接続（ｃｏｄｅ  ｄｉｖｉｓｉｏｎ  ｍｕｌｔｉｐｌｅ  ａｃｃｅｓｓ、ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システム、一般パケット無線サービス（ｇｅｎｅｒａｌ  ｐａｃｋｅｔ  ｒａｄｉｏ  ｓｅｒｖｉｃｅ、ＧＰＲＳ）、ロング・ターム・エボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動通信システム（ＵＭＴＳ）、マイクロ波アクセスのための世界的相互運用性（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）システム、発展型パケットシステム（ｅｖｏｌｖｅｄ  ｐａｃｋｅｔ  ｓｙｓｔｅｍ、ＥＰＳ）、将来の第５世代（５ｔｈ  ｇｅｎｅｒａｔｉｏｎ、５Ｇ）システム、またはニュー・ラジオ（ｎｅｗ  ｒａｄｉｏ、ＮＲ）システムなどの様々な通信システムに適用されてもよい。
【００８３】
本出願の実施形態における端末装置は、ユーザ機器、アクセス端末、加入者ユニット、加入者局、移動局、遠隔局、遠隔端末、移動デバイス、ユーザ端末、端末、無線通信デバイス、ユーザエージェント、またはユーザ装置であってもよい。代替的に、端末装置は、携帯電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、コンピューティングデバイス、無線モデムに接続された別の処理デバイス、車載型デバイス、ウェアラブルデバイス、５Ｇネットワーク内の端末装置、または将来発展した公衆陸上移動ネットワーク（ｐｕｂｌｉｃ  ｌａｎｄ  ｍｏｂｉｌｅ  ｎｅｔｗｏｒｋ、ＰＬＭＮ）内の端末装置であってもよい。これは、本出願の実施態様において限定されない。
【００８４】
本出願の実施形態における基地局は、端末装置と通信するように構成されているデバイスであってもよい。基地局は、例えば、移動通信のためのグローバルシステム（ＧＳＭ）または符号分割多元接続（ｃｏｄｅ  ｄｉｖｉｓｉｏｎ  ｍｕｌｔｉｐｌｅ  ａｃｃｅｓｓ、ＣＤＭＡ）システムにおけるベーストランシーバ局（ｂａｓｅ  ｔｒａｎｓｃｅｉｖｅｒ  ｓｔａｔｉｏｎ、ＢＴＳ）であってもよく、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）システムにおけるＮｏｄｅＢ  （ＮｏｄｅＢ、ＮＢ）であってもよく、ＬＴＥシステムにおける発展型ＮｏｄｅＢ  （ｅＮＢまたはｅＮｏｄｅＢ）であってもよく、クラウド無線アクセスネットワーク（ｃｌｏｕｄ  ｒａｄｉｏ  ａｃｃｅｓｓ  ｎｅｔｗｏｒｋ、ＣＲＡＮ）シナリオにおける無線コントローラであってもよい。これは、本出願の実施態様において限定されない。
【００８５】
本出願の実施形態におけるネットワーク要素は、５Ｇシステムアーキテクチャおよび／または４Ｇシステムアーキテクチャにおけるネットワークデバイスを含んでもよい。例えば、ネットワーク要素は、アクセスおよび移動管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）エンティティ、モビリティ管理エンティティ（ｍｏｂｉｌｉｔｙ  ｍａｎａｇｅｍｅｎｔ  ｅｎｔｉｔｙ、ＭＭＥ）、移動交換センタ（ｍｏｂｉｌｅ  ｓｗｉｔｃｈｉｎｇ  ｃｅｎｔｅｒ、ＭＳＣ）エンティティ、セッション管理機能（ｓｅｓｓｉｏｎ  ｍａｎａｇｅｍｅｎｔ  ｆｕｎｃｔｉｏｎ、ＳＭＦ）エンティティ、統一データ管理（ｕｎｉｆｉｅｄ  ｄａｔａ  ｍａｎａｇｅｍｅｎｔ、ＵＤＭ）エンティティ、ポリシー制御機能（ｐｏｌｉｃｙ  ｃｏｎｔｒｏｌ  ｆｕｎｃｔｉｏｎ、ＰＣＦ）エンティティ、ポリシーおよび課金規則機能（ｐｏｌｉｃｙ  ａｎｄ  ｃｈａｒｇｉｎｇ  ｒｕｌｅ  ｆｕｎｃｔｉｏｎ、ＰＣＲＦ）エンティティ、パケットデータネットワーク（ｐａｃｋｅｔ  ｄａｔａ  ｎｅｔｗｏｒｋ、ＰＤＮ）、パケットデータユニット（ｐａｃｋｅｔ  ｄａｔａ  ｕｎｉｔ、ＰＤＵ）、制御プレーンゲートウェイ（ＰＤＮ  ｇａｔｅｗａｙ−ｃｏｎｔｒｏｌ  ｐｌａｎｅ、ＰＧＷ−Ｃ）、ユーザプレーンゲートウェイ（ＰＤＮ  ｇａｔｅｗａｙ−ｕｓｅｒ  ｐｌａｎｅ、ＰＧＷ−Ｕ）、ホーム加入者サーバ（ｈｏｍｅ  Ｓｕｂｓｃｒｉｂｅｒ  Ｓｅｒｖｅｒ、ＨＳＳ）、アプリケーション機能（ａｐｐｌｉｃａｔｉｏｎ  ｆｕｎｃｔｉｏｎ、ＡＦ）エンティティ等を含んでもよい。
【００８６】
以下、図１〜図３を参照して、本出願の実施形態のアプリケーション環境を説明する。図１〜図３は、それぞれ本出願の実施形態における可能なシステムアーキテクチャ１００〜３００の概略図である。図１は、本出願の実施形態において適用される通信システム１００を示す。図２は、ＡＭＦエンティティと３Ｇネットワーク内の移動交換センタ（ｍｏｂｉｌｅ  ｓｗｉｔｃｈｉｎｇ  ｃｅｎｔｅｒ、ＭＳＣ）エンティティとの間に直接インターフェースがあるときに、５Ｇシステムにおける音声サービスのハンドオーバの通信アーキテクチャ図である。図３は、ＡＭＦエンティティとＭＳＣエンティティとの間に直接インターフェースがないときに、５Ｇシステムにおける音声サービスのハンドオーバの通信アーキテクチャ図である。
【００８７】
図１は、本出願の実施形態において適用される通信システム１００を示す。通信システム１００は、少なくとも１つの端末１１０、アクセスネットワークデバイス１２０、およびコアネットワークデバイス１３０を含んでもよい。いくつかの可能な設計において、複数の端末１１０は、サービス特徴に基づいてグループ化されてもよい。アクセスネットワークデバイス１２０は、端末１１０と通信するデバイス、例えば、基地局または基地局コントローラであってもよい。コアネットワークデバイス１３０は、端末のための接続を提供し、端末を管理し、サービスを担う機能を有し、外部ネットワークに対するインターフェースを提供するベアラネットワークとして機能する。
【００８８】
図２は、ＡＭＦエンティティとＭＳＣエンティティとの間に直接インターフェースがあるときに、５Ｇシステムにおける音声サービスのハンドオーバの通信アーキテクチャ図である。ＡＭＦエンティティは、ユーザの登録管理、到達可能性管理、モビリティ管理、ページング管理、アクセス認証および認可、非アクセス層シグナリングについての暗号化および完全性保護などを主に含む、ユーザのアクセスおよびモビリティ管理を提供するように構成されている。
【００８９】
図２に示すように、ＡＭＦエンティティとＭＳＣエンティティとの間には、直接インターフェースがある。端末がＳＲＶＣＣをサポートする場合、端末が、第５世代通信システムにおいて音声サービスを行うときに、端末が５Ｇネットワークのカバレッジの外に移動した後、音声サービスが５Ｇネットワークから３Ｇネットワークに直接ハンドオーバされて、音声サービスの連続性を確保することができる。
【００９０】
図３は、ＡＭＦエンティティとＭＳＣエンティティとの間に直接インターフェースがないときに、５Ｇシステムにおける音声サービスのハンドオーバの通信アーキテクチャ図である。
【００９１】
図３に示すように、ＡＭＦエンティティとＭＳＣエンティティとの間には直接的なインターフェースはない。端末がＳＲＶＣＣをサポートする場合、端末が、第５世代通信システムにおいて音声サービスを行うときに、端末が５Ｇネットワークの外に移動した後、音声サービスが３Ｇネットワークにハンドオーバされるように、音声サービスがＭＭＥエンティティを介して音声サービスを転送される必要がある。
【００９２】
ＭＭＥエンティティは、ユーザのモビリティ管理に使用される。例えば、ユーザのモビリティ管理は、ユーザのアタッチ管理、到達可能性管理、モビリティ管理、ページング管理、アクセス認証および認可、非アクセス層シグナリングについての暗号化および完全性保護などを主に含む。
【００９３】
代替的には、５Ｇ  ＮＲネットワーク内の端末が３ＧネットワークのＣＳドメインへのＳＲＶＣＣをサポートしない場合、端末が第５世代通信システムにおいて音声サービスを行うときに、端末が５Ｇネットワークのカバレッジの外に移動した後、５Ｇネットワークの音声サービスは、最初にＬＴＥネットワークにハンドオーバされ、次いで、音声サービスは、ＬＴＥネットワークから３Ｇネットワークにハンドオーバされる。言い換えると、ＭＭＥが音声サービスハンドオーバ中に音声サービスを転送し、音声サービスが５Ｇネットワークから３Ｇネットワークにハンドオーバされるようにして、音声サービスの連続性を確保する。
【００９４】
本出願の実施形態では、５Ｇシステム内のＡＭＦエンティティと３Ｇシステム内のＭＳＣエンティティとの間の異なるアーキテクチャに基づいて、通信方法が提案される。通信方法に従って、音声サービスは、ネットワーク要件に基づいて、５Ｇシステムと３Ｇシステムとの間でハンドオーバされて、音声サービスの連続性を確保し、ユーザ体験を向上させることができる。
【００９５】
前述のシナリオ説明に基づいて、本出願は、本出願の前述のシナリオすべてに適用可能な、キー情報を導出する実装を提供する。キー情報は、３ＧネットワークのＣＳドメインの暗号化、完全性保護、または暗号化および完全性保護を行うために使用される。
【００９６】
本出願の実施形態では、ＡＭＦエンティティは、最初に４Ｇネットワークのキー情報を取得し、次いで、４Ｇネットワークのキー情報に基づいて、３Ｇネットワークのキー情報を取得し、３Ｇネットワークの導出されたキー情報をＭＭＥエンティティまたはＭＳＣエンティティに送信することができる。
【００９７】
本出願の実施態様では、キーまたはキー導出を導出することは、入力パラメータに基づいて、キーを取得することを意味すると理解されよう。
【００９８】
５Ｇネットワークのルートキーに基づいて４Ｇネットワークのキー情報を導出するための入力パラメータは、第１のＦＣ、第２のＦＣ、第１の下りリンク非アクセス層カウント、第２の下りリンク非アクセス層カウント、第２のプリセット値、第１のプリセット値、第１の乱数、または第２の乱数のうちの少なくとも１つを含む。４Ｇネットワークのキー情報は、ＫＡＳＭＥであってもよいし、ＣＫ｜｜ＩＫに基づいて導出されたキー情報であってもよい。
【００９９】
本出願の実施形態では、機能コード（ｆｕｎｃｔｉｏｎ  ｃｏｄｅ、ＦＣ）は、キー情報が導出されるときに、異なる機能に基づいて使用される入力パラメータとして理解され得ると留意されたい。
【０１００】
第１のＦＣは、３Ｇネットワークのキー情報が５Ｇネットワークのルートキーに基づいて導出されるときの機能コードであってもよく、第２のＦＣは、４Ｇネットワークのキー情報が５Ｇネットワークのルートキーに基づいて導出されるときの機能コードであってもよく、第３のＦＣは、３Ｇネットワークのキー情報が４Ｇネットワークのルートキーに基づいて導出されるときの機能コードであってもよい。非アクセス層カウントは、シーケンス番号およびオーバーフローカウンタを含み、非アクセス層カウントは、上りリンク非アクセス層カウントまたは下りリンク非アクセス層カウントであってもよい。本出願の実施形態では、導出パラメータは、下りリンク非アクセス層カウントであってもよく、または上りリンク非アクセス層カウントであってもよい。第１の下りリンク非アクセス層のカウントは、３Ｇネットワークのキー情報が５Ｇネットワークのルートキーに基づいて導出されるときに使用される下りリンク非アクセス層のカウントであってもよく、第２の下りリンク非アクセス層のカウントは、４Ｇネットワークのキー情報が５Ｇネットワークのルートキーに基づいて導出されるときに使用される下りリンク非アクセス層のカウントであってもよい。ＫＡＳＭＥは、端末およびネットワークの認証完了後に生成されるキー情報である。
【０１０１】
４Ｇネットワークの導出されたキー情報に基づいて、３Ｇネットワークのキーを導出するための入力パラメータは、以下のパラメータのうちの少なくとも１つを含む。つまり、第１のＦＣ、第２のＦＣ、第３のＦＣ、第１の下りリンク非アクセス層カウント、第２の下りリンク非アクセス層カウント、第３の下りリンク非アクセス層カウント、第３のプリセット値、第２のプリセット値、第１のプリセット値、第１の乱数、第２の乱数、または第３の乱数である。
【０１０２】
例えば、第１のＦＣ、第１の下りリンク非アクセス層カウント、第１の乱数、または第１のプリセット値は、ＡＭＦエンティティが、５Ｇネットワークのルートキーに基づいて、３Ｇネットワークのキー情報を導出するために使用されてもよい。
【０１０３】
例えば、第２のＦＣ、第２の下りリンク非アクセス層カウント、第２の乱数、または第２のプリセット値は、ＡＭＦエンティティが、５Ｇネットワークのルートキーに基づいて、４Ｇネットワークのキー情報を導出するために使用されてもよい。
【０１０４】
例えば、第３のＦＣ、第３の下りリンク非アクセス層カウント、第３の乱数、または第３のプリセット値は、ＡＭＦエンティティが、４Ｇネットワークのルートキーに基づいて、３Ｇネットワークのキー情報を導出するために使用されてもよい。
【０１０５】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【０１０６】
任意で、４Ｇネットワークは、ＡＭＦエンティティによって生成されたハンドオーバ要求メッセージを転送するために使用される。
【０１０７】
任意の実装では、メッセージは、パケット交換ＰＳドメインから回線交換ＣＳドメインに端末の音声サービスをハンドオーバするように指示するための情報フィールドを含み、情報ファイルドは、ＭＭＥエンティティのための透明コンテナである。３Ｇネットワークのキー情報は、このフィールドで搬送される。この場合、メッセージは、ＡＭＦエンティティを再利用することによって、かつ音声サービスを４Ｇシステムにハンドオーバするために送信される要求メッセージであり、情報を搬送するためにメッセージに送信元が追加される。この実装では、ＭＭＥエンティティはわずかに影響を受け、識別と転送のみを必要とする。
【０１０８】
任意の実装では、ＡＭＦエンティティおよびＭＭＥエンティティは、ＡＭＦエンティティによって生成されたメッセージを送信するために使用されるメッセージを定義する。メッセージは、パケット交換ＰＳドメインから回線交換ＣＳドメインへの端末の音声サービスのハンドオーバを要求するために使用される。この実装では、新しいメッセージが定義される必要があり、４ＧネットワークへのハンドオーバのためにＡＭＦエンティティによって送信される要求メッセージは影響されない。
【０１０９】
ＭＭＥエンティティは、メッセージまたは情報を受信した後、メッセージまたは情報をデフォルトまたは事前設定されたアンカーＭＳＣデバイス、またはメッセージに示されたアンカーＭＳＣデバイスに転送する。
【０１１０】
本出願の実施形態における通信方法は、図４を参照して以下に説明される。図４における方法４００は、図１〜図３の任意のアーキテクチャに適用され得る。代替的には、図４における方法はまた、別の類似アーキテクチャにも適用されてもよい。アクセスおよびモビリティ管理機能ＡＭＦエンティティは、５Ｇネットワーク内のコアネットワークデバイスまたは別のネットワーク内のコアネットワークデバイスであってもよい。アクセスネットワークデバイスは、５Ｇネットワーク内の基地局、例えば、ｇＮＢであってもよい。これは、本出願の実施態様において限定されない。方法４００は、以下のステップを含む。
【０１１１】
ステップ４０１：アクセスおよびモビリティ管理機能ＡＭＦエンティティは、アクセスネットワークデバイスから第１のメッセージを受信し、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである。
【０１１２】
いくつかの例では、第１のメッセージは、３Ｇネットワークの識別情報を含んでもよい。代替的には、第１のメッセージは、４Ｇネットワークの識別情報を含んでもよい。代替的には、第１のメッセージは、３Ｇネットワークの識別情報および第４世代ネットワークの識別情報を含む。
【０１１３】
ステップ４０１の前に、アクセスネットワークデバイスは、端末によって報告された測定レポートやアクセスネットワークデバイスの負荷などの要因に基づいて、ＡＭＦエンティティに第１のメッセージを送信する。第１のメッセージは、アクセスネットワークデバイスに対して、ＰＳドメインから３Ｇ／２ＧシステムのＣＳドメインに５Ｇシステムの音声サービスをハンドオーバするように要求するために使用される。
【０１１４】
ステップ４０２：ＡＭＦエンティティは、ターゲットデバイスが位置するネットワークのキー情報を導出する。
【０１１５】
本出願の本実施形態では、キー情報は、３Ｇネットワークのキー情報および４Ｇネットワークのキー情報を含む。ＡＭＦエンティティが、ターゲットデバイスが位置するネットワークのキー情報を導出し、３Ｇネットワーク内のＭＳＣエンティティにキー情報を送信する方式は、以下の方式のいずれかを含むが、これらに限定されない。
【０１１６】
方式１：
【０１１７】
端末が５Ｇネットワークから３Ｇネットワークへの音声サービスのハンドオーバをサポートし、ＡＭＦエンティティと移動交換センタＭＳＣエンティティとの間にインターフェースがあるときに、ＡＭＦエンティティは、３Ｇネットワークのキー情報を取得するか、または３Ｇネットワークのキー情報として５Ｇネットワークにおける端末のＣＫおよびＩＫを使用し、３Ｇネットワークのキー情報をＭＳＣエンティティに直接送信する。
【０１１８】
方式２：
【０１１９】
端末が５Ｇネットワークから３Ｇネットワークへの音声サービスのハンドオーバをサポートし、ＡＭＦエンティティとＭＳＣエンティティとの間にインターフェースがないときに、ＡＭＦエンティティは、３Ｇネットワークのキー情報を取得し、３Ｇネットワークの導出されたキー情報をＭＭＥエンティティを介してＭＳＣエンティティに転送する。
【０１２０】
方式３：
【０１２１】
端末が５Ｇネットワークから３Ｇネットワークへの音声サービスのハンドオーバをサポートしないときに、ＡＭＦエンティティは、４Ｇネットワークのキー情報を導出し、４Ｇネットワークのキー情報をＭＭＥエンティティに送信し、ＭＭＥエンティティは、４Ｇネットワークのキー情報に基づいて、３Ｇネットワークのキー情報を取得するか、または４Ｇネットワークのキー情報から３Ｇネットワークのキー情報を抽出し、３Ｇネットワークの導出されたキー情報をＭＳＣエンティティに送信する。
【０１２２】
方式４：
【０１２３】
端末が５Ｇネットワークから３Ｇネットワークへの音声サービスのハンドオーバをサポートしないときに、ＡＭＦエンティティは、３Ｇネットワークのキー情報および４Ｇネットワークのキー情報を導出し、３Ｇネットワークのキー情報および４Ｇネットワークのキー情報をＭＭＥエンティティに送信し、５Ｇネットワークから４Ｇネットワークへの非音声サービスまたは非ＧＢＲ  （Ｇｕａｒａｎｔｅｅｄ  Ｂｉｔ  Ｒａｔｅ、ｇｕａｒａｎｔｅｅｄ  ｂｉｔ  ｒａｔｅ）ベアラの一部または全てのハンドオーバを完了した後、ＭＭＥエンティティは、ＡＭＦエンティティによって導出された３Ｇネットワークのキー情報をＭＳＣエンティティに送信する。
【０１２４】
本出願の本実施形態では、ＡＭＦエンティティが３Ｇネットワークのキー導出パラメータを決定し、３Ｇネットワークのキー導出パラメータおよびＡＭＦエンティティが位置するネットワークのルートキーに基づいて、３Ｇネットワークのキー情報を導出する方式は、以下の導出方式を含むが、これらに限定されない。
【０１２５】
例えば、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０１２６】
例えば、ＡＭＦエンティティは、第１のＦＣ、プリセット値、およびＡＭＦエンティティが位置するネットワークのルートキーに基づいて、３Ｇネットワークのキー情報を導出する。
【０１２７】
プリセット値は、事前に設定され、端末とＡＭＦエンティティとの両方によって維持されるプリセット値であってもよいと理解されたい。
【０１２８】
例えば、ＡＭＦエンティティは、第１のＦＣ、乱数、およびＡＭＦエンティティが位置するネットワークのルートキーに基づいて、３Ｇネットワークのキー情報を導出する。
【０１２９】
乱数は、ＡＭＦエンティティに既知のパラメータであってもよく、ＡＭＦエンティティはそのパラメータを端末に送信すると理解されたい。
【０１３０】
本出願の本実施形態では、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０１３１】
本出願の本実施形態では、ＡＭＦエンティティが４Ｇネットワークのキー導出パラメータを決定し、４Ｇネットワークのキー導出パラメータおよびＡＭＦエンティティが位置するネットワークのルートキーに基づいて、４Ｇネットワークのキー情報を導出する方式は、以下の導出方式を含むが、これらに限定されない。
【０１３２】
例えば、ＡＭＦエンティティは、第１のＦＣ、第２の下りリンク非アクセス層カウント、およびＡＭＦエンティティが位置するネットワークのルートキーに基づいて、４Ｇネットワークのキー情報を導出する。
【０１３３】
例えば、ＡＭＦエンティティは、第２のＦＣ、第２の下りリンク非アクセス層カウント、およびＡＭＦエンティティが位置するネットワークのルートキーに基づいて、４Ｇネットワークのキー情報を導出する。
【０１３４】
例えば、ＡＭＦエンティティは、第２のＦＣ、プリセット値、およびＡＭＦエンティティが位置するネットワークのルートキーに基づいて、４Ｇネットワークのキー情報を導出する。
【０１３５】
例えば、ＡＭＦエンティティは、第２のＦＣ、乱数、およびＡＭＦエンティティが配置されているネットワークのルートキーに基づいて、４Ｇネットワークのキー情報を導出する。
【０１３６】
本出願の本実施形態では、３Ｇネットワークのキーを導出するためのプリセット値は、４Ｇのキーを導出するためのプリセット値と同じか、または異なると留意されたい。３Ｇネットワークのキーを導出するための乱数は、４Ｇパラメータを導出するための乱数と同じか、または異なる。これは、本出願において限定されない。
【０１３７】
本出願の本実施形態では、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０１３８】
本出願のこの実施形態において、ＡＭＦエンティティが４Ｇネットワークのキー情報に基づいて、３Ｇネットワークのキー情報を導出する方式は、以下の導出方法を含むが、これらに限定されない。
【０１３９】
例えば、ＡＭＦエンティティは、４Ｇネットワークのキー情報、第１のＦＣ、および第２の下りリンク非アクセス層カウントに基づいて、３Ｇネットワークのキー情報を導出する。
【０１４０】
例えば、ＡＭＦエンティティは、４Ｇネットワークのキー情報、第２のＦＣ、および第２の下りリンク非アクセス層カウントに基づいて、３Ｇネットワークのキー情報を導出する。
【０１４１】
例えば、ＡＭＦエンティティは、４Ｇネットワークのキー情報、第２のＦＣ、およびプリセット値に基づいて、３Ｇネットワークのキー情報を導出する。
【０１４２】
例えば、ＡＭＦエンティティは、４Ｇネットワークのキー情報、第２のＦＣ、および乱数に基づいて、３Ｇネットワークのキー情報を導出する。
【０１４３】
本出願の本実施形態では、ＡＭＦエンティティが４Ｇネットワークのキー情報に基づいて、３Ｇネットワークのキー情報を導出することは、
ＡＭＦエンティティが、４Ｇネットワークのキー情報、第３のＦＣ、および第２の下りリンク非アクセス層カウントに基づいて、３Ｇネットワークのキー情報を導出することか、
ＡＭＦエンティティが、４Ｇネットワークのキー情報、第３のＦＣ、およびプリセット値に基づいて、３Ｇネットワークのキー情報を導出することか、または
ＡＭＦエンティティが、４Ｇネットワークのキー情報、第３のＦＣ、および乱数に基づいて、３Ｇネットワークのキー情報を導出すること、を含む。
【０１４４】
４Ｇネットワークのキー情報に基づいて、３Ｇネットワークのキー情報を導出するために使用されるキー導出パラメータは、３Ｇネットワークのキー情報を導出するために使用されるキー導出パラメータと同じであってもよく、３Ｇネットワークのキー情報を導出するために使用されるキー導出パラメータとは異なってもよいと留意されたい。キー導出パラメータは、第１のＦＣ、第２のＦＣ、第３のＦＣ、第１の下りリンク非アクセス層の値、第２の下りリンク非アクセス層の値、プリセット値、および乱数などのパラメータを含む。
【０１４５】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用されるキー導出パラメータの一部に基づいて行われてもよい。
【０１４６】
任意で、ステップ４０２の後、方法４００は、さらに、以下のステップを含む。
【０１４７】
ＡＭＦエンティティが、移動交換センタＭＳＣエンティティから第２のメッセージを受信し、第２のメッセージは、ＰＳドメインからＣＳドメインへの音声サービスのハンドオーバが完了したことを指示する情報を含む。
【０１４８】
ＡＭＦエンティティが、第２のメッセージに基づいて、非音声サービスのＰＤＮセッションを一時停止または解放することを決定する。
【０１４９】
任意で、第２のメッセージが送信された後、方法４００は、さらに、以下のステップを含む。
【０１５０】
ＡＭＦエンティティは、設定情報を端末に送信し、設定情報は、ＣＳドメインにおいて音声サービスの呼が終了したときに、端末が優先的にフォールバックするネットワークを指示する情報を含む。
【０１５１】
例えば、端末がＰＳドメインからＣＳドメインへの音声サービスのハンドオーバを完了した後、ＣＳドメインにおける音声サービスの呼が終了したときに、端末は、非音声サービスを行うために、設定情報に基づいて、４Ｇネットワークにフォールバックしたり、５Ｇネットワークにフォールバックしたりしてもよい。
【０１５２】
本出願の本実施形態では、端末は、アクセスネットワークデバイスによって送信された受信ハンドオーバ命令に従って、端末の音声サービスまたは非音声サービスを処理し、ＰＳドメイン内のベアラからＣＳドメイン内のベアラへ音声サービスをハンドオーバして、音声サービスの連続性を確保し、ユーザ体験を向上させる。
【０１５３】
本出願の本実施形態における通信方法の特定の例が、図５Ａ〜図６Ｂを参照して以下に説明される。例は、以下のシナリオにおける、５ＧネットワークのＰＳドメインにおけるベアラから３ＧネットワークのＣＳドメインにおけるベアラへ端末の音声サービスをハンドオーバをするための通信方法を含む。すなわち、端末が、５Ｇネットワークから３Ｇネットワークへの音声サービスのハンドオーバをサポートし、ＡＭＦエンティティとＭＳＣエンティティとの間にインターフェースがあるか、端末が、５Ｇネットワークから３Ｇネットワークへの音声サービスのハンドオーバをサポートし、ＡＭＦエンティティとＭＳＣエンティティとの間にインターフェースがないか、端末が、５Ｇネットワークから３Ｇネットワークへの音声サービスのハンドオーバをサポートしないかである。なお、本出願は、説明のために前述の３つのシナリオを例として説明されており、本出願は、これらに限定されるものではない。
【０１５４】
図５Ａおよび図５Ｂを参照すると、図５Ａおよび図５Ｂにおける方法が、アーキテクチャ２００に適用されてもよい。図５Ａおよび図５Ｂにおける方法は、以下のステップを含む。
【０１５５】
Ｓ５０１：端末は、ＡＭＦエンティティに、５Ｇネットワークから３Ｇネットワークへの音声サービスのハンドオーバについてのサポートを報告する。言い換えると、５Ｇネットワークでは、端末は、３ＧネットワークのＣＳドメインにおけるベアラに対してＳＲＶＣＣをサポートする。
【０１５６】
Ｓ５０２：ＡＭＦエンティティは、端末が、３ＧネットワークのＣＳドメインにおけるャリアに対してＳＲＶＣＣをサポートしていることをｇＮＢに通知する。
【０１５７】
Ｓ５０３：端末は測定レポートをｇＮＢに送信する。
【０１５８】
Ｓ５０４：ｇＮＢは、測定報告または現在の負荷などの要因に基づいて、ＡＭＦエンティティに対して、３ＧネットワークのＣＳドメインに音声サービスをハンドオーバするためのハンドオーバ要求を開始することを決定し、ハンドオーバ要求メッセージは、音声サービスがハンドオーバされるターゲットデバイスの識別子、例えば、無線ネットワークコントローラ（ｒａｄｉｏ  ｎｅｔｗｏｒｋ  ｃｏｎｔｒｏｌｌｅｒ、ＲＮＣ）エンティティの識別子を含む。
【０１５９】
本出願の本実施形態では、ｇＮＢによってＡＭＦエンティティに送信されるハンドオーバ要求メッセージは、方法４００における第１のメッセージであってもよいと理解されたい。
【０１６０】
Ｓ５０５：ＡＭＦエンティティは、３ＧネットワークのＣＳドメインにおけるベアラに音声サービスをハンドオーバすることを決定し、ＡＭＦエンティティは、３Ｇネットワークのキー情報を導出し、キー情報は、３ＧネットワークのＣＳドメインでの暗号化、完全性保護、または暗号化および完全性保護に使用される。
【０１６１】
任意で、例において、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０１６２】
任意で、例において、ＡＭＦエンティティは、第１のＦＣ、プリセット値、およびＡＭＦエンティティが位置するネットワークのルートキーに基づいて、３Ｇネットワークのキー情報を導出する。
【０１６３】
プリセット値は、事前に設定され、端末とＡＭＦエンティティとの両方によって維持されるプリセット値であってもよいことに留意されたい。
【０１６４】
任意で、例において、ＡＭＦエンティティは、第１のＦＣ、乱数、およびＡＭＦエンティティが位置するネットワークのルートキーに基づいて、３Ｇネットワークのキー情報を導出する。
【０１６５】
乱数は、ＡＭＦエンティティに既知のパラメータであってもよく、ＡＭＦエンティティはそのパラメータを端末に送信することに留意されたい。
【０１６６】
前述の例において、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０１６７】
例えば、任意の導出方法において、ＡＭＦエンティティは、ルートキーおよび導出パラメータに基づいて、３Ｇネットワークのキー情報を導出する。３Ｇネットワークのキー情報は、暗号キーＣＫおよび完全性キーＩＫを含む。導出パラメータは、第１の下りリンク非アクセス層カウント、乱数、またはプリセット値、すなわちＫＡＭＦ−＞＞ＫＡＳＭＥ−＞＞ＣＳドメインＣＫ  ＩＫのうちの１つであってもよい。
【０１６８】
例えば、任意の導出方式において、ＡＭＦエンティティは、ルートキーＣＫ＋ＩＫを直接使用する。
【０１６９】
前述の例は説明のために提供され、本出願の本実施形態を限定しないと理解されたい。
【０１７０】
Ｓ５０６：ＡＭＦエンティティは、３Ｇネットワーク内のＭＳＣエンティティにＰＳドメインからＣＳドメインに音声サービスをハンドオーバするためのハンドオーバ要求メッセージを送信する。ハンドオーバ要求メッセージは、ＡＭＦエンティティによって導出された３Ｇネットワークのキー情報を含む。
【０１７１】
Ｓ５０７：３Ｇネットワーク内のＭＳＣエンティティは、音声サービスのマイグレーション要求メッセージを３Ｇネットワークの無線ネットワークコントローラ（Ｒａｄｉｏ  Ｎｅｔｗｏｒｋ  Ｃｏｎｔｒｏｌｌｅｒ、ＲＮＣ）に送信し、マイグレーション要求メッセージは、ＡＭＦエンティティによって導出された３Ｇネットワークのキー情報を含む。
【０１７２】
Ｓ５０８：ＲＮＣは、マイグレーション要求確認メッセージをＭＳＣエンティティに送信し、マイグレーション要求確認メッセージは、ＲＮＣによって端末に割り当てられた無線リソース設定パラメータを含む。
【０１７３】
Ｓ５０９：ＭＳＣエンティティは、ＩＰマルチメディアサブシステム（ＩＰ  ｍｕｌｔｉｍｅｄｉａ  ｓｕｂｓｙｓｔｅｍ、ＩＭＳ）エンティティに対して音声セッション転送情報を開始し、ＩＭＳエンティティは、メッセージに基づいて、音声セッションおよびユーザプレーンベアラを更新する。
【０１７４】
Ｓ５１０：ＭＳＣエンティティは、ＰＳドメインからＣＳドメインに音声サービスをハンドオーバするためのハンドオーバ要求応答をＡＭＦエンティティに送信し、ハンドオーバ要求応答は、ＲＮＣによって端末に割り当てられ、ＭＳＣエンティティによって受信される無線リソース設定パラメータを含む。
【０１７５】
Ｓ５１１：ＡＭＦエンティティは、ハンドオーバ要求確認メッセージをｇＮＢに送信し、ハンドオーバ要求確認メッセージは、ＲＮＣによって端末に割り当てられた無線リソース設定パラメータと、３Ｇネットワークのキー情報を導出するために使用され、ＡＭＦエンティティによって決定されたキー導出パラメータを含む。
【０１７６】
Ｓ５１２：ｇＮＢは、５ＧネットワークのＰＳドメインから３ＧネットワークのＣＳドメインのベアラに音声サービスをハンドオーバするためのハンドオーバ命令を端末に送信し、ハンドオーバ命令は、３Ｇネットワークのキー情報を導出するために使用されるキー導出パラメータを含み、キー導出パラメータは、ＡＭＦエンティティによって決定される。
【０１７７】
Ｓ５１３：端末は、キー導出パラメータを含むハンドオーバ命令を受信し、キー導出パラメータおよび５Ｇネットワークのルートキーに基づいて、３Ｇネットワークのキー情報を導出し、受信したハンドオーバ命令に従って、非音声サービスのＰＤＮセッションを一時停止または解放するように上位層が指示する。
【０１７８】
本出願の本実施形態では、端末は、５Ｇネットワークの基地局ｇＮＢによって送信された第３のメッセージを受信すると留意されたい。例えば、端末は、５Ｇネットワークの基地局ｇＮＢから送信されたハンドオーバ命令を受信する。第３のメッセージが、パケット交換ＰＳドメインから回線交換ＣＳドメインに音声サービスをハンドオーバするように端末に指示するための情報であるときに、端末は、第３のメッセージに従って、非音声サービスのＰＤＮセッションを一時停止または解放することを決定する。
【０１７９】
本出願の本実施形態では、第３のメッセージは、第５Ｇネットワークにおいて、ｇＮＢのような基地局によって送信されるハンドオーバ命令であってもよいと理解されたい。代替的には、第３のメッセージは、４Ｇネットワーク内のｅＮＢのような基地局によって送信されるハンドオーバ命令であってもよい。これは、本出願の本実施態様において限定されない。
【０１８０】
Ｓ５１４：端末は３Ｇネットワークにアクセスし、ハンドオーバ完了メッセージをＲＮＣに送信する。このメッセージは、端末がＰＳドメインにおけるベアラからＣＳドメインにおけるベアラへの音声サービスのハンドオーバを完了したことを指示する。
【０１８１】
Ｓ５１５：ＲＮＣは、ハンドオーバ完了メッセージをＭＳＣエンティティに送信して、端末がＰＳドメインにおけるベアラからＣＳドメインにおけるベアラへの音声サービスのハンドオーバを完了したことをＭＳＣエンティティに通知する。
【０１８２】
Ｓ５１６：ＭＳＣエンティティは、ハンドオーバ完了メッセージをＡＭＦエンティティに送信する。
【０１８３】
ＭＳＣエンティティによってＡＭＦエンティティに送信されるハンドオーバ完了メッセージは、方法４００における第２のメッセージであってもよいと理解されたい。
【０１８４】
Ｓ５１７：ＡＭＦエンティティは、ＭＳＣエンティティによって送信されたハンドオーバ完了メッセージを受信した後、非音声サービスのＰＤＮセッションを一時停止または解放するようにＳＭＦエンティティに指示する。
【０１８５】
具体的には、ＡＭＦエンティティは、非音声サービスのＰＤＮセッションを一時停止または解放するようにＳＭＦエンティティに指示し、ＳＭＦエンティティは、ユーザポート機能（ｕｓｅｒ  ｐｏｒｔ  ｆｕｎｃｔｉｏｎ、ＵＰＦ）エンティティを介して、非音声サービスまたは非ＧＢＲベアラのＰＤＮセッションを一時停止または解放する。ＳＭＦエンティティは、端末の全てのＰＤＮセッションを一時停止または解放するようにＵＰＦエンティティに指示する。
【０１８６】
任意で、ＡＭＦエンティティは、端末のすべてのＰＤＮセッションを一時停止または解放するようにＳＭＦエンティティに指示する。
【０１８７】
Ｓ５１８：ＡＭＦエンティティは、リソースを解放するための指示情報を、５Ｇネットワークの基地局ｇＮＢに送信する。
【０１８８】
方法５００は、端末が５Ｇネットワークから３Ｇネットワークへの音声サービスのハンドオーバをサポートし、ＡＭＦエンティティとＭＳＣエンティティとの間にインターフェースがあるときに、５ＧネットワークのＰＳドメインにおけるベアラから３ＧネットワークのＣＳドメインにおけるベアラに音声サービスをハンドオーバするための通信方法である。
【０１８９】
端末が５Ｇネットワークから３Ｇネットワークへの音声サービスのハンドオーバをサポートし、ＡＭＦエンティティとＭＳＣエンティティとの間にインターフェースがないときに、ＡＭＦエンティティとＭＳＣエンティティとの間に直接のインターフェースがないため、ＡＭＦエンティティは、５ＧネットワークのＰＳドメインにおけるベアラから３ＧネットワークのＣＳドメインにおけるベアラに端末の音声サービスをハンドオーバするために、アンカーＭＭＥエンティティを介して転送動作を行う必要がある。
【０１９０】
例えば、ステップＳ５０６では、ＡＭＦエンティティとＭＳＣエンティティとの間にインターフェースがないときに、ＡＭＦエンティティは、ＰＳドメインからＣＳドメインに音声サービスをハンドオーバするためのハンドオーバ要求メッセージをＭＭＥエンティティに送信する。ハンドオーバ要求メッセージは、ＡＭＦエンティティによって導出された３Ｇネットワークのキー情報と、音声サービスのターゲット基地局の識別情報、例えば、ＲＮＣ  ＩＤを含む。ＭＭＥエンティティは、ハンドオーバ要求メッセージをＭＳＣエンティティに送信する。
【０１９１】
本出願の本実施形態では、ＡＭＦエンティティは、３Ｇネットワークのキー情報を直接導出し、３Ｇネットワークの導出されたキー情報をＭＭＥエンティティまたはＭＳＣエンティティに送信してもよい。
【０１９２】
例えば、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０１９３】
任意で、例において、ＡＭＦエンティティは、第１のＦＣ、プリセット値、およびＡＭＦエンティティが位置するネットワークのルートキーに基づいて、３Ｇネットワークのキー情報を導出する。
【０１９４】
プリセット値は、事前に設定され、端末とＡＭＦエンティティとの両方によって維持されるプリセット値であってもよいことに留意されたい。
【０１９５】
任意で、例において、ＡＭＦエンティティは、第１のＦＣ、乱数、およびＡＭＦエンティティが位置するネットワークのルートキーに基づいて、３Ｇネットワークのキー情報を導出する。
【０１９６】
乱数は、ＡＭＦエンティティに既知のパラメータであってもよく、ＡＭＦエンティティはそのパラメータを端末に送信することに留意されたい。
【０１９７】
本出願の本実施形態では、ＡＭＦエンティティは、最初に４Ｇネットワークのキー情報を取得し、次いで、４Ｇネットワークのキー情報に基づいて、３Ｇネットワークのキー情報を取得し、３Ｇネットワークの導出されたキー情報をＭＭＥエンティティまたはＭＳＣエンティティに送信することができる。
【０１９８】
５Ｇネットワークのルートキーに基づいて４Ｇネットワークのキー情報を導出するための入力パラメータは、第１のＦＣ、第２のＦＣ、第１の下りリンク非アクセス層カウント、第２の下りリンク非アクセス層カウント、第２のプリセット値、第１のプリセット値、第１の乱数、または第２の乱数のうちの少なくとも１つを含む。４Ｇネットワークのキー情報は、ＫＡＳＭＥであってもよいし、ＣＫ｜｜ＩＫに基づいて導出されたキー情報であってもよい。
【０１９９】
４Ｇネットワークの導出されたキー情報に基づいて、３Ｇキーを導出するための入力パラメータは、以下のパラメータのうちの少なくとも１つを含む。つまり、第１のＦＣ、第２のＦＣ、第３のＦＣ、第１の下りリンク非アクセス層カウント、第２の下りリンク非アクセス層カウント、第３の下りリンク非アクセス層カウント、第３のプリセット値、第２のプリセット値、第１のプリセット値、第１の乱数、第２の乱数、または第３の乱数である。
【０２００】
例えば、第１のＦＣ、第１の下りリンク非アクセス層カウント、第１の乱数、または第１のプリセット値は、ＡＭＦエンティティが、５Ｇネットワークのルートキーに基づいて、３Ｇネットワークのキー情報を導出するために使用されてもよい。
【０２０１】
例えば、第２のＦＣ、第２の下りリンク非アクセス層カウント、第２の乱数、または第２のプリセット値は、ＡＭＦエンティティが、５Ｇネットワークのルートキーに基づいて、４Ｇネットワークのキー情報を導出するために使用されてもよい。
【０２０２】
例えば、第３のＦＣ、第３の下りリンク非アクセス層カウント、第３の乱数、または第３のプリセット値は、ＡＭＦエンティティが、４Ｇネットワークのルートキーに基づいて、３Ｇネットワークのキー情報を導出するために使用されてもよい。
【０２０３】
本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【０２０４】
図６Ａおよび図６Ｂを参照すると、図６Ａおよび図６Ｂにおける方法が、アーキテクチャ３００に適用されてもよい。図６Ａおよび図６Ｂにおける方法は、端末が５Ｇネットワークから３Ｇネットワークへの音声サービスのハンドオーバをサポートしないときに、ネットワークのＰＳドメインにおけるベアラから３ＧネットワークのＣＳドメインにおけるベアラへの音声サービスをハンドオーバするための通信方法である。図６Ａおよび図６Ｂにおける方法は、以下のステップを含む。
【０２０５】
Ｓ６０１：端末は測定レポートをｇＮＢに送信する。
【０２０６】
Ｓ６０２：ｇＮＢは、測定レポートや現在の負荷などの要因に基づいて、３Ｇ  ＣＳドメインに音声サービスをハンドオーバするためのハンドオーバ要求メッセージをＡＭＦエンティティに開始することを決定する。
【０２０７】
本出願の本実施形態では、ｇＮＢによってＡＭＦエンティティに送信されるハンドオーバ要求メッセージは、方法４００における第１のメッセージであってもよいと理解されたい。
【０２０８】
Ｓ６０３：端末は５Ｇネットワークから３Ｇネットワークへの音声サービスのハンドオーバをサポートしないため、ＡＭＦエンティティは、非音声サービスまたは非ＧＢＲベアラを４Ｇネットワークにハンドオーバすることを決定し、ＡＭＦエンティティは、キー情報を導出する。
【０２０９】
本出願の本実施形態では、ＡＭＦエンティティは、３Ｇネットワークのキー情報を直接導出し得ると留意されたい。代替的には、ＡＭＦエンティティは、最初に４Ｇネットワークのキー情報を引き出し、次いで、４Ｇネットワークのキー情報に基づいて３Ｇネットワークのキー情報を導出してもよい。。
【０２１０】
任意で、例では、ＡＭＦエンティティは、３Ｇネットワークのキー情報を導出する。
【０２１１】
ＡＭＦエンティティが３Ｇネットワークのキー導出パラメータを決定し、３Ｇネットワークのキー導出パラメータおよびＡＭＦエンティティが位置するネットワークのルートキーに基づいて３Ｇネットワークのキー情報を導出する方式は、以下の方式を含むが、これらに限定されない。
【０２１２】
任意で、例において、ＡＭＦエンティティは、第１のＦＣ、第１の下りリンク非アクセス層カウント、およびＡＭＦエンティティが位置するネットワークのルートキーに基づいて、３Ｇネットワークのキー情報を導出する。
【０２１３】
任意で、例において、ＡＭＦエンティティは、第１のＦＣ、プリセット値、およびＡＭＦエンティティが位置するネットワークのルートキーに基づいて、３Ｇネットワークのキー情報を導出する。
【０２１４】
プリセット値は、事前に設定され、端末とＡＭＦエンティティとの両方によって維持されるプリセット値であってもよいことに留意されたい。
【０２１５】
任意で、例において、ＡＭＦエンティティは、第１のＦＣ、乱数、およびＡＭＦエンティティが位置するネットワークのルートキーに基づいて、３Ｇネットワークのキー情報を導出する。
【０２１６】
乱数は、ＡＭＦエンティティに既知のパラメータであってもよく、ＡＭＦエンティティはそのパラメータを端末に送信することに留意されたい。
【０２１７】
前述の例において、ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかであってもよい。
【０２１８】
例えば、任意の導出方法において、ＡＭＦエンティティは、ルートキーおよび導出パラメータに基づいて、３Ｇネットワークのキー情報を導出する。３Ｇネットワークのキー情報は、暗号キーＣＫおよび完全性キーＩＫを含む。導出パラメータは、第１の下りリンク非アクセス層カウント、乱数、またはプリセット値、すなわちＫＡＭＦ−＞＞ＫＡＳＭＥ−＞＞ＣＳドメインＣＫ＋ＩＫのうちの１つであってもよい。
【０２１９】
例えば、任意の導出方式で、ＡＭＦエンティティはルートキーＣＫ＋ＩＫを直接使用する。
【０２２０】
任意で、例では、ＡＭＦエンティティは、４Ｇネットワークのキー情報および３Ｇネットワークのキー情報を導出する。
【０２２１】
ＡＭＦエンティティが４Ｇネットワークのキー導出パラメータを決定し、４Ｇネットワークのキー導出パラメータおよびＡＭＦエンティティが位置するネットワークのルートキーに基づいて４Ｇネットワークのキー情報を導出する方式は、以下の方式を含むが、これらに限定されない。
【０２２２】
例えば、ＡＭＦエンティティは、第１のＦＣ、第２の下りリンク非アクセス層カウント、およびＡＭＦエンティティが位置するネットワークのルートキーに基づいて、４Ｇネットワークのキー情報を導出する。
【０２２３】
例えば、ＡＭＦエンティティは、第２のＦＣ、第２の下りリンク非アクセス層カウント、およびＡＭＦエンティティが位置するネットワークのルートキーに基づいて、４Ｇネットワークのキー情報を導出する。
【０２２４】
例えば、ＡＭＦエンティティは、第２のＦＣ、プリセット値、およびＡＭＦエンティティが位置するネットワークのルートキーに基づいて、４Ｇネットワークのキー情報を導出する。
【０２２５】
例えば、ＡＭＦエンティティは、第２のＦＣ、乱数、およびＡＭＦエンティティが配置されているネットワークのルートキーに基づいて、４Ｇネットワークのキー情報を導出する。
【０２２６】
ＡＭＦエンティティが位置するネットワークのルートキーは、ＫＡＭＦ、ＫＳＥＡＦ、ＫＡＵＳＦ、および暗号キーＣＫ＋完全性キーＩＫのうちのいずれかである。任意で、例では、ＡＭＦエンティティは、４Ｇネットワークの導出されたキー情報に基づいて、３Ｇネットワークのキー情報を導出する。
【０２２７】
例えば、ＡＭＦエンティティは、４Ｇネットワークのキー情報、第１のＦＣ、および第２の下りリンク非アクセス層カウントに基づいて、３Ｇネットワークのキー情報を導出する。
【０２２８】
例えば、ＡＭＦエンティティは、４Ｇネットワークのキー情報、第２のＦＣ、および第２の下りリンク非アクセス層カウントに基づいて、３Ｇネットワークのキー情報を導出する。
【０２２９】
例えば、ＡＭＦエンティティは、４Ｇネットワークのキー情報、第２のＦＣ、およびプリセット値に基づいて、３Ｇネットワークのキー情報を導出する。
【０２３０】
プリセット値は、事前に設定され、端末とＡＭＦエンティティとの両方によって維持されるプリセット値であってもよいと理解されたい。
【０２３１】
例えば、ＡＭＦエンティティは、４Ｇネットワークのキー情報、第２のＦＣ、および乱数に基づいて、３Ｇネットワークのキー情報を導出する。
【０２３２】
任意で、例では、ＡＭＦエンティティは、４Ｇネットワークの導出されたキー情報に基づいて、３Ｇネットワークのキー情報を導出する。
【０２３３】
例えば、ＡＭＦエンティティは、４Ｇネットワークのキー情報、第３のＦＣ、および第２の下りリンク非アクセス層カウントに基づいて、３Ｇネットワークのキー情報を導出する。
【０２３４】
例えば、ＡＭＦエンティティは、４Ｇネットワークのキー情報、第３のＦＣ、およびプリセット値に基づいて、３Ｇネットワークのキー情報を導出する。
【０２３５】
例えば、ＡＭＦエンティティは、４Ｇネットワークのキー情報、第３のＦＣ、および乱数に基づいて、３Ｇネットワークのキー情報を導出する。
【０２３６】
４Ｇネットワークのキー情報に基づいて、３Ｇネットワークのキー情報を導出するために使用されるキー導出パラメータは、３Ｇネットワークのキー情報を導出するために使用されるキー導出パラメータと同じであってもよく、３Ｇネットワークのキー情報を導出するために使用されるキー導出パラメータとは異なってもよいと留意されたい。キー導出パラメータは、第１のＦＣ、第２のＦＣ、第１の下りリンク非アクセス層の値、第２の下りリンク非アクセス層の値、プリセット値、および乱数などのパラメータを含む。本出願の実装では、キー情報を導出するために使用されるキー導出パラメータは、本出願における４Ｇネットワークまたは３Ｇネットワークのキー導出パラメータに限定されないと留意されたい。代替的には、キー導出は、本出願において導出パラメータと組み合わせて、別のパラメータに基づいて行われてもよい。代替的には、キー導出は、４Ｇネットワークまたは３Ｇネットワークを導出するために使用され、本出願で提案されるキー導出パラメータの一部に基づいて行われてもよい。
【０２３７】
乱数は、ＡＭＦエンティティに既知のパラメータであってもよく、ＡＭＦエンティティはそのパラメータを端末に送信すると理解されたい。
【０２３８】
任意で、例えば、ＡＭＦエンティティは、４Ｇネットワークのキー情報、例えば、ＫＡＳＭＥを導出する。
【０２３９】
前述の例は説明のために提供され、本出願の本実施形態を限定しないと理解されたい。
【０２４０】
Ｓ６０４：端末が、５Ｇネットワークから３Ｇネットワークへの音声サービスのハンドオーバをサポートしないため、ＡＭＦエンティティは、ハンドオーバ命令をＭＭＥエンティティに送信し、ハンドオーバ命令は、ＰＳドメインにおけるベアラから４Ｇネットワークへの端末の非音声サービスのハンドオーバを命令する。
【０２４１】
Ｓ６０５：ＭＭＥエンティティは、ハンドオーバ命令を４Ｇネットワークの基地局ｅＮＢに送信し、命令は、デフォルトＲＢまたはＱＣＩ＝９を有するベアラを確立するようにｅＮＢに指示するために使用される。
【０２４２】
Ｓ６０６：４Ｇネットワークの基地局ｅＮＢは、ＭＭＥエンティティにハンドオーバ命令応答を送信し、ハンドオーバ命令応答は、ｅＮＢが送信元ｅＮＢコンテナに対してターゲットｅＮＢを準備することを指示する。
【０２４３】
Ｓ６０７：ＭＭＥエンティティは、ハンドオーバ命令応答をＡＭＦエンティティに送信する。
【０２４４】
Ｓ６０８：ＡＭＦエンティティは、ハンドオーバ要求確認メッセージを５ＧネットワークのｇＮＢに送信し、ハンドオーバ要求確認メッセージは、ＰＳドメインから４Ｇネットワークへ非音声サービスまたは非ＧＢＲベアラをハンドオーバするように指示するための情報を含む。
【０２４５】
Ｓ６０９：５ＧネットワークのｇＮＢは端末にハンドオーバ命令を送信し、ハンドオーバ命令は、ＰＳドメインから４Ｇネットワークへの音声サービスのハンドオーバを命令する。
【０２４６】
Ｓ６１０：端末は、ＰＳドメインから４Ｇネットワークに非音声サービスをハンドオーバするための指示を受信した後、音声サービスのベアラを一時停止するか、ＧＢＲのベアラを一時停止するか、またはＱＣＩ＝１を有するベアラを一時停止するかを決定する。
【０２４７】
本出願の本実施形態では、端末は、５Ｇネットワークの基地局ｇＮＢによって送信された第３のメッセージを受信すると留意されたい。例えば、端末は、５Ｇネットワークの基地局ｇＮＢから送信されたハンドオーバ命令を受信する。第３のメッセージが非音声サービスを４Ｇネットワークにハンドオーバするように端末に指示するための情報であるときに、端末は、第３のメッセージに基づいて、音声サービスのベアラを一時停止するか、またはＱＣＩ＝１を有するベアラを一時停止するかを決定する。
【０２４８】
Ｓ６１１：端末は、非音声サービスのハンドオーバ完了メッセージを４Ｇネットワークの基地局ｅＮＢに送信する。
【０２４９】
Ｓ６１２：ＭＭＥエンティティは、ＰＳドメインから４Ｇネットワークに非音声サービスをハンドオーバするためのハンドオーバ完了メッセージをＭＳＣエンティティに送信する。
【０２５０】
任意で、ＭＭＥは、ＰＳドメインから３ＧネットワークのＣＳドメインに音声サービスをハンドオーバするためにｅＮＢによって送信された要求を受信した後、Ｓ６１２を開始する。
【０２５１】
任意で、ＭＭＥは、ｅＮＢによって送信されたハンドオーバ完了メッセージを受信した後、Ｓ６１２を開始する。
【０２５２】
Ｓ６１３：ＭＭＥエンティティは、ＰＳドメインにおけるベアラからＣＳドメインにおけるベアラに音声サービスをハンドオーバするためのハンドオーバ要求メッセージをＭＳＣエンティティに送信し、ハンドオーバ要求メッセージは、ＡＭＦエンティティによって導出された３Ｇネットワークのキー情報を含んでもよい。
【０２５３】
任意で、ハンドオーバ要求メッセージは、ＡＭＦエンティティによって生成されてもよい。
【０２５４】
任意で、ＭＭＥは、ＡＭＦエンティティによって送信されたキー情報から、３Ｇネットワークの暗号キーおよび完全性保護キーを抽出する。
【０２５５】
Ｓ６１４：ＭＳＣエンティティは、音声サービスのマイグレーション要求メッセージをＲＮＣに送信し、マイグレーション要求メッセージは、ＡＭＦエンティティによって導出された３Ｇネットワークのキー情報を含む。
【０２５６】
Ｓ６１５：ＲＮＣは、マイグレーション要求確認メッセージをＭＳＣエンティティに送信し、マイグレーション要求確認メッセージは、ＲＮＣによって端末に割り当てられた無線リソース設定パラメータを含む。
【０２５７】
Ｓ６１６：ＭＳＣエンティティは、ＩＭＳエンティティに対して音声セッション転送情報を開始し、ＩＭＳエンティティは、メッセージに基づいて、音声セッションおよびユーザプレーンベアラを更新する。
【０２５８】
Ｓ６１７：ＭＳＣエンティティは、ＰＳドメインからＣＳドメインに音声サービスをハンドオーバするためのハンドオーバ要求応答をＭＭＥエンティティに送信する。
【０２５９】
Ｓ６１８：ＭＭＥエンティティは、ハンドオーバ命令をｇＮＢに送信し、ハンドオーバ命令は、ＡＭＦエンティティによって決定されたキー導出パラメータを含む。
【０２６０】
Ｓ６１９：ｇＮＢは、５ＧネットワークのＰＳドメインから３ＧネットワークのＣＳドメインのベアラに音声サービスをハンドオーバするためのハンドオーバ命令を端末に送信し、ハンドオーバ命令は、３Ｇネットワークのキー情報を導出するために使用されるキー導出パラメータを含み、キー導出パラメータは、ＡＭＦエンティティによって決定される。
【０２６１】
Ｓ６２０：端末は、キー導出パラメータを含むハンドオーバ命令を受信し、キー導出パラメータおよび５Ｇネットワークのルートキーに基づいて、３Ｇネットワークのキー情報を導出する。
【０２６２】
Ｓ６２１：端末は、３Ｇネットワークにアクセスし、ハンドオーバ完了メッセージをＲＮＣに送信する。このメッセージは、端末がＰＳドメインにおけるベアラからＣＳドメインにおけるベアラへの音声サービスのハンドオーバを完了したことを示す。
【０２６３】
Ｓ６２２：ＲＮＣは、マイグレーション完了メッセージをＭＳＣエンティティに送信して、端末がＰＳドメインにおけるベアラからＣＳドメインにおけるベアラへの音声サービスのハンドオーバを完了したことをＭＳＣエンティティに通知する。
【０２６４】
Ｓ６２３：ＭＳＣエンティティは、ＰＳドメインにおけるベアラからＣＳドメインにおけるベアラにハンドオーバするためのハンドオーバ完了メッセージをＭＭＥエンティティに送信する。
【０２６５】
Ｓ６２４：ＭＭＥエンティティは、ハンドオーバ完了メッセージをＡＭＦエンティティに送信する。
【０２６６】
Ｓ６２５：ＡＭＦエンティティは、ＭＭＥエンティティによって送信されたハンドオーバ完了メッセージを受信する。
【０２６７】
Ｓ６２６：ＡＭＦエンティティは、リソースを解放するための指示情報を、５Ｇネットワークの基地局ｇＮＢに送信する。
【０２６８】
任意で、ＡＭＦエンティティは、非音声ベアラまたは非ＧＢＲのＰＤＮセッションを解放または一時停止するようにＳＭＦに指示する。
【０２６９】
任意で、ＡＭＦエンティティは、すべてのベアラのＰＤＮセッションを解放または一時停止するようにＳＭＦに指示する。
【０２７０】
本方法６００は、端末が５Ｇネットワークから３Ｇネットワークへの音声サービスのハンドオーバをサポートしていないときに、５ＧネットワークのＰＳドメインにおけるベアラから３ＧネットワークのＣＳドメインにおけるベアラへの端末の音声サービスをハンドオーバするための通信方法であってもよいと留意されたい。
【０２７１】
図４〜図６Ｂは、第５Ｇ通信システムにおいて使用される通信方法であって、第５ＧネットワークのＰＳドメインにおけるベアラから３ＧネットワークのＣＳドメインにおけるベアラに音声サービスをハンドオーバして、音声サービスを行う端末が５Ｇネットワークのカバレッジの外に移動した後の音声サービスの連続性を維持する通信方法を説明する。
【０２７２】
本出願の実施形態は、さらに、高速フォールバックのための通信方法を提供する。通信方法では、ＰＳドメインにおけるベアラからＣＳドメインにおけるベアラに音声サービスがハンドオーバされた後に、３Ｇネットワークにおいて音声サービスの呼が終了したときに、端末は、適切なネットワークに急速にフォールバックし、ＰＳドメインにおけるベアラであって、音声ハンドオーバ中に一時停止されたベアラのサービスを復元する。
【０２７３】
任意で、例では、３Ｇネットワークにおいて端末の音声サービスの呼が終了した後に、コアネットワークデバイスは、ＲＮＣに通知し、ＲＮＣはＵＥに指示する。
【０２７４】
ステップ１：ＡＭＦエンティティまたはＭＭＥエンティティは、ハンドオーバ要求メッセージをＭＳＣエンティティに送信する。ハンドオーバ要求メッセージは、ハンドオーバがＮＲノードまたはＭＭＥエンティティからであることを指示するハンドオーバ情報を含む。本出願の本実施態様において、このステップは任意であると理解されたい。
【０２７５】
ステップ２：ＭＳＣエンティティは、ハンドオーバ情報をＲＮＣに送信する。情報は、ＮＲノードまたはＭＭＥエンティティからＲＮＣへのハンドオーバを指示するために使用される。ＭＳＣエンティティは、ハンドオーバ要求メッセージ内のソースノードのタイプに基づいて、ソースノードがＭＭＥエンティティであるかＮＲノードであるかを決定することができる。
【０２７６】
ステップ３：Ｉｕが解放されるときに、ＭＳＣエンティティは、端末がＮＲノードまたはＭＭＥエンティティからハンドオーバされることをＲＮＣに指示する。ＲＮＣは、ＲＮＣ上の端末の接続を解放することを決定する。
【０２７７】
例えば、ＬＴＥまたはＮＲの周波数情報を指示するために、端末にコネクション解放情報が送信される。端末は、情報を受信した後に、最初に、無線アクセスシステムの示されたＡＲＦＣＮを測定し、セル再選択処理を行う。端末は、最初に、示されたＡＲＦＣＮを測定し、次いで、Ｒ基準を満たすＡＲＦＣＮを有するセルに再選択する。
【０２７８】
Ｒ基準は、サービングセルのＲｓおよびターゲットセルのＲｔが、それぞれ、Ｒｓ＝Ｑｍｅａｓ，ｓ＋ＱＨｙｓｔと、Ｒｔ＝Ｑｍｅａｓ，ｔ−Ｑｏｆｆｓｅｔを満たすことを意味する。Ｑｍｅａｓは測定セルのＲＳＲＰ値であり、Ｑｏｆｆｓｅｔはターゲットセルのオフセット値を定義する。同じプライオリティを有する異周波数セルについては、２つの部分が含まれる。すなわち、セルベースのオフセット値と周波数ベースのオフセット値である。時間Ｔｒｅｓｅｌｅｃｔｉｏｎ（同一周波数セルのＴｒｅｓｅｌｅｃｔｉｏｎが異周波数セルのものとは異なることがある）内で常にＲｔがＲｓより大きい場合、端末は、ターゲットセルに再選択する。
【０２７９】
任意で、例では、ＡＭＦエンティティまたはＭＭＥエンティティは、設定情報を端末に送信する。設定情報は、ＣＳドメインにおいて音声サービスの呼が終了したときに、端末が優先的にフォールバックするネットワークを指示する情報が含む。
【０２８０】
設定情報は、音声サービスがハンドオーバされる前に設定された情報であっても良く、端末がＮＲまたはＬＴＥから３Ｇネットワークにハンドオーバされて、エアインターフェース接続が解除された後に、ＮＲまたはＬＴＥに優先的にフォールバックするように端末に指示するために使用される。
【０２８１】
例えば、ＮＲに優先的にフォールバックするときに、端末は、最初に、ＮＲ−ＡＲＦＣＮを測定し、Ｒ基準を満たすＮＲセルに再選択する。適切なＮＲセルが利用できない場合、端末は、適切なＬＴＥセルに再選択する。
【０２８２】
例えば、ＬＴＥに優先的にフォールバックするときに、端末は、最初に、ＬＴＥ−ＡＲＦＣＮを測定し、Ｒ基準を満たすＬＴＥセルに再選択する。適切なＬＴＥセルが利用できない場合、端末は、適切なＮＲセルに再選択する。
【０２８３】
なお、高速フォールバックの場合の通信方法は、５ＧネットワークのＰＳドメインにおけるベアラから３ＧネットワークのＣＳドメインにおけるベアラに音声サービスをハンドオーバするために使用される通信方法であって、図４〜図６Ｂで説明した通信方法と組み合わせられてもよい。これは、本出願の実施態様において限定されない。
【０２８４】
前述のプロセスのシーケンス番号は、本出願の様々な実施態様における実行シーケンスを意味しないことを理解されたい。プロセスの実行シーケンスは、プロセスの機能および内部論理に基づいて決定されるべきであり、本出願の実施態様の実施プロセスに対するいかなる限定も構成すべきではない。
【０２８５】
前述の実施形態では、端末によって実装されるステップまたは動作は、端末において使用され得るコンポーネント（例えば、チップまたは回路）によって代替的に実装されてもよく、アクセスネットワークデバイスによって実装されるステップまたは動作は、アクセスネットワークデバイスにおいて使用され得るコンポーネント（例えば、チップまたは回路）によって代替的に実装され得ると理解されよう。
【０２８６】
以上、本出願の実施形態による異なるシナリオにおいて、５ＧネットワークのＰＳドメインにおけるベアラから３ＧネットワークのＣＳドメインにおけるベアラに音声サービスをハンドオーバするための通信方法を詳細に説明した。以下は、本出願の実施形態による通信装置を説明する。本出願の実施形態における通信装置は、本出願の前述の実施形態における様々な通信方法を行ってもよいと理解されたい。言い換えると、以下の製品の特定の作業プロセスについては、前述の方法の実施形態における対応する処理を参照のこと。
【０２８７】
図７は、本出願の実施形態による通信装置の概略構造図である。図７における通信装置７００は、前述の説明においてＡＭＦエンティティによって行われるステップまたは動作を対応して実装することができ、
第１メッセージを受信することであって、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することを行うように構成されている通信モジュール７１０と、
ターゲットデバイスが位置するネットワークのキー情報を導出するように構成されている処理モジュール７２０と、を含んでもよい。
【０２８８】
本出願の本実施形態では、通信装置は、音声サービスのハンドオーバ要求メッセージにおけるターゲットデバイスの識別子に基づいて、音声サービスがハンドオーバされるネットワークを決定して、ターゲットデバイスが位置するネットワークのキー情報を導出し、音声サービスがＰＳドメインにおけるベアラからターゲットデバイスが位置するネットワークにハンドオーバされることを確実にし、音声サービスの連続性を確保し、ユーザ体験を向上させる。
【０２８９】
任意で、処理モジュール７２０は、具体的には、
３Ｇネットワークのキー導出パラメータを決定することと、
３Ｇネットワークのキー導出パラメータとルートキーに基づいて、３Ｇネットワークのキー情報を導出することと、を行うように構成されている。
【０２９０】
任意で、処理モジュール７２０は、具体的には、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０２９１】
任意で、処理モジュール７２０は、具体的には、
４Ｇネットワークのキー導出パラメータを決定することと、
４Ｇネットワークのキー導出パラメータおよびルートキーに基づいて、４Ｇネットワークのキー情報を導出することと、
４Ｇネットワークのキー情報に基づいて、３Ｇネットワークのキー情報を導出することと、を行うように構成されている。
【０２９２】
任意で、処理モジュール７２０は、具体的には、
４Ｇネットワークのキー導出パラメータを決定することと、
４Ｇネットワークのキー導出パラメータとルートキーに基づいて、４Ｇネットワークのキー情報を導出することと、を行うように構成されている。
【０２９３】
任意で、処理モジュール７２０は、具体的には、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、
第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０２９４】
任意で、処理モジュール７２０は、具体的には、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０２９５】
任意で、ルートキーは、ＫＡＭＦ、ＫＳＥＡＦ、ＫＡＵＳＦ、および暗号キーＣＫ＋完全性キーＩＫのうちのいずれかである。
【０２９６】
任意で、通信モジュール７１０は、さらに、
３Ｇネットワークのキー情報をモビリティ管理エンティティＭＭＥに送信することか、
３Ｇネットワークのキー情報と４Ｇネットワークのキー情報をモビリティ管理エンティティＭＭＥに送信することか、または
４Ｇネットワークのキー情報をモビリティ管理エンティティＭＭＥに送信することを行うように構成されている。
【０２９７】
任意で、通信モジュール７１０は、さらに、第２のメッセージを受信するように構成されており、第２のメッセージは、ＰＳドメインからＣＳドメインへの音声サービスのハンドオーバが完了したことを指示する情報を含む。
【０２９８】
通信モジュール７１０が第２のメッセージを受信するときに、処理モジュール７２０は、さらに、第２のメッセージに基づいて、非音声サービスのＰＤＮセッションを一時停止または解放することを決定するように構成されている。
【０２９９】
任意で、通信モジュール７１０は、さらに、設定情報を送信するように構成されており、設定情報は、ＣＳドメインにおいて音声サービスの呼が終了したときに、端末が優先的にフォールバックするネットワークを指示する情報を含む。
【０３００】
任意で、通信装置７００は、５Ｇ通信システム内のコアネットワークデバイスであってもよく、通信装置は、ＰＳドメインにおけるベアラからＣＳドメインにおけるベアラに端末の音声サービスをハンドオーバするように構成されてもよい。
【０３０１】
本出願の本実施形態における通信装置７００内のモジュールの実装、相互作用等については、方法の実施形態における関連する説明を参照することが理解されよう。
【０３０２】
図８は、本出願の実施形態による通信装置の概略構造図である。図８における通信装置８００は、前述の実施形態の端末に対応することができ、
第３のメッセージを受信することと、第３のメッセージが、パケット交換ＰＳドメインから回線交換ＣＳドメインへ音声サービスをハンドオーバするように指示するための情報を含む場合、第３のメッセージに基づいて、非音声サービスのＰＤＮセッションを一時停止または解放することを決定することか、または第３のメッセージが、非音声サービスを４Ｇネットワークにハンドオーバするように指示するための情報を含む場合、第３のメッセージに基づいて、音声サービスのベアラを一時停止するか、もしくはＱＣＩ＝１を有するベアラを一時停止することを決定することと、を行うように構成されている通信モジュール８１０と、
ターゲットデバイスが位置するネットワークのキー情報を導出することを決定することであって、ターゲットデバイスが３Ｇネットワークおよび／または４Ｇネットワーク内のアクセスネットワークデバイスである、決定することを行うように構成されている処理モジュール８２０と、を含んでもよい。
【０３０３】
本出願の本実施形態では、通信装置は、受信されたハンドオーバ要求メッセージに基づいて、音声サービスまたは非音声サービスを処理して、ＰＳドメイン内のベアラからＣＳドメイン内のベアラにハンドオーバし、音声サービスの連続性を確保し、ユーザ体験を向上させる。
【０３０４】
任意で、第３のメッセージは、さらに、キー導出パラメータを含み、キー導出パラメータは、アクセスおよびモビリティ管理機能ＡＭＦエンティティによって決定される。
【０３０５】
任意で、処理モジュール８２０は、さらに、
３Ｇネットワークのキー導出パラメータとルートキーに基づいて、３Ｇネットワークのキー情報を導出することか、または
４Ｇネットワークのキー導出パラメータとルートキーに基づいて、４Ｇネットワークのキー情報を導出することを行うように構成されている。
【０３０６】
任意で、処理モジュール８２０は、具体的には、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０３０７】
任意で、処理モジュール８２０は、具体的には、
第１のＦＣ、第２の下りリンク非アクセス層カウント、およびルートキーに基づいて、４Ｇネットワークのキー情報を導出することか、第２のＦＣ、第２の下りリンク非アクセス層カウント、およびルートキーに基づいて、４Ｇネットワークのキー情報を導出することか、
第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０３０８】
任意で、ルートキーは、ＫＡＭＦ、ＫＳＥＡＦ、ＫＡＵＳＦ、および暗号キーＣＫ＋完全性キーＩＫのうちのいずれかである。
【０３０９】
任意で、処理モジュール８２０は、さらに、
４Ｇネットワークのキー情報に基づいて、３Ｇネットワークのキー情報を導出することを行うように構成されている。
【０３１０】
任意で、処理モジュール８２０は、具体的には、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０３１１】
任意に、通信モジュール８１０は、さらに、設定情報を受信するように構成されており、設定情報は、ＣＳドメインにおいて音声サービスの呼が終了したときに、端末が優先的にフォールバックするネットワークを指示する情報を含む。
【０３１２】
本出願の本実施形態における通信装置８００内のモジュールの実装、相互作用等については、方法の実施形態における関連する説明を参照することが理解されよう。
【０３１３】
図９は、本出願の実施形態による通信装置の概略構造図である。図９における通信装置９００は、前述の５Ｇ通信システムの基地局、例えばｇＮＢに対応することができ、
第３のメッセージを生成することと、第３のメッセージが、ＰＳドメインからＣＳドメインへ音声サービスをハンドオーバするように指示するための情報を含む場合、非音声サービスのＰＤＮセッションを一時停止または解放するように端末を指示することか、または第３のメッセージが、ＰＳドメインから４Ｇネットワークへハンドオーバするように指示するための情報を含む場合、音声サービスのべアラを一時停止するように、もしくはＱＣＩ＝１を有するベアラを一時停止するように端末に指示することと、を行うように構成されている処理モジュールと、
第３のメッセージを端末に送信するように構成されている通信モジュールと、を含んでもよい。
【０３１４】
本出願の本実施形態の技術的解決策では、通信装置は、第３のメッセージを生成し、第３のメッセージを端末に送信する。端末は、第３のメッセージに含まれる指示情報に従って、音声サービスまたは非音声サービスを一時停止して、ＰＳドメインにおけるベアラからＣＳドメインにおけるベアラに音声サービスがハンドオーバされることを確実し、音声サービスの連続性を確保し、ユーザ体験を向上させる。
【０３１５】
任意で、第３のメッセージは、ターゲットデバイスが位置するネットワークのキー導出パラメータを含み、キー導出パラメータは、ＡＭＦエンティティによって決定される。
【０３１６】
本出願の本実施形態における通信装置９００内のモジュールの実装、相互作用等については、方法の実施形態における関連する説明を参照することが理解されよう。
【０３１７】
通信装置７００、通信装置８００、および通信装置９００内の全てのモジュールは、別々に配置されてもよく、または一緒に統合されてもよいことが理解されよう。前述のモジュールは、コンポーネントまたは回路とも呼ばれる。
【０３１８】
通信装置７００、通信装置８００、または通信装置９００は、少なくとも１つのプロセッサを使用することによって実装されてもよく、少なくとも１つのプロセッサおよび少なくとも１つのメモリを使用して実装されてもよく、少なくとも１つのプロセッサおよび少なくとも１つのトランシーバを使用して実装されてもよく、少なくとも１つのプロセッサ、少なくとも１つのトランシーバ、および少なくとも１つのメモリを使用して実装されてもよいと理解されよう。プロセッサ、トランシーバ、およびメモリは、別々に配置されてもよく、または一緒に統合されてもよい。
【０３１９】
図１０は、通信装置の概略構造図である。通信装置１０００は、ＡＭＦエンティティに対応し、前述の方法の実施形態で説明された方法を実装するように構成されてもよく、端末に対応し、前述の方法の実施形態で説明された方法を実装するように構成されてもよく、またはｇＮＢなどのアクセスネットワークデバイスに対応し、前述の実施形態で説明された方法を実装するように構成されてもよい。詳細については、前述の方法の実施形態の説明を参照のこと。
【０３２０】
通信装置１０００は、１つ以上のプロセッサ３１を含んでもよい。プロセッサ３１は、プロセッシングユニットとも呼ばれることがあり、特定の制御機能を実装することができる。プロセッサ３１は、汎用プロセッサ、専用プロセッサ等とすることができる。
【０３２１】
任意の設計では、メモリ３２は、命令３３を記憶することができる。命令３３は、プロセッサ３１によって動作してもよく、通信装置１０００が、ＡＭＦエンティティ、端末、またはアクセスネットワークデバイスに対応する方法であって、前述の方法の実施形態で説明された方法を行うようにする。
【０３２２】
別の可能な設計では、通信装置１０００は、回路を含んでもよい。回路は、前述の方法の実施形態において、送信、受信、または通信機能を実装してもよい。
【０３２３】
任意で、通信装置１０００は、１つ以上のメモリ３２を含んでもよい。メモリは、命令３３または中間データを記憶する。命令３３は、プロセッサ３１上で動作してもよく、通信装置１０００が、ＡＭＦエンティティ、端末、またはアクセスネットワークデバイスによって行われる方法であって、前述の実施形態で説明された方法を行うようにする。任意で、メモリは、他の関連するデータをさらに記憶してもよい。任意で、プロセッサはまた、命令および／またはデータを記憶してもよい。プロセッサおよびメモリは、別々に配置されてもよく、または一緒に統合されてもよい。
【０３２４】
任意で、通信装置１０００は、トランシーバ３５をさらに含んでもよい。プロセッサ３１は、プロセッシングユニットと呼ばれることがある。トランシーバ３５は、トランシーバユニット、トランシーバマシン、トランシーバ回路、トランシーバなどと呼ばれることがあり、通信装置のトランシーバ機能を実装するように構成されている。
【０３２５】
設計において、通信装置（例えば、集積回路、無線デバイス、回路モジュール、ネットワークデバイス、または端末デバイス）は、プロセッサおよびトランシーバを含んでもよい。図４〜図６Ｂに対応する実施形態において、通信装置が、ＡＭＦエンティティによって行われるステップまたは動作を実装するように構成されている場合、トランシーバ３５は、第１のメッセージを受信することであって、第１のメッセージは、パケット交換ＰＳドメインから回線交換ＣＳドメインへ端末の音声サービスをハンドオーバするように指示するための情報を含み、第１のメッセージは、さらに、ターゲットデバイスの識別情報を含み、ターゲットデバイスは、３Ｇネットワークおよび／または４Ｇネットワーク内のアクセスネットワークデバイスである、受信することを行ってもよく、
プロセッサ３１は、ターゲットデバイスが位置するネットワークのキー情報を導出するように構成されている。
【０３２６】
任意で、プロセッサ３１は、具体的には、
３Ｇネットワークのキー導出パラメータを決定することと、
３Ｇネットワークのキー導出パラメータとルートキーに基づいて、３Ｇネットワークのキー情報を導出することと、を行うように構成されている。
【０３２７】
任意で、プロセッサ３１は、さらに、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０３２８】
任意で、プロセッサ３１は、さらに、
４Ｇネットワークのキー導出パラメータを決定することと、
４Ｇネットワークのキー導出パラメータおよびルートキーに基づいて、４Ｇネットワークのキー情報を導出することと、
４Ｇネットワークのキー情報に基づいて、３Ｇネットワークのキー情報を導出することと、を行うように構成されている。
【０３２９】
任意で、プロセッサ３１は、さらに、４Ｇネットワークのキー導出パラメータを決定することと、４Ｇネットワークのキー導出パラメータとルートキーに基づいて、４Ｇネットワークのキー情報を導出することと、を行うように構成されている。
【０３３０】
任意で、プロセッサ３１は、さらに、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０３３１】
任意で、プロセッサ３１は、さらに、
４Ｇネットワークのキー情報に基づいて、３Ｇネットワークのキー情報を導出することと、を行うように構成されている。
【０３３２】
例えば、プロセッサ３１は、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０３３３】
任意で、ルートキーは、ＫＡＭＦ、ＫＳＥＡＦ、ＫＡＵＳＦ、および暗号キーＣＫ＋完全性キーＩＫのうちのいずれかである。
【０３３４】
任意に、トランシーバ３５は、さらに、
３Ｇネットワークのキー情報をモビリティ管理エンティティＭＭＥに送信することか、
３Ｇネットワークのキー情報と４Ｇネットワークのキー情報をモビリティ管理エンティティＭＭＥに送信することか、または
４Ｇネットワークのキー情報をモビリティ管理エンティティＭＭＥに送信することを行うように構成されている。
【０３３５】
任意に、トランシーバ３５は、さらに、
第２のメッセージを受信することであって、第２のメッセージは、ＰＳドメインからＣＳドメインへの音声サービスのハンドオーバが完了したことを指示する情報を含む、受信することを行うように構成されている。
【０３３６】
トランシーバ３５が第２のメッセージを受信したときに、プロセッサ３１は、第２のメッセージに基づいて、非音声サービスのＰＤＮセッションを一時停止または解放することを決定するように構成されている。
【０３３７】
任意に、トランシーバ３５は、さらに、
設定情報を送信することであって、設定情報は、ＣＳドメインにおいて音声サービスの呼が終了したときに、端末が優先的にフォールバックするネットワークを指示する情報が含む、送信することを行うように構成されている。
【０３３８】
設計において、通信装置（例えば、集積回路、無線デバイス、回路モジュール、ネットワークデバイス、または端末デバイス）は、プロセッサおよびトランシーバを含んでもよい。図５Ａおよび図５Ｂ、または図６Ａおよび図６Ｂに対応する実施形態において、通信装置が、端末によって行われるステップまたは動作を実装するように構成されている場合、トランシーバ３５は、第３のメッセージを受信することと、第３のメッセージが、パケット交換ＰＳドメインから回線交換ＣＳドメインへ音声サービスをハンドオーバするように指示するための情報を含む場合、第３のメッセージに基づいて、非音声サービスのＰＤＮセッションを一時停止または解放することを決定することか、または第３のメッセージが、非音声サービスを４Ｇネットワークにハンドオーバするように指示するための情報を含む場合、第３のメッセージに基づいて、音声サービスのベアラを一時停止するか、もしくはＱＣＩ＝１を有するベアラを一時停止することを決定することと、行ってもよく、
プロセッサ３１は、ターゲットデバイスが位置するネットワークのキー情報を導出することであって、ターゲットデバイスは、３Ｇネットワークおよび／または４Ｇネットワーク内のアクセスネットワークデバイスである、導出することを行うように構成されている。
【０３３９】
任意で、プロセッサ３１は、さらに、
３Ｇネットワークのキー導出パラメータとルートキーに基づいて、３Ｇネットワークのキー情報を導出することか、または
４Ｇネットワークのキー導出パラメータとルートキーに基づいて、４Ｇネットワークのキー情報を導出することを行うように構成されている。
【０３４０】
任意で、プロセッサ３１は、具体的には、
第１のＦＣ、第１の下りリンク非アクセス層カウント、およびルートキーに基づいて、３Ｇネットワークのキー情報を導出することか、
第１のＦＣ、プリセット値、ルートキーに基づいて、３Ｇネットワークのキー情報を導出することか、または
第１のＦＣ、乱数、ルートキーに基づいて、３Ｇネットワークのキー情報を導出することを行うように構成されている。
【０３４１】
任意で、プロセッサ３１は、具体的には、
第１のＦＣ、第２の下りリンク非アクセス層カウント、およびルートキーに基づいて、４Ｇネットワークのキー情報を導出することか、
第２のＦＣ、第２の下りリンク非アクセス層カウント、およびルートキーに基づいて、４Ｇネットワークのキー情報を導出することか、
第２のＦＣ、プリセット値、およびルートキーに基づいて、４Ｇネットワークのキー情報を導出することか、または
第２のＦＣ、乱数、およびルートキーに基づいて４Ｇネットワークのキー情報を導出することを行うように構成されている。
【０３４２】
任意で、ルートキーは、ＫＡＭＦ、ＫＳＥＡＦ、ＫＡＵＳＦ、および暗号キーＣＫ＋完全性キーＩＫのうちのいずれかである。
【０３４３】
任意で、プロセッサ３１は、さらに、
４Ｇネットワークのキー情報に基づいて、３Ｇネットワークのキー情報を導出することと、を行うように構成されている。
【０３４４】
任意で、プロセッサ３１は、具体的には、
４Ｇネットワークのキー情報、第１のＦＣ、第２の下りリンク非アクセス層カウントに基づいて、３Ｇネットワークのキー情報を導出することか、
４Ｇネットワークのキー情報、第２のＦＣ、および第２の下りリンク非アクセス層カウントに基づいて、３Ｇネットワークのキー情報を導出することか、
４Ｇネットワークのキー情報、第２のＦＣ、およびプリセット値に基づいて、３Ｇネットワークのキー情報を導出することか、または
４Ｇネットワークのキー情報、第２のＦＣ、乱数に基づいて、３Ｇネットワークのキー情報を導出することを行うように構成されている。
【０３４５】
任意に、トランシーバ３５は、さらに、
設定情報を受信することであって、設定情報は、ＣＳドメインにおいて音声サービスの呼が終了したときに、端末が優先的にフォールバックするネットワークを指示する情報が含む、受信することを行うように構成されている。
【０３４６】
設計において、通信装置（例えば、集積回路、無線デバイス、回路モジュール、ネットワークデバイス、または端末デバイス）は、プロセッサおよびトランシーバを含んでもよい。通信装置が、図４に対応する実施形態において、アクセスネットワークデバイスを実装するように構成されている場合、または、図５Ａおよび図５Ｂに対応する実施形態において、および図６Ａおよび図６Ｂに対応する実施形態において、ｇＮＢによって行われるステップまたは動作を実装するように構成されている場合、プロセッサ３１は、第３のメッセージを生成することと、第３のメッセージが、ＰＳドメインからＣＳドメインへ音声サービスをハンドオーバするように指示するための情報を含む場合、非音声サービスのＰＤＮセッションを一時停止または解放するように端末を指示することか、または第３のメッセージが、ＰＳドメインから４Ｇネットワークへハンドオーバするように指示するための情報を含む場合、音声サービスのべアラを一時停止するように、もしくはＱＣＩ＝１を有するベアラを一時停止するように端末に指示することと、を行ってもよく、トランシーバ３５は、第３のメッセージを端末に送信するように構成されている。
【０３４７】
任意で、第３のメッセージは、ターゲットデバイスが位置するネットワークのキー導出パラメータを含み、キー導出パラメータは、ＡＭＦエンティティによって決定される。
【０３４８】
本出願に記載のプロセッサおよびトランシーバは、集積回路（ｉｎｔｅｇｒａｔｅｄ  ｃｉｒｃｕｉｔ、ＩＣ）、アナログＩＣ、高周波集積回路ＲＦＩＣ、ハイブリッド信号ＩＣ、特定用途向け集積回路（ＡＳＩＣ）、プリント回路基板（ｐｒｉｎｔｅｄ  ｃｉｒｃｕｉｔ  ｂｏａｒｄ、ＰＣＢ）、電子デバイスなどに実装されてもよい。プロセッサおよびトランシーバはまた、種々の１Ｃ技術、例えば、相補型金属酸化物半導体（ｃｏｍｐｌｅｍｅｎｔａｒｙ  ｍｅｔａｌ  ｏｘｉｄｅ  ｓｅｍｉｃｏｎｄｕｃｔｏｒ、ＣＭＯＳ）、Ｎチャネル金属酸化物半導体（ｎＭｅｔａｌ−ｏｘｉｄｅ−ｓｅｍｉｃｏｎｄｕｃｔｏｒ、ＮＭＯＳ）、Ｐチャネル金属酸化物半導体（ｐｏｓｉｔｉｖｅ  ｃｈａｎｎｅｌ  ｍｅｔａｌ  ｏｘｉｄｅ  ｓｅｍｉｃｏｎｄｕｃｔｏｒ、ＰＭＯＳ）、バイポーラ接合トランジスタ（ｂｉｐｏｌａｒ  ｊｕｎｃｔｉｏｎ  ｔｒａｎｓｉｓｔｏｒ、ＢＪＴ）、バイポーラＣＭＯＳ  （ＢＩＣＭＯＳ）、シリコンゲルマニウム（ＳｉＧｅ）、およびガリウムヒ素（ＧａＡｓ）を使用して、製造されてもよい。
【０３４９】
前述の実施形態の説明では、通信装置１０００は、例としてＡＭＦエンティティ、アクセスネットワークデバイス、または端末を使用して説明されているが、本願において説明される通信装置の範囲は、ＡＭＦエンティティ、アクセスネットワークデバイス、または端末に限定されるものではなく、通信装置の構造は図１０に限定されなくてもよい。通信装置は、独立したデバイスであってもよく、または比較的大きなデバイスの一部であってもよい。例えば、デバイスは、
（１）  独立した集積回路（ＩＣ）、チップ、もしくはチップシステムもしくはサブシステム、
（２）  １つ以上のＩＣを有するセットであって、任意で、ＩＣセットはまた、データおよび／または命令を記憶するように構成されている記憶コンポーネントを含んでもよい、１つ以上のＩＣを有するセット、
（３）  ＡＳＩＣ、例えばモデム（ＭＳＭ）、
（４）  別のデバイスに埋め込まれ得るモジュール、
（５）  受信機、端末、携帯電話、無線デバイス、ハンドヘルド電話、移動体ユニット、ネットワークデバイス等、または
（６）  別の装置等、であってもよい。
【０３５０】
当業者は、本明細書に開示された実施形態で説明された実施例のユニットおよびアルゴリズムステップと組み合わせて、本出願は、電子ハードウェアまたは電子ハードウェアとコンピュータソフトウェアとの組み合わせを使用して実施されてもよいと認識するであろう。機能がハードウェアまたはソフトウェアを使用して行われるかどうかは、特定のアプリケーションおよび技術的解決策の設計制約条件に依存する。当業者であれば、特定の用途に対して説明された機能を実装するために異なる方法を使用してもよいが、その実装が本出願の範囲を超えるものであると考えられるべきではない。
【０３５１】
便利で簡単な説明のために、前述のシステム、装置、およびユニットの詳細な作業プロセスについて、前述の方法の実施形態における対応するプロセスを参照することが当業者に明確に理解されてもよく、詳細はここでは再度説明されない。
【０３５２】
本出願に提供されるいくつかの実施形態では、開示されたシステム、装置、および方法は、他の方法で実装され得ると理解されたい。例えば、説明された装置の実施形態は単なる実施例にすぎない。例えば、モジュールまたはユニットへの分割は、単なる論理的な機能分割であり、実際の実装の間の他の分割であってもよい。例えば、複数のユニットまたはコンポーネントは、別のシステムに組み合わせられ、もしくは統合されてもよく、またはいくつかの特徴は、無視されてもよく、もしくは行われなくてもよい。追加的に、表示または議論された相互結合、直接結合、または通信接続は、いくつかのインターフェースを使用して実装されてもよい。装置またはユニット間の間接的な結合または通信接続は、電子的、機械的、または他の形態で実装されてもよい。
【０３５３】
別個の部品として説明されたユニットは、物理的に分離されていても、されていなくてもよく、ユニットとして表示される部品は、物理的ユニットであっても、なくてもよく、言い換えると、１つの場所に位置してもよく、または複数のネットワークユニット上に分散されてもよい。ユニットの一部または全ては、実施形態の解決策の目的を達成するために、実際の要件に基づいて選択されてもよい。
【０３５４】
追加的に、本出願の実施形態における機能ユニットは、１つの処理ユニットに統合されてもよく、または各ユニットは、物理的に単独で存在してもよく、もしくは２つ以上のユニットが１つのユニットに統合されてもよい。
【０３５５】
前述の実施形態の全てまたは一部は、ソフトウェア、ハードウェア、ファームウェア、またはそれらの任意の組み合わせを使用することによって実装されてもよい。実施形態を実装するためにソフトウェアが使用されるときに、実施形態の全てまたは一部は、コンピュータプログラム製品の形態で実装されてもよい。コンピュータプログラム製品は、１つ以上のコンピュータプログラム命令を含む。コンピュータプログラム命令がロードされ、コンピュータ上で実行されるときに、本出願の実施形態による手順または機能は、全部または部分的に生成される。コンピュータは、汎用コンピュータ、専用コンピュータ、コンピュータネットワーク、または別のプログラム可能な装置であってもよい。コンピュータ命令は、コンピュータ可読記憶媒体に記憶されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから、有線（例えば、同軸ケーブル、光ファイバ、またはデジタル加入者線（ＤＳＬ））または無線（例えば、赤外線、無線、またはマイクロ波）方式で、別のウェブサイト、コンピュータ、サーバ、またはデータセンタに送信されてもよい。コンピュータ可読記憶媒体は、コンピュータによってアクセス可能な任意の使用可能媒体、または１つ以上の使用可能媒体を統合するサーバもしくはデータセンタなどのデータ記憶デバイスであってもよい。使用可能媒体は、磁気媒体（例えば、フロッピーディスク、ハードディスク、または磁気テープ）、光媒体（例えば、ＤＶＤ）、半導体媒体（例えば、ソリッド・ステート・ドライブ（ＳＳＤ））などである。
【０３５６】
前述の説明は、本出願の単なる具体的な実装であるが、本出願の保護範囲を制限することは意図されていない。本出願に開示された技術的範囲内で、当業者によって容易に理解される任意の変更または代替は、本出願の保護範囲に含まれるものとする。したがって、本出願の保護範囲は、特許請求の範囲の保護範囲に従うものとする。
【手続補正２】
【補正対象書類名】特許請求の範囲
【補正対象項目名】全文
【補正方法】変更
【補正の内容】
【特許請求の範囲】
【請求項１】
通信方法であって、
アクセスおよびモビリティ管理機能（ＡＭＦ）エンティティによって、第１のアクセスネットワークデバイスから第１のメッセージを受信することであって、前記第１のメッセージは、パケット交換（ＰＳ）ドメインから回線交換（ＣＳ）ドメインに端末の音声サービスをハンドオーバするように指示するための情報を含み、前記第１のメッセージは、さらに、ターゲットデバイスの識別情報を含み、前記ターゲットデバイスは、３Ｇネットワーク内の第２のアクセスネットワークデバイスである、受信することと、
モビリティ管理エンティティ（ＭＭＥ）を介して、前記ＡＭＦエンティティによって、要求メッセージを移動交換センタ（ＭＳＣ）エンティティに送信することであって、前記要求メッセージは、前記第１のメッセージの送信元を示す情報を含む、送信することと、を含む通信方法。
【請求項２】
前記第１のメッセージの前記送信元は、ニュー・ラジオ（ＮＲ）エンティティであり、前記第１のアクセスネットワークデバイスは、前記ＮＲ内のネットワークデバイスである、請求項１に記載の通信方法。
【請求項３】
前記要求メッセージは、さらに、前記ＰＳドメインから前記ＣＳドメインへの前記端末の前記音声サービスをハンドオーバすることを指示する情報を含む、請求項１または２に記載の通信方法。
【請求項４】
当該通信方法は、さらに、
前記ＭＭＥを介して、前記ＡＭＦエンティティによって、前記ＭＳＣエンティティから第２のメッセージを受信することであって、前記第２のメッセージは、前記ＰＳドメインから前記ＣＳドメインへの前記音声サービスのハンドオーバの完了を指示する情報を含む、受信することと、
前記ＡＭＦエンティティによって、前記第２のメッセージに基づいて、全てのパケットデータネットワーク（ＰＤＮ）セッションを一時停止または解放することを決定することと、を含む、請求項１〜３のいずれか一項に記載の通信方法。
【請求項５】
前記ＡＭＦエンティティによって、前記第２のメッセージに基づいて、全てのＰＤＮセッションを一時停止または解放することを決定することは、
前記ＡＦＭエンティティによって、前記全てのＰＤＮセッションを一時停止または解放するようにセッション管理機能（ＳＭＦ）に指示することを含む、請求項４に記載の通信方法。
【請求項６】
前記ＡＭＦエンティティによって、４Ｇネットワークのキー情報を導出することと、
前記３Ｇのキー情報を導出するために前記４Ｇネットワークの前記キー情報を前記ＭＭＥに送信することと、さらに含む、請求項１〜５のいずれか一項に記載の通信方法。
【請求項７】
通信方法であって、
モビリティ管理エンティティ（ＭＭＥ）によって、アクセスおよびモビリティ管理機能（ＡＭＦ）エンティティから要求メッセージを受信することであって、前記要求メッセージは、パケット交換（ＰＳ）ドメインから３Ｇ回線交換（ＣＳ）ドメインへの端末の音声サービスのハンドオーバの送信元を示す情報を含む、受信することと、
前記ＭＭＥによって、前記要求メッセージを移動交換センタ（ＭＳＣ）エンティティに転送することと、を含む通信方法。
【請求項８】
前記送信元は、ニュー・ラジオ（ＮＲ）エンティティである、請求項７に記載の通信方法。
【請求項９】
前記要求メッセージは、さらに、前記ＰＳドメインから前記３Ｇ  ＣＳドメインへの前記端末の前記音声サービスをハンドオーバすることを指示する情報を含む、請求項７または８に記載の通信方法。
【請求項１０】
前記ＭＭＥによって、前記ＭＳＣエンティティから第２のメッセージを受信することであって、前記第２のメッセージは、前記ＰＳドメインから前記ＣＳドメインへの前記音声サービスのハンドオーバの完了を示す情報を含む、受信することと、
前記ＭＭＥによって、全てのパケットデータネットワーク（ＰＤＮ）セッションを一時停止または解放する手順をトリガするために、前記第２のメッセージを前記ＡＭＦエンティティに転送することと、さらに含む、請求項７〜９のいずれか一項に記載の通信方法。
【請求項１１】
前記ＭＭＥによって、前記ＡＭＦエンティティから４Ｇネットワークのキー情報を受信することと、
前記ＭＭＥによって、前記４Ｇネットワークの前記キー情報に従って、前記３Ｇネットワークのキー情報を導出することと、
前記３Ｇネットワークの前記キー情報を前記ＭＳＣエンティティに送信することと、さらに含む、請求項７〜１０のいずれか一項に記載の通信方法。
【請求項１２】
請求項１〜６のいずれか一項に記載の方法を実装するように構成されている、アクセスおよびモビリティ管理機能（ＡＭＦ）エンティティ。
【請求項１３】
請求項７〜１１のいずれか一項に記載の方法を実装するように構成されている、モビリティ管理（ＭＭＥ）エンティティ。
【請求項１４】
請求項１２に記載のアクセスおよびモビリティ管理機能（ＡＭＦ）と、請求項１３に記載のモビリティ管理エンティティ（ＭＭＥ）と、を含む、通信システム。
【請求項１５】
命令を含むコンピュータ可読記憶媒体であって、前記命令が通信装置上で動作するときに、前記通信装置が、請求項１〜１１のいずれか一項に記載の方法を実装することを可能とする、コンピュータ可読記憶媒体。
【国際調査報告】
2021517786.tif 000015
2021517786.tif 000016
2021517786.tif 000017
2021517786.tif 000018